(57)【要約】      （修正有）【課題】より環境にやさしく、各家庭・事業所用生ゴミを産業廃棄物化せず、費用対効果を上げることのできる、バイオマス堆肥燃料ペレット自家製造装置を提供する。【解決手段】家庭・事業所用生ごみ等のバイオマスを発酵させて無定形のバイオマス堆肥を製造するバイオマス堆肥製造機と、製造された無定形のバイオマス堆肥をペレット状にするペレット製造機とで構成されてなるバイオマス堆肥燃料ペレット製造装置。前記ペレット製造機は、投入されたバイオマス堆肥がビレット状態で保持可能なシリンダ状の内部空間を有するコンテナと、前記コンテナの上側面部に設けられたバイオマス堆肥が投入される投入口と、前記コンテナの一端に設けられた、圧力によりペレットが押し出されるダイス孔と、前記ダイス孔に対向する他の一端側から前記コンテナ内に押し入れ可能で、投入されたバイオマス堆肥をコンテナ内にビレット状態に押し詰めるピストン状のステムと、前記ステムを前記コンテナ内に押し入れ、前記コンテナ内のビレット状態のバイオマス堆肥を圧縮して前記ダイス孔からペレット状に押し出すジャッキアップとを、有する。【選択図】図１２
2013121907.tif 000002
【特許請求の範囲】
【請求項１】
家庭用生ごみ・バイオマスを発酵させて水分含有量が１０〜２０重量％のバイオマス堆肥燃料を製造するバイオマス燃料堆肥製造機と、該バイオマス堆肥製造機により製造された無定形のバイオマス堆肥からペレット状のバイオマス堆肥・燃料とするペレット製造機とで構成されてなる家庭用バイオマス堆肥燃料ペレット製造装置であって、
前記バイオマス燃料堆肥製造機と前記ペレット製造機とで作られた自家製バイオマス燃料ペレットを用いることは、エネルギーの変換増大化装置を同時複合的に用いて、尚更に、グリーンエネルギーを保持・持続させる自家製発電エネルギーミニプラントの礎である、
前記バイオマス堆肥製造機は、出し入れ可能な穴開き・濾過式攪拌機付き内箱容器とを有する二重構造の発酵機を備えるものであり、前記内箱容器内において、生ごみと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が、１０〜２０重量％のバイオマス堆肥を製造するものであり、
前記家庭用バイオマス堆肥燃料ペレット製造機は、シリンダを有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、前記ダイス孔に対向する方向から前記コンテナ内に押し入れ可能で、投入されたバイオマス堆肥をコンテナ内にビレット状態に押し詰めるピストン状のステムと、前記ステムをコンテナ内に押し入れ、該コンテナ内のビレット状態のバイオマス堆肥を圧縮して前記ダイス孔からペレット状に押し出す、縦置きの状態で、重さ１０トンの物を上方に持ち上げることができるだけの圧力を加えることができる、横置きされたジャッキアップとを有し、
前記コンテナとシリンダーは、前記ジャッキアップの高圧力に耐えうる材質からなり、かつ、
前記ステムの先端には、ダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために、前記ステムを、前記コンテナ内に出し入れさせる手動の取っ手が、設けられており、かつ、
前記ステムは、スプリングを介して、前記前記コンテナに取り付けられ、前記ステムが、前記コンテナに押し込まれた後、前記スプリングの弾性力・撓み力により略元の位置に戻るものであることを特徴とするバイオマス堆肥燃料ペレット自家製造装置。
【請求項２】
前期家庭用生ごみ・バイオマス堆肥燃料を製造する家庭用生ごみ・バイオマス堆肥燃料製造装置は、生ごみ・バイオマスを粉砕・水洗・放射能除染するデイスポーザーと、該デイスポーザーにより水洗・除染・粉砕された粉砕小片と腐葉土と消石灰の混合物と、ダイオキシン・重金属に汚染された紙類・バイオマスの紙粘土状にしたバイオマスから消石灰でダイオキシン・重金属を除去した状態となったものとを合わせて発酵を行って、堆肥燃料を製造する、手動撹拌器付き耐熱性金属板網状・穴開き内容器とコック栓付き耐熱性金属板外容器とからなる、二重構造の耐熱手動式撹拌器付き堆肥燃料製造器とを備え、
前記コック栓付き耐熱外容器が、耐熱性材料からなる外壁を有し、ダイオキシン・重金属に汚染された、紙粘土状のバイオマスは、消石灰と混ぜて、３００℃〜５００℃で反応を行ってダイオキシン・重金属を除去した状態とする家庭用ミニ高温反応釜でもある、請求項１に記載のバイオマス堆肥燃料ペレット自家製造装置。
【請求項３】
前記バイオマス堆肥燃料製造機が、出し入れ可能な穴開き・濾過式攪拌機付き内箱容器と外箱容器とを有する二重構造の発酵機を備えるものであり、生ゴミと腐葉土を混合してなる粉砕小片であって、水分含有量５０〜８０重量％のものを発酵させた後、得られた発酵物を前記穴開き・濾過式攪拌機付き内箱容器のまま外に出して発酵物を風通しよくして熟成・乾燥させることで、水分含有量が１０〜２０重量％のバイオマス堆肥を製造するものである請求項１〜２のいずれかに記載のバイオマス堆肥燃料ペレット自家製造装置。
【請求項４】
前記ステムの先端にはダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられていることを特徴とする請求項１〜３のいずれかに記載のバイオマス堆肥燃料ペレット自家製造装置。
【請求項５】
前記ステムはスプリングを介して前記コンテナに取付けられ、前記ステムが前記コンテナ内に押し込まれた後、前記スプリングの弾性力・撓み力により略元の位置に戻るものである請求項１〜４のいずれかに記載のバイオマス堆肥燃料ペレット自家製造装置。
【請求項６】
前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである請求項１〜５のいずれかに記載のバイオマス堆肥燃料ペレット自家製造装置。
【請求項７】
少なくとも上部に開口部を有する耐熱性容器と、前記耐熱性容器の上部の開口部を開閉できるように設けられた耐震装置・火消し蓋付き壺と、熱源かまどが一体化して、着火装置とを備える、請求項１〜６のいずれかに記載のバイオマス堆肥燃料ペレット自家製造装置で造られたペレットを用いた、家庭バイオマスペレット燃料用の耐震装置・火消し蓋付き壺兼用熱源順応かまど。
【請求項８】
前記耐熱性容器が、珪藻土製の容器である、請求項１〜７のいずれかに記載のバイオマス堆肥燃料ペレット自家製造装置で造られたペレットを用いた、家庭バイオマスペレット燃料用の耐震装置・火消し蓋付き壺兼用熱源順応かまど。
【請求項９】
さらに、踏み台と、前記踏み台と前記耐震装置・火消し蓋付きとを連結する火消し蓋開閉機構とを備える耐震装置・火消し蓋付き壺兼用熱源順応かまどであって、耐震装置の作動によるか、踏み台を操作することで、火消し蓋開閉機構を通じて、火消し蓋の開閉状態を制御するものである、請求項１〜８のいずれかに記載のバイオマス堆肥燃料ペレット自家製造装置で造られたペレットを用いた、家庭バイオマスペレット燃料用の耐震装置・火消し蓋付き壺兼用熱源順応かまど。
【請求項１０】
前記着火装置が、ポリプロピレンを原料としたものを穴空き金属製ペレット状カプセルに収納させたものである、請求項１〜９のいずれかに記載のバイオマス堆肥燃料ペレット自家製造装置で造られたペレットを用いた、家庭バイオマスペレット燃料用の耐震装置・火消し蓋付き壺兼用熱源順応かまど。
【請求項１１】
請求項１〜１０のいずれかに記載のバイオマス堆肥燃料ペレット自家製造装置で造られたペレットを用いた、家庭バイオマスペレット燃料用の耐震装置・火消し蓋付き壺兼用熱源順応かまどを熱源として用いるストーブ放熱熱源組込み機装置。
【請求項１２】
請求項１〜１１のいずれかに記載のバイオマス堆肥燃料ペレット自家製造装置で造られたペレットを用いた、家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例した高出力電気エネルギーに変換する自家発電機と、前記自家発電機で発生した電気をバッテリー充電器と電力変換装置を通して使用したり、電源として直接使用出来る自家発電機装置。
【請求項１３】
請求項１〜１２のいずれかに記載のバイオマス堆肥燃料ペレット自家製造装置で造られたペレットを用いた、家庭バイオマスペレット燃料用の耐震装置・火消し蓋付き壺兼用熱源かまどを熱源として用いるボイラーと、前記ボイラーで発生した高温・圧蒸気で駆動する蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー加熱とを加えた加熱量によって、保温庫内給湯量の大量使用の冷水入れ替え時にも対応出来る、これによって、中心パイプ内液体保温状態で、持続的熱湯保温・給湯・床冷暖房機に繋がる冷媒機と、前記自家発電機で発生した電気によって駆動する床・空調冷暖房機とを備える、床・空調冷暖房機装置。
【請求項１４】
請求項１〜１３のいずれかに記載のバイオマス堆肥燃料ペレット自家製造装置で造られたペレットを用いた、家庭バイオマスペレット燃料用の耐震装置・火消し蓋付き壺兼用熱源順応かまどの前記上部の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、前記ボイラー内蔵高出力電気の前記ヒーターによって持続してエネルギーを供給できる家庭バイオマスペレット燃料の耐震装置・火消し蓋付き壺兼用熱源順応かまどのエネルギーの前記ストーブ放熱熱源組込機・冷暖房空調機・熱湯保温庫・給湯機・自家発電機装置を同時に複合化使用することで、そのエネルギーを保持・持続・増大化出来るエネルギー各種変換増大・保持・持続化装置。
【発明の詳細な説明】
【技術分野】
【０００１】
本発明の第１は、前記バイオマス堆肥燃料ペレット自家製造装置で造られたペレットを用いた専用ボイラーの熱源かまどとしても、又、単独でも料理用かまどとしても、また、前記ストーブ放熱熱源組込み機としての活用も出来て、前記ボイラーで発生した高温・圧蒸気で駆動する、前記蒸気タービン駆動の自家発電機と充電器・電力変換機で各種電源も用意出来て、熱交換器・熱エネルギー保温庫を以って、前記保温庫に繋がる冷媒機と自家発電の電気によって駆動・送風するモーターポンプ・送風機で、給湯・床冷暖・空調冷暖両用となる、前記ペレットを用いた家庭バイオマスペレット燃料用の耐震装置・火消し蓋付き壺兼用熱源順応かまどに関する。
【背景技術】
【０００２】
前記ペレット類等を燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、従来、ゴミの減量化、エコロジー等を目的として、家庭で発生する生ゴミ等のバイオマスを発酵させて無定形のバイオマス堆肥としては、種々のものが知られている、しかしながら、従来の堆肥製造機は装置が大掛かりで、かつ、システムが複雑過ぎて内容的に難しく、各家庭で用いるには高価であり、取り扱いが難しく、しかも維持費もかかりすぎるという問題がありながら、ペレット化して燃料・肥料源として用いることが注目されていて、家庭ゴミを産業廃棄物化しない装置で、より費用対効果ある家庭単位のセパレート化が希求されていて、尚更に、前記バイオマス堆肥燃料ペレット自家製造装置で作られた燃料ペレットを用いた前記家庭バイオマスペレット燃料用の耐震装置・火消し蓋付き壺兼用熱源順応かまどを熱源とする各種複合化機械装置を同時に使用することで以って、エネルギーの複合・増大・持続した高出力電気エネルギーに変換することで費用対効果が大いに希求期待されるのでる。
【０００３】
本発明の第２は、前記バイオマス堆肥燃料ペレット自家製造装置で、ペレット燃料を自家製造するために、家庭で発生した生ゴミ等のバイオマスを発酵させて、無定形のバイオマス堆肥を製造するバイオマス堆肥製造機と、該バイオマス堆肥製造機により製造された無定形のバイオマス堆肥からペレット状のバイオマス堆肥燃料とするペレット製造機とで構成されてなる前記バイオマス堆肥燃料ペレット自家製造装置に関する。
【０００４】
一方、無定形のバイオマス堆肥のペレット化は、従来、木材大鋸屑のノンロースト・ローストペレット製造機等、主として各自治体の大型プラント工場に設置されたペレット製造機により行われている。このようなペレット製造機は、比較的小型のものでも価格が数百万円と高価であり、個人、家庭単位で購入することは困難である。また、このような大型プラントに設置されたペレット製造機を用いたのでは、ペレット製造過程、商品燃焼使用時にダイオキシンが発生する等の環境破壊がなされ、本末転倒となる場合もある。
【０００５】
かくして本発明によれば、下記（１）〜（５）の前記バイオマス堆肥燃料ペレット自家製造装置が提供される。
【０００６】
（１）バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、
投入されたバイオマス堆肥がビレット状態で保持可能なシリンダ状の内部空間を有するコンテナと、
前記コンテナの上側面部に設けられたバイオマス堆肥が投入される投入口と、
前記コンテナの一端に設けられた、圧力によりペレットが押し出されるダイス孔と、
前記ダイス孔に対向する他の一端側から前記コンテナ内に押し入れ可能で、投入されたバイオマス堆肥をコンテナ内にビレット状態に押し詰めるピストン状のステムと、
前記ステムを前記コンテナ内に押し入れ、前記コンテナ内のビレット状態のバイオマス堆肥を圧縮して前記ダイス孔からペレット状に押し出すジャッキアップと
を有することを特徴とするバイオマス堆肥燃料ペレット自家製造装置。
【０００７】
（２）前記バイオマス堆肥燃料ペレット自家製造装置は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものである（１）に記載のバイオマス堆肥燃料ペレット自家製造装置。
（３）前記ペレット製造機のコンテナはダイス孔が中央に設けられたすり鉢状の形状を有し、前記ステムの先端には、前記すり鉢状のコンテナの形状に対応する砲弾形状のダミーブロックが設けられ、前記ステムの前記ジャッキアップ側には、バイオマス堆肥をコンテナ内にビレット状態に押し詰めるために前記ステムを前記コンテナ内に出し入れさせる手動の取手が設けられていることを特徴とする（１）又は（２）に記載のバイオマス堆肥燃料ペレット自家製造装置。
（４）前記ペレット製造機のステムは、スプリングを介して前記コンテナに取付けられ、前記取手で前記コンテナ内に押し込んだときにスプリングの弾性力により元の位置に戻るものである（１）〜（３）のいずれかに記載のバイオマス堆肥燃料ペレット自家製造装置。
（５）前記ジャッキアップが、油圧手動式のものであり、ダイス孔よりバイオマス堆肥燃料ペレットが押し出された後、ジャッキアップエア抜きをすることで、前記ステム及びダミーブロックと連動してジャッキアップが、略元の状態に戻るものであり、戻らない時は、引っ張りスプリング１４の弾性力と２の取っ手を手で叩き込み振動を加えれば、撓み力の２倍になって跳ね返ることにより戻る、（４）に記載のバイオマス堆肥燃料ペレット自家製造装置。
【０００８】
ここで、「バイオマス」とは、再生可能な、生物由来の有機性資源で化石資源を除いたもの、つまり、太陽エネルギーと水や土といった自然を使って生物が作り出した様々な資源を意味し、本明細書においては、特に、家庭で発生する生ゴミ、落ち葉、大鋸屑、雑草、新聞紙、雑誌等を指す。
【０００９】
本発明の前記バイオマス堆肥燃料ペレット自家製造装置（以下、単に「ペレット製造装置」ということがある。）の一例を図１に示す。図１中、（ａ）は正面図、（ｂ）は平面図である。
【００１０】
図１に示す堆肥ペレット製造装置１００は、図２に示す、無定形のバイオマス堆肥を製造するバイオマス堆肥製造機１００Ａと、図３に示す、バイオマス堆肥のペレットを製造するペレット製造機１００Ｂとで構成されてなる。
また、ペレット製造機１００Ｂのシリンダー部分の断面図を図４に示す。これらの詳細については、後述する。
【００１１】
図１に示す堆肥ペレット製造装置１００において、バイオマス堆肥製造機１００Ａ及びペレット製造機１００Ｂは、テーブル（３０）上に設置されている。
ペレット製造装置１００によれば、各家庭で発生する生ゴミ等のバイオマスを、バイオマス堆肥製造機１００Ａによりバイオマス堆肥とした後、得られたバイオマス堆肥を、ペレット製造機１００Ｂにより、手動ではあるが、連続的に、バイオマス堆肥ペレットとすることができる。
【００１２】
図１、２に示すバイオマス堆肥製造機１００・１００Ａは、バイオマス粉砕投入口２０、バイオマス粉砕機１６、粉砕バイオマス受け皿２５、ハンドル付回転式攪拌容器２７、ハンドル付回転式攪拌器付出し入れ可能な発酵機及び発酵外容器（以下、単に「攪拌器付発酵機」という。）２６、並びに、ハンドル付回転式攪拌器付出し入れ可能な熟成・乾燥発酵器（以下、単に「乾燥発酵器」という。）２８からなる。なお、１００の図１のa中、２１は水道水差込口、２２は水道蛇口、２３は水道水ホース簡易繋器、２４はディスポーザー排水口、並びに、１００A図２の３１は、空気穴である。
前記攪拌器付発酵機２６は、出し入れ可能な穴開き内箱容器を有する二重構造容器であり、発酵温度を保つことができる。
【００１３】
図２に示すバイオマス堆肥製造機１００Ａにより、以下に述べる手順にてバイオマス堆肥を得ることができる。
バイオマス堆肥製造機は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものであるのが好ましい。
【００１４】
先ず、処理の対象となる生ゴミ等のバイオマスと腐葉土とを、バイオマス粉砕投入口２０に投入し、バイオマス粉砕機１６内で２０ｍｍ以下の大きさに粉砕する。
【００１５】
バイオマス粉砕投入口２０から投入されたバイオマス及び腐葉土は、水道水差込口２１から流入された水と混合され、粉砕・流出され、ディスポーザー排水口２４から排出されて粉砕バイオマス受け皿２５に送られ、水分含有量５０〜８０重量％、好ましくは６０％〜７０％程度（水を絞って手に水分を感じられる状態を目安に、現在の重量計測にて計算する。）となるように水切りされる。
【００１６】
次いで、水切りされた粉砕バイオマス（大鋸屑、新聞紙、雑誌等のバイオマスは紙粘土化した状態となっている。）、及び腐葉土を、攪拌器付発酵器２６中に投入し、ここで十分に発酵させる。例えば、粉砕バイオマスを、攪拌器付発酵器２６中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど十分に発酵させる。
【００１７】
発酵を開始させるには、攪拌器付発酵器２６の容量７分目までの場合には、消石灰を堆肥容量の１．０％〜１．５％投入攪拌することにより、アンモニアと水と塩化カリウムに分解されるものと考えられることから、塩化カリウムの価額反応による発熱温度が発酵を促進して行う、
攪拌器付発酵器２６の容量７分目より多くなってからの温度調整は、砂糖（低温時温度上昇）と塩（高温時温度下降）を用いることにより行う、
なお、一旦発酵が開始すれば、その後は、粉砕バイオマスを投入するだけで、腐葉土をほとんど投入する必要はない。あたかも漬物のぬか床のごとくである。
【００１８】
その後、発酵物を、攪拌器付発酵器２６から乾燥発酵器２６を２８中にそのまま移し、乾燥発酵器２８を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【００１９】
なお、発酵時の臭い対策は、攪拌した状況をめどに、天候や臭いの度合いに合わせて、木酢を堆肥容積の２％分水溶液１００ｃｃを入れて調整することにより行うことができる。
【００２０】
次いで、得られた無定形のバイオマス堆肥を、図３に示すペレット製造機１００Ｂにより、ペレット化する。
【００２１】
図１、３に示すペレット製造機１００Ｂは、バイオマス堆肥投入口１、ステム３、ビレット押し込み用取手２、ジャッキ手動ハンドル４、ジャッキアップ５、図示しないシリンダー１０を支えるコンテナ６、及びダイス孔７からなる。
【００２２】
図３、４に示すペレット製造機１００Ｂは、本発明の堆肥ペレット製造装置の連関一部であって、コンテナ６の左側内部にはシリンダー空間を構成するシリンダー１０が設けられており、その右側には、高圧力の手動ジャッキアップ５が設けられている、これを電気式油圧ジャッキアップとすることも好ましい。
【００２３】
コンテナ６は、内部に円筒状の空間を有し、軽量化が必然的に求められるので、強度と材質が重要であり、強度計算を基にハニカム構造とすることが好ましい。
コンテナ６の材質は、使用場所・目的・環境条件に合わせて決定することができる。コンテナ６の材質としては、鋼鉄・アルミニウムが好ましい。
【００２４】
ステム３及びダミーブロック１１は、ジャッキアップ５を挟んで５〜１０トンの圧力をコンテナにて受け止め耐え得る材質（例えば、鋼鉄製、ステンレス製、アルミ合金製など）からできている。
【００２５】
ステム３は、その先端にすり鉢状のコンテナの形状に対応する砲弾形状を有し、高圧力をダミーブロック１１に伝える役割を果たす。ステム３は、ダイス孔に対向する片方の口のスライドしないアジャスト蓋１５部分が不動ネジ式締付アジャストとなって、図中左右に正確にスライド可能となっている。
【００２６】
ビレット押込用取手２、ダミーブロック１１及びステム３は、一体となって同一スライド運動可能にて、撓みのある単体スプリング１４の引っ張り弾性運動はそれに対して常に共用されている。
【００２７】
ダミーブロックカバー１３は、ステム取手２を手動にて投入口１よりバイオマス堆肥を押し込む際に、スプリング室内（ダミーブロック１１、ステム３の部分）に入り込まないようにするために設置される。すなわち、スプリング１４が異常なく働くためにダミーブロックカバー１３に因って乾燥堆肥、その他の物がステム３とスプリング１４の空間に入り込まない構造となっている。
【００２８】
また、ダミーブロック１１の外側面には、オイルシーリング１２が設けられている。
オイルシーリング１２は、潤滑油をフェルトシーリングに滲み込ませてビレット内壁シリンダーとの摩擦抵抗を減らし、尚且つ圧縮密度を高めることを目的として設置される。これによって潤滑性能を上げて、シリンダー内気密を高める効果を得ることができる。
【００２９】
ダイス孔７は鋼鉄製ですり鉢形状を有し、筒型シリンダーの片方の口の中央に設けられている。ダイス孔の大きさは適宜設定することができる（例えば、直径４〜６ｍｍ程度）。
【００３０】
ジャッキアップ５は油圧手動となっており、ダイス孔７に対向する片方の口のスライドしない不動アジャスト蓋１５部分と、前項のダミーブロック１１との両端に前項のスプリング１４が固定されている。そして、スプリング１４の弾性力によって常にスライド可能なダミーブロック１１とシリンダー１０内壁の接触先端は、乾燥堆肥投入口１が全開放された定位置に自動的に戻され、連続作業が出来るようになっている。
【００３１】
ジャッキアップ５の圧力は、例えば、持ち上げる力としての横置き５トン、縦置き１０トンであるために、縦・横置きともに使用できるように設計された構造システム・機械である。
【００３２】
図３及び４に示すペレット製造機１００Ｂにより、以下の手順によりバイオマス堆肥ペレットを得ることができる。
【００３３】
先ず、上記で得た無定形の乾燥堆肥（例えば、４５０ｃｃ程度）をバイオマス堆肥投入口１から投入する。
【００３４】
次いで、図３、４中、ビレット押込用取手２を、例えば２０〜２５ｍｍ程度、図中左方向に押込むことにより、バイオマス堆肥投入口１が閉じ、投入されたバイオマス堆肥がコンテナ６内部の左側に押し詰められる。
【００３５】
なお、図４に示すように、スライド可能なダミーブロック１１とステム３は引っ張りスプリング１４に固定されており、引っ張りスプリング１４はスライドしないアジャスト蓋１５に固定されているが、引っ張りスプリングの伸びを適度に調節することで、ビレット押込用取手２は、図中左方向に２０〜２５ｍｍ程度は、手動で動かすことができるようになっている、また、ビレット押込用取手２を放せば、自動的に引っ張りスプリング１４の弾性力と衝撃を加えると撓み力の２倍になって跳ね返ることにより、堆肥投入口１が全開放された元の位置に戻るようにすることもできる。これによって、乾燥堆肥を投入する作業を連続的に行うことができる。
【００３６】
再度、ビレット押込用取手２を５〜２０ｍｍ程度、図中左方向に数回手で以て叩き押込むことにより、撓み力の２倍に跳ね返りながらバイオマス堆肥投入口１が閉じ、投入されたバイオマス堆肥がコンテナ６内部の左側に押し詰められる、この作業を繰り返すことにより、コンテナ６内部において、バイオマス堆肥をビレット状態とすることができる。
【００３７】
次いで、ジャッキ手動ハンドル４を、図３中矢印方向に倒すことにより、ステム３とダミーブロック１３を通して油圧手動ジャッキ５の高圧力にて、シリンダー１０内のバイオマス堆肥が図中左方向に押し込まれ、乾燥堆肥のペレットがダイス孔７から押し出される。
【００３８】
ダイス孔７よりバイオマス堆肥ペレットが押し出された後は、ジャッキアップ５のエア抜き９を開放することにより、引っ張りスプリング１４の弾性力によって、ジャッキアップ５が元の状態に戻る。
【００３９】
そして、バイオマス堆肥をシリンダー１０内に充填し、再度ジャッキ手動ハンドル４を下方に倒すことにより、バイマス堆肥をビレット状態としたのち、ダイス孔７からバイオマス堆肥のペレットを取り出すことができる、
これらの操作を繰り返すことにより、バイオマス堆肥のペレットを連続的に製造することができる、
本考案に関連して、特許証登録内容にも、前記内容の自家製の高密度グリーンなバイオマスペレット燃料の製造方法が登録されている。
【先行技術文献】
【特許文献】
【００４０】
【特許文献１】特許第４７４６７０５号
【発明の概要】
【００４１】
かくして本発明によれば、下記（１）〜（４）の前記ペレット製造装置で作られたペレットを用いる家庭バイオマスペレット燃料用の耐震装置・火消し蓋付き壺兼用熱源順応かまど・下記（５）の前記ペレット製造装置で作られたペレットを用いるストーブ放熱熱源組込み機装置・下記（６）の前記ペレット製造装置で作られたペレットを用いる冷暖房空調機装置・下記（７）の前記ペレット製造装置で作られたペレットを用いた熱量をかつようする床冷暖房・給湯機装置・下記(８)の前記ペレット製造装置で作られたペレットを用いた高温・高圧蒸気を高速回転に変換する自家発電機装置・下記（９）の前記ペレット製造装置で作られたペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。  
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。  
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【発明が解決しようとする課題】
【００４２】
本発明の第３は、家庭生ゴミ等の処理は、各市町村において苦慮している社会的問題（経済・環境等々課題）であるが、全てが大型プラント化しているために、非経済的で、むしろ環境破壊に繋がりかねない、
そこで、本発明は、かかる実情に鑑みてなされたものであり、家庭で発生する生ゴミ、落ち葉、大鋸屑、雑草、新聞紙、雑誌等のバイオマスを、各家庭毎に、安全に、簡易に、年間を通して安定的に、乾燥堆肥・ペレットにすることができる前記バイオマス堆肥燃料ペレット自家製造装置を提供することを目的としいるので、
上述した実情に鑑みてなされたものであり、より環境にやさしく、どこにでも移設・順応出来る簡単・単純な耐震装置・火消し蓋付き壺と熱源かまどが、一体的で、安全なマルチな熱源順応装置である前記バイオマス堆肥燃料ペレット自家製造装置で作られた燃料ペレットを用いた、家庭バイオマスペレット燃料用の耐震装置・火消し蓋付き壺兼用熱源順応かまどおよびポリプロピレンを原料としたものを穴空き金属製ペレット状カプセルに収納させた着火装置・ストーブ放熱熱源組込・床及び空調冷暖房・給湯・発電機装置を提供することを目的とする。
【課題を解決するための手段】
【００４３】
本発明の第４は、上記課題を解決すべく鋭意研究した結果、バイオマス堆肥製造機と、ペレット製造機とで構成されてなる前記バイオマス堆肥燃料ペレット自家製造装置であって、前記ペレット製造機が、投入されたバイオマス堆肥がビレット状態で保持可能なシリンダ状の内部空間を有するコンテナと、バイオマス堆肥が投入される投入口と、圧力によりペレットが押し出されるダイス孔と、ピストン状のステムと、前記ステムを前記コンテナ内に押し入れ、前記コンテナ内のビレット状態のバイオマス堆肥を圧縮して前記ダイス孔からペレット状に押し出すジャッキアップとを有するものである、前記バイオマス堆肥ペレット自家製造装置を用いると、各家庭毎に、家庭で発生する生ゴミ等のバイオマスから、年間を通して安定的に、安全に、簡易に、安価に、グリーンに、乾燥堆肥・燃料ペレットをつくることができることを見出し、本発明を完成させるに至り、本発明者は、上記課題を解決すべく鋭意検討した結果、費用対効果があって、環境に優しい家庭バイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、前記バイオマス堆肥燃料ペレット自家製造装置で作られたペレット燃料を用いたストーブで直接に、そして、複合的に、ボイラー・蒸気タービン駆動の自家発電気で以って前記旧来の化石・電気エネルギーに代えられる物とするため  直接に、複合的順応マルチかまどである家庭バイオマスペレット熱源用の耐震装置・火消し蓋付き壺兼用熱源順応かまどを考案した。
【００４４】
（９）前記（１）〜（４）のいずれかに記載の前記バイオマス堆肥燃料ペレット自家製造装で作られたペレット燃料を用いた家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（５４）の目皿に投入燃焼１回分のバイオマスペレット燃料をボイラー（４２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止されても前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、バイオマスペレット燃料を投入して燃焼が開始すれば、前記エネルギー燃焼同様に持続的エネルギー供給して、（４２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（００４０）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供されるバイオマス堆肥燃料ペレット自家製造装置で造られたペレットを用いた、家庭バイオマスペレット燃料の耐震装置・火消し蓋付き壺兼用熱源順応かまどエネルギーの前記（１）〜（８）のエネルギー持続供給可能な各種変換増大化装置。
【発明の効果】
【００４５】
本発明の前記バイオマス堆肥燃料ペレット自家製造装置によれば、家庭で発生する生ゴ
ミ等のバイオマスから、家庭毎に乾燥堆肥ペレットを簡易に安全に安価に製造することが
できることから、既存化石燃料等に頼らない国内自給自足できる、本発明のバイオマス堆
肥燃料ペレット自家製造装置は、ゴミの減量化、環境保護に役立つものである、
本発明のバイオマス堆肥燃料ペレット自家製造装置は、単純・簡易な構造にして、リーズナブルな低廉価格なものである、
前記のように一極集中的大型プラントでないセパレート家庭単位毎の前記バイオマス堆肥燃料ペレット自家製造装置で作られたペレット燃料が、複合増大化装置は、ミニプラントであって、対既存化石・電気エネルギーに与しない、費用対効果の高いグリーンなバイオマスペレット燃料・蒸気エネルギーとによるボイラー蒸気  タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭の生ゴミを産業廃棄物化せずに、前記バイオマス堆肥燃料ペレット自家製造装置で造られたペレットを用いた、家庭バイオマスペレット燃料の耐震装置・火消し蓋付き壺兼用熱源順応かまど燃焼１回分エネルギーを１容量として同時発生的に使用することで、エネルギー複数容量に増大化・費用対効果を持続的に望めるマルチタイプの熱源かまどである家庭バイオマスペレット燃料用の耐震装置・火消し蓋付き壺兼用熱源順応かまど・各種変換増大化装置を考案したのである。
【図面の簡単な説明】
【００４６】
【図１】本発明の家庭用バイオマス堆肥ペレット製造装置の図である。（ａ）は正面図、（ｂ）は平面図である。
【図２】本発明の家庭用バイオマス堆肥ペレット製造装置のバイオマス堆肥製造機部分の側面図である。
【図３】本発明の家庭用バイオマス堆肥ペレット製造装置のペレット製造機部分の正面図である。
【図４】本発明の家庭用バイオマス堆肥ペレット製造装置のペレット製造機の図３のシリンダー部分の中心Ａ−Ａの断面図である。
【図５】本発明の耐震装置・火消し蓋付き壺兼用熱源順応かまどの平面図である。
【図６】本発明の耐震装置・火消し蓋付き壺兼用熱源順応かまどの正面図である。
【図７】本発明の耐震装置・火消し蓋付き壺兼用熱源順応かまどの踏み台を外した状態A-A” 側断面図である。
【図８】本発明の耐震装置・火消し蓋付き壺兼用熱源順応かまどの踏み台を踏んだ状態のA-A”側断面図である。
【図９】本発明のストーブの耐震装置・火消し蓋付き壺兼用熱源順応かまど組込の正面図である。
【図１０】本発明のストーブの耐震装置・火消し蓋付き壺兼用熱源順応かまど組込の側面図である。
【図１１】本発明のエネルギー複合化・増大・保持・持続発電システム実施例を示す図である。
【発明を実施するための形態】
【００４７】
以下、本発明の前記バイオマス堆肥燃料ペレット自家製造装置を詳細に説明するは、バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、投入されたバイオマス堆肥がビレット状態で保持可能なシリンダー状の内部空間を有するコンテナと、前記コンテナの上側面部に設けられたバイオマス堆肥が投入される投入口と、
前記コンテナの一端に設けられた、圧力によりペレットが押し出されるダイス孔と、
前記ダイス孔に対向する他の一端側から前記コンテナ内に押し入れ可能で、投入されたバイオマス堆肥をコンテナ内にビレット状態に押し詰めるピストン状のステムと、
前記ステムを前記コンテナ内に押し入れ、前記コンテナ内のビレット状態のバイオマス堆肥を圧縮して前記ダイス孔からペレット状に押し出すジャッキアップとを有することを特徴として、グリーンな前記バイオマス堆肥燃料ペレット自家製造装置で造られたペレットを用いた、家庭バイオマスペレット燃料用の耐震装置・火消し蓋付き壺兼用熱源順応かまどには、複合的マルチタイプの単体移設型システム内容が求められている。本考案の家庭バイオマスペレット燃料用の耐震装置・火消し蓋付き壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫が家庭バイオマスペレット燃料用の耐震装置・火消し蓋付き壺兼用熱源順応かまどである。
【００４８】
本発明に用いる燃料ペレットは特に制限されず、しかしながら、ダイオキシンや重金属の除去されていないものや、余分なものが混在している、例えば、放射能をかぶったバイオマスの除洗が出来ていないものは制限されるが、それらに対して（００４０）特許登録のペレット燃料及び同様に、本特願のペレットは、全てを満たしているから制限されないが、そのように満たされずに制限されないとすれば、寧ろ、環境用途・防衛的には、コークスは、バイオマスの使用量を超えない比較バランス範囲内であれば、好ましいのである。
【００４９】
以下、添付図面符号に従って一実施例を説明する、
図７・８は、本発明の家庭バイオマスペレット燃料用の耐震装置・火消し蓋付き壺兼用熱源順応かまどの実施例を示す正面図６の断面図である、
図７・８中、（５１）は、ストーブ用耐熱珪藻土かまど、（５４）は、バイオマスペレット燃料置き空気孔付き受皿、（５５）、は、かまど空気調整開閉調整口、（６２）は、火消し用落し蓋アジャスター継ぎ手、（６３）は、火消し用落し蓋アジャスター踏み台、（６４）は、火消し用落し蓋アジャスト重量（目皿・火消し蓋・（５４）の燃料より重い）継ぎ手鋳物棒、（６５）は、（６７）継ぎ手と一体構造の鋳物製目皿、（６６）は、（６３）の踏み台の補助取手、（６７）は、火消蓋・目皿自在継ぎ手（一体構造の目皿と継ぎ手・火消し蓋の支点のアジャスターの丁番（７３）にて、シーソー・上下降する）、（６８）は、目皿・火消し蓋アジャスター、（６９）は、火消し蓋（（７２）の目皿の自在取付具によって用をなして、それまでは単なる自在蓋であるが、（６８）のアジャスターの真下に位置して（７１）の火消し壺内を密閉する。）、（７０）は、火消し蓋アジャスター継ぎ手支点、（７１）は、火消し壺・かまど、（７２）は、目皿の火消し蓋自在取付具で、（７９）の自在解除具を併せ持つ、（７３）は、鋳物製目皿（６５）と火消し蓋・目皿自在継ぎ手(６７）との継ぎ手丁番である、
図７において、鋳物製目皿（６５）は、鋳物製目皿（６５）と火消し蓋・目皿自在継ぎ手(６７）と目皿と継ぎ手・火消し蓋の支点のアジャスターの丁番（７３）において回動自在に取り付けられており、通常は、（６５）の鋳物製目皿、（６９）の火消し用落し蓋と、（５４）の燃料の総重量より重い継ぎ手鋳物棒（６４）の重力により、火消し蓋・目皿自在継ぎ手（６７）に図中下方向に力が働くことで、鋳物製目皿（６５）は、目皿・火消し蓋アジャスター（６８）よりくり抜かれた形が正確にはまり込む（目皿の枠内定位置）ことで、（７２）の取付具によって（６９）の火消し蓋が（６８）のアジャスターの真下にくるように固定されている。
【００５０】
図７・８に示す家庭バイオマスペレット燃料用の耐震装置・火消し蓋付き壺兼用熱源順応かまどは、バイオマスペレット燃料をバイオマスペレット燃料置き空気孔付き受皿（５４）内に入れ、（６９）の火消し蓋を（７２）の自在取付具より放すに、（６５）の目皿の隙間から軽く叩き落とすか、（７２）の取付具を解放して（７１）火消し壺・かまど内に落とし、（５５）のかまどの空気調整口を開けて、そこでバイオマスペレット燃料を燃焼させる装置である。
【００５１】
また、使用を中断したい場合等においては、以下のように、（７９）のストッパーを外してから、又は、耐震装置（７７）の金属ボールが、自在解除具（７２）を作動して、（７９）のストッパーが外れて、燃焼中のバイオマスペレット燃料を火消し壺（７１）中に落とし、消火することができる、すなわち、火消し用落し蓋アジャスター踏み台（６３）を足で踏むことによるか、耐震装置（７７）により、（６５）の目皿、（６８）の火消し用落し蓋、（５４）の中身の燃料の合計重量より（６４）の鋳・鉄棒の重量は、重いか、又は、尚更に合計重量に加えて、（７７）の金属ボールの移動落下荷重によって一時的に２倍まで重くなる耐震装置の金属ボール（７７）との合計により重くなった分、逆に軽くなる継手鋳・鉄棒（６４）が、図中、前記の何れかによって上方向に移動し、火消し用落し蓋アジャスター継ぎ手（６２）及び火消し蓋・目皿自在継ぎ手（６７）が、図中、上方向に移動すると、目皿・火消し蓋アジャスター（６８）の真下にくるように固定されていた鋳物製目皿（６５）は、目皿と継ぎ手・火消し蓋の支点のアジャスターの丁番（７３）において下方向に回転して、図８に示す状態になる、したがって、バイオマスペレット燃料置き空気孔付き受け皿（５４）内の燃料ペレットが火消壺内に落下して、燃料と（７７）の金属ボールの落下荷重が元に戻った重量合計の軽くなった分、重量を上回った継手鋳・鉄棒（６４）の重力にて、継手（６２）と下方向に移動して、継手（６７）と一体構造の（６５）は丁番（７３）においてシーソー回転上降して、（６５）は（７２）によって火消し蓋（６８）をとらえた状態にて、（５５）の空気開閉調整口を締めれば、密封した状態となり、火消し壺内は酸素不足の状態になっている為、消火がおこなわれる、この状態を、前記（００４６）図７のこと・図７でより詳細に説明する。
【００５２】
図７において、火消用落し蓋アジャスター踏み台（６３）から足を離すと、火消用落し蓋アジャスト重量（目皿より重い）継ぎ手鋳物棒（６４）が、図中、重力により下方向に移動し、火消用落し蓋アジャスター継ぎ手（６２）及び火消蓋・目皿自在継ぎ手（２７）が、図中、（６７）・（６５）の一体構造が（７３）の丁番を支点にシーソー下方向に移動することで、鋳物製目皿（６５）と（７２）の火消蓋の目皿自在取付具は、目皿・火消蓋アジャスター（６８）の枠内定位置・真下に固定されて、尚更に、より安全確保のために（７９）の安全ストッパーを掛けて、（５５）の空気開閉調整口を閉めると消火出来て、前記（５５）の調整口を開けて火消し蓋（６９）を（７１）内に落とせば、着火燃焼出来る。
【００５３】
また、火消し壺（７１）内に落下し、消火されたバイオマスペレット燃料は、再利用することができる、前記（００４７）の特許文献並びに前記バイオマス堆肥燃料ペレット自家製造装置で造られたペレットを含めた燃料ペレットは、高密度・燃焼の、着火し難いので、ポリプロピレンを原料としたものを穴空き金属製ペレット状カプセルに収納させた着火装置を使用することが好ましい。
【００５４】
本発明の第５は、本考案の家庭バイオマスペレット燃料用の耐震装置・火消し蓋付き壺兼用熱源順応かまどを熱源として利用する前記ストーブ放熱熱源組込機である、本考案のストーブ放熱熱源組込機の正・側面図を図９、１０に示す、また、図９、１０中、（４１）は、家庭バイオマスペレット燃料用の耐震装置・火消し蓋付き壺兼用熱源順応かまど、（５４）は、バイオマスペレット燃料置き空気孔付き受皿、（７４）は、ストーブ煙突、（７５）は、薪ストーブ窓、（７６）は、ストーブ灰皿受けであるので、薪を燃やし入れたいときには、前記の家庭バイオマスペレット燃料用の耐震装置・火消し蓋付き壺兼用熱源順応かまどをストーブから取り出して、（５２）のアジャストを設ければ、薪ストーブになる。
【００５５】
本発明の第６は、本考案の前記バイオマスペレット燃料用の耐震装置・火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記自家発電機で発生した電気によって、一つ目は、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（４２）の内蔵センサー付き高出力電気ヒーターによって、エネルギー供給が、複合・持続されて、余剰電気は、分配・売電出来て、二つ目は、（５０）の電力変換装置より電気をバッテリーに各別充電して、尚且つ電力変換装置を経て各別電源に変換して自己完結的に利用できる自家発電機装置であり、駆動サポートする冷暖房空調機とを備える、発電機・冷暖房空調装置である。
【００５６】
本発明の発電・冷暖房空調機装置の模式図を図１１に示す、図中、家庭バイオマスペレット燃料用の耐震装置・火消し蓋付き壺兼用熱源順応かまど（１）で発生した熱により、ボイラー（４２）に収容された液体（沸点調性剤使用も可）を沸騰させ、高温、高圧蒸気により  蒸気タービン（４３）を高速回転して高出力発電をおこし、得られた電気により、各別電源として用いる自家発電機装置であり、余力各別電気は、（４２）の内蔵ヒーター作動時も共に持続複合化使用可能にして、充電・売電し、尚且つ保温庫を以って給湯・床・空調冷暖房をも十二分にサポートして行う装置であり、図１１中、（４１）は、前記家庭バイオマスペレット燃料用の耐震装置・火消し蓋付き壺兼用熱源順応かまど、（４２）は、ボイラー、（４３）は、蒸気タービン、（４４）は、発電機、（４５）は熱交換器、（４６）は、電気モーター（電力は自己完結方式）、（４７）は、循環ポンプ、（４８）は、発電余力電力の充電用安全機、（４９）は、充電器  、（５０）は、電力変換機装置である。
【符号の説明】
【００５７】
１・・バイオマス堆肥搬入口
２・・ビレット押込用ステム取手
３・・ステム
４・・ジャッキ手動ハンドル
５・・ジャッキアップ
６・・コンテナ
７・・ダイス孔
８・・ジャッキ止めコンテナ金具
９・・ジャッキアップのエア抜き
１０・・シリンダー
１１・・ダミーブロック
１２・・オイルシーリング
１３・・ダミーブロックカバー
１４・・スプリング
１５・・蓋アジャスト
１６・・バイオマス粉砕機
２０・・生ゴミ・バイオマス粉砕投入口
２１・・水道水差込口
２２・・水道蛇口
２３・・水道水ホース簡易繋器
２４・・デイスポーザー排出口
２５・・粉砕バイオマス受け皿
２６・・ハンドル付回転式攪拌器付出し入れ可能な発酵機及び発酵外容器（攪拌器付発酵機）
２７・・ハンドル付回転式攪拌容器
２８・・ハンドル付回転式攪拌器付出し入れ可能な熟成・乾燥発酵器（乾燥発酵器）
２９・・ペレット製造機
３０・・テーブル
３１・・空気穴
３２乃至４０は空欄
４１・・・家庭バイオマスペレット燃料用の耐震装置・火消し蓋付き壺兼用熱源順応かまど
４２・・・ボイラー（温度センサー付き自己完結型電気ヒーター・切換機装置内蔵）
４３・・・蒸気タービン
４４・・・自家発電機
４５・・・熱交換器
４６・・・電気モーター（電力は自己完結方式）
４７・・・循環ポンプ
４８・・・発電気の電力変換機装置と充電機の安全機
４９・・・充電器
５０・・正弦波長・電力変換装置
５１・・ストーブ用の耐熱珪藻土かまど
５２・・アジャスト薪空気孔付き受け皿（薪を用いる場合のストーブ用部材。）
５３・・前記１の火消開閉蓋（取換用部品。）
５４・・バイオマスペレット燃料置き空気孔付き受皿（６８と一体構造の鋳物）
５５・・かまど空気開閉調整口（引き違い戸かはめ込み栓方式の何れか。）
５６・・アジャスト空気孔筒伸縮調性蛇腹（内気導入を止めて、外気導入時の備品）
５７・・スチール着火カプセル（ポリプロピレン金属製発火口付カプセル）
５８・・ストーブ（（４１）の放熱熱源組込機装置）
５９・・モーター・除湿調性用ヒーター付き送風ファン
６０・・冷媒機（熱交換器に繋がった保温庫につながる）
６１・・モーター付き圧縮ポンプ（冷暖切換機付き）
６２・・火消し用落し蓋アジャスター継ぎ手
６３・・火消し用落し蓋アジャスター踏み台
６４・・火消し用落し蓋アジャスト重量（目皿＋火消し蓋＋（５４）の燃料合計より重い。）継ぎ手鋳・鉄棒
６５・・６７継ぎ手と一体構造の鋳物製目皿（（６８）のアジャスターを目皿の型に刳り抜いた形体）
６６・・踏み台の補助取っ手
６７・・火消蓋・目皿自在継ぎ手（６８）アジャスターの丁番（７３）を支点に上下降する）
６８・・目皿・火消し蓋アジャスター・フェンダー（１４）・（２７）と同質の鋳物で（１４）と一体構造）
６９・・火消蓋（（７２）取付具によって（６５）の目皿と一体化出来、それまでは落蓋。）
７０・・火消蓋アジャスター継ぎ手支点
７１・・火消し壺・かまど（珪藻土。）
７２・・目皿の火消蓋自在取付具（（７９）の作動自在解除具併せ持つ、（７９）のストッパーを外す）
７３・・目皿と継ぎ手・火消蓋の支点のアジャスターの丁番
７４・・ストーブ煙突
７５・・薪ストーブ窓
７６・・ストーブ灰皿受け
７７・・耐震装置金属ボールの（７２）解除具に金属ボールが転がり衝突作動
７８・・外壁ステンレス板（珪藻土外壁強化材）
７９・・安全ストッパー（６９の火消し蓋が動かぬ様に固定化、（７７）の（７２）によって外れる）
８０・・保温庫（熱交換器に繋がる二重構造の配管放熱螺旋形パイプ保温庫内蔵と、保温庫の熱湯給湯・床暖・熱湯保温し（床暖引込口・パイプ等埋設設備複数予備パイプライン・ジョイントあり、）、冷媒機に接続される）
８１・・ヒーター（湿度調整）（５９）のヒーターに同じ
８２・・（５１）の保護鋳物フェンダー（（６８）のフェンダーと同じ働き）
【図１】
2013121907.tif 000003
【図２】
2013121907.tif 000004
【図３】
2013121907.tif 000005
【図４】
2013121907.tif 000006
【図５】
2013121907.tif 000007
【図６】
2013121907.tif 000008
【図７】
2013121907.tif 000009
【図８】
2013121907.tif 000010
【図９】
2013121907.tif 000011
【図１０】
2013121907.tif 000012
【図１１】
2013121907.tif 000013
【手続補正書】
【提出日】平成24年4月25日(2012.4.25)
【手続補正１】
【補正対象書類名】明細書
【補正対象項目名】０００２
【補正方法】変更
【補正の内容】
【０００２】
前記ペレット類等を燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、従来、ゴミの減量化、エコロジー等を目的として、家庭で発生する生ゴミ等のバイオマスを発酵させて無定形のバイオマス堆肥としては、種々のものが知られている、しかしながら、従来の堆肥製造機は装置が大掛かりで、かつ、システムが複雑過ぎて内容的に難しく、各家庭で用いるには高価であり、取り扱いが難しく、しかも維持費もかかりすぎるという問題がありながら、ペレット化して燃料・肥料源として用いることが注目されていて、家庭ゴミを産業廃棄物化しない装置で、より費用対効果ある家庭単位のセパレート化が希求されていて、尚更に、前記バイオマス堆肥燃料ペレット自家製造装置で作られた燃料ペレットを用いた前記家庭バイオマスペレット燃料用の耐震装置・火消し蓋付き壺兼用熱源順応かまどを熱源とする各種複合化機械装置を同時に使用することで以って、エネルギーの複合・増大・持続した高出力電気エネルギーに変換することで費用対効果が大いに希求期待されるのである。
【手続補正２】
【補正対象書類名】明細書
【補正対象項目名】０００４
【補正方法】変更
【補正の内容】
【０００４】
一方、無定形のバイオマス堆肥のペレット化は、従来、木材大鋸屑のノンロースト・ローストペレット製造機等、主として各自治体の大型プラント工場に設置されたペレット製造機により行われている、このようなペレット製造機は、比較的小型のものでも価格が数百万円と高価であり、個人、家庭単位で購入することは困難である、また、このような大型プラントに設置されたペレット製造機を用いたのでは、ペレット製造過程、商品燃焼使用時にダイオキシンが発生する等の環境破壊がなされ、本末転倒となる場合もある。
【手続補正３】
【補正対象書類名】明細書
【補正対象項目名】００１７
【補正方法】変更
【補正の内容】
【００１７】
発酵を開始させるには、攪拌器付発酵器２６の容量７分目までの場合には、消石灰を堆肥容量の１．０％〜１．５％投入攪拌することにより、アンモニアと水と塩化カリウムに分解されるものと考えられることから、塩化カリウムの化学反応による発熱温度が発酵を促進して行う、
攪拌器付発酵器２６の容量７分目より多くなってからの温度調整は、砂糖（低温時温度上昇）と塩（高温時温度下降）を用いることにより行う、
なお、一旦発酵が開始すれば、その後は、粉砕バイオマスを投入するだけで、腐葉土をほとんど投入する必要はない。あたかも漬物のぬか床のごとくである。
【手続補正４】
【補正対象書類名】明細書
【補正対象項目名】００３９
【補正方法】変更
【補正の内容】
【００３９】
そして、バイオマス堆肥をシリンダー１０内に充填し、再度ジャッキ手動ハンドル４を下方に倒すことにより、バイマス堆肥をビレット状態としたのち、ダイス孔７からバイオマス堆肥のペレットを取り出すことができる、
これらの操作を繰り返すことにより、バイオマス堆肥のペレットを連続的に製造することができる、
本発明に関連して、特許証登録内容にも、前記内容の自家製の高密度グリーンなバイオマスペレット燃料の製造方法が登録されている。
【手続補正５】
【補正対象書類名】明細書
【補正対象項目名】００４１
【補正方法】変更
【補正の内容】
【００４１】
かくして本発明によれば、下記（１）〜（４）の前記ペレット製造装置で作られたペレットを用いる家庭バイオマスペレット燃料用の耐震装置・火消し蓋付き壺兼用熱源順応かまど・下記（５）の前記ペレット製造装置で作られたペレットを用いるストーブ放熱熱源組込み機装置・下記（６）の前記ペレット製造装置で作られたペレットを用いる冷暖房空調機装置・下記（７）の前記ペレット製造装置で作られたペレットを用いた熱量を活用する床冷暖房・給湯機装置・下記(８)の前記ペレット製造装置で作られたペレットを用いた高温・高圧蒸気を高速回転に変換する自家発電機装置・下記（９）の前記ペレット製造装置で作られたペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。  
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。  
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正６】
【補正対象書類名】明細書
【補正対象項目名】００４２
【補正方法】変更
【補正の内容】
【００４２】
本発明の第３は、家庭生ゴミ等の処理は、各市町村において苦慮している社会的問題（経済・環境等々課題）であるが、全てが大型プラント化しているために、非経済的で、むしろ環境破壊に繋がりかねない、
そこで、本発明は、かかる実情に鑑みてなされたものであり、家庭で発生する生ゴミ、落ち葉、大鋸屑、雑草、新聞紙、雑誌等のバイオマスを、各家庭毎に、安全に、簡易に、年間を通して安定的に、乾燥堆肥・ペレットにすることができる前記バイオマス堆肥燃料ペレット自家製造装置を提供することを目的としているので、
上述した実情に鑑みてなされたものであり、より環境にやさしく、どこにでも移設・順応出来る簡単・単純な耐震装置・火消し蓋付き壺と熱源かまどが、一体的で、安全なマルチな熱源順応装置である前記バイオマス堆肥燃料ペレット自家製造装置で作られた燃料ペレットを用いた、家庭バイオマスペレット燃料用の耐震装置・火消し蓋付き壺兼用熱源順応かまどおよびポリプロピレンを原料としたものを穴空き金属製ペレット状カプセルに収納させた着火装置・ストーブ放熱熱源組込・床及び空調冷暖房・給湯・発電機装置を提供することを目的とする。
【手続補正７】
【補正対象書類名】明細書
【補正対象項目名】００４５
【補正方法】変更
【補正の内容】
【００４５】
本発明の前記バイオマス堆肥燃料ペレット自家製造装置によれば、家庭で発生する生ゴミ等のバイオマスから、家庭毎に乾燥堆肥ペレットを簡易に安全に安価に製造することができることから、既存化石燃料等に頼らない国内自給自足できる、本発明のバイオマス堆肥燃料ペレット自家製造装置は、ゴミの減量化、環境保護に役立つものである、
本発明のバイオマス堆肥燃料ペレット自家製造装置は、単純・簡易な構造にして、リーズナブルな低廉価格なものである、
前記のように一極集中的大型プラントでないセパレート家庭単位毎の前記バイオマス堆肥燃料ペレット自家製造装置で作られたペレット燃料が用いられる、複合増大化装置は、ミニプラントであって、対既存化石・電気エネルギーに与しない、費用対効果の高いグリーンなバイオマスペレット燃料・蒸気エネルギーとによるボイラー蒸気  タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭の生ゴミを産業廃棄物化せずに、前記バイオマス堆肥燃料ペレット自家製造装置で造られたペレットを用いた、家庭バイオマスペレット燃料の耐震装置・火消し蓋付き壺兼用熱源順応かまど燃焼１回分エネルギーを１容量として同時発生的に使用することで、エネルギー複数容量に増大化・費用対効果を持続的に望めるマルチタイプの熱源かまどである家庭バイオマスペレット燃料用の耐震装置・火消し蓋付き壺兼用熱源順応かまど・各種変換増大化装置を発明したのである。
【手続補正８】
【補正対象書類名】明細書
【補正対象項目名】００５３
【補正方法】変更
【補正の内容】
【００５３】
また、火消し壺（７１）内に落下し、消火されたバイオマスペレット燃料は、再利用することができる、前記（００４０）の特許文献並びに前記バイオマス堆肥燃料ペレット自家製造装置で造られたペレットを含めた燃料ペレットは、高密度・燃焼の、着火し難いので、ポリプロピレンを原料としたものを穴空き金属製ペレット状カプセルに収納させた着火装置を使用することが好ましい。
【手続補正９】
【補正対象書類名】明細書
【補正対象項目名】００５４
【補正方法】変更
【補正の内容】
【００５４】
本発明の第５は、本発明の家庭バイオマスペレット燃料用の耐震装置・火消し蓋付き壺兼用熱源順応かまどを熱源として利用する前記ストーブ放熱熱源組込機である、本考案のストーブ放熱熱源組込機の正・側面図を図９、１０に示す、また、図９、１０中、（４１）は、家庭バイオマスペレット燃料用の耐震装置・火消し蓋付き壺兼用熱源順応かまど、（５４）は、バイオマスペレット燃料置き空気孔付き受皿、（７４）は、ストーブ煙突、（７５）は、薪ストーブ窓、（７６）は、ストーブ灰皿受けであるので、薪を燃やし入れたいときには、前記の家庭バイオマスペレット燃料用の耐震装置・火消し蓋付き壺兼用熱源順応かまどをストーブから取り出して、（５２）のアジャストを設ければ、薪ストーブになる。
【手続補正１０】
【補正対象書類名】明細書
【補正対象項目名】００５５
【補正方法】変更
【補正の内容】
【００５５】
本発明の第６は、本発明の前記バイオマスペレット燃料用の耐震装置・火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記自家発電機で発生した電気によって、一つ目は、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（４２）の内蔵センサー付き高出力電気ヒーターによって、エネルギー供給が、複合・持続されて、余剰電気は、分配・売電出来て、二つ目は、（５０）の電力変換装置より電気をバッテリーに各別充電して、尚且つ電力変換装置を経て各別電源に変換して自己完結的に利用できる自家発電機装置であり、駆動サポートする冷暖房空調機とを備える、発電機・冷暖房空調装置である。
【手続補正書】
【提出日】平成24年5月8日(2012.5.8)
【手続補正１】
【補正対象書類名】明細書
【補正対象項目名】全文
【補正方法】変更
【補正の内容】
【発明の詳細な説明】
【技術分野】
【０００１】
本発明の第１は、前記バイオマス堆肥燃料ペレット自家製造装置で造られたペレットを用いた専用ボイラーの熱源かまどとしても、又、単独でも料理用かまどとしても、また、前記ストーブ放熱熱源組込み機としての活用も出来て、前記ボイラーで発生した高温・圧蒸気で駆動する、前記蒸気タービン駆動の自家発電機と充電器・電力変換機で各種電源も用意出来て、熱交換器・熱エネルギー保温庫を以って、前記保温庫に繋がる冷媒機と自家発電の電気によって駆動・送風するモーターポンプ・送風機で、給湯・床冷暖・空調冷暖両用となる、前記ペレットを用いた家庭バイオマスペレット燃料用の耐震装置・火消し蓋付き壺兼用熱源順応かまどに関する。
【背景技術】
【０００２】
前記ペレット類等を燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、従来、ゴミの減量化、エコロジー等を目的として、家庭で発生する生ゴミ等のバイオマスを発酵させて無定形のバイオマス堆肥としては、種々のものが知られている、しかしながら、従来の堆肥製造機は装置が大掛かりで、かつ、システムが複雑過ぎて内容的に難しく、各家庭で用いるには高価であり、取り扱いが難しく、しかも維持費もかかりすぎるという問題がありながら、ペレット化して燃料・肥料源として用いることが注目されていて、家庭ゴミを産業廃棄物化しない装置で、より費用対効果ある家庭単位のセパレート化が希求されていて、尚更に、前記バイオマス堆肥燃料ペレット自家製造装置で作られた燃料ペレットを用いた前記家庭バイオマスペレット燃料用の耐震装置・火消し蓋付き壺兼用熱源順応かまどを熱源とする各種複合化機械装置を同時に使用することで以って、エネルギーの複合・増大・持続した高出力電気エネルギーに変換することで費用対効果が大いに希求期待されるのである。
【０００３】
本発明の第２は、前記バイオマス堆肥燃料ペレット自家製造装置で、ペレット燃料を自家製造するために、家庭で発生した生ゴミ等のバイオマスを発酵させて、無定形のバイオマス堆肥を製造するバイオマス堆肥製造機と、該バイオマス堆肥製造機により製造された無定形のバイオマス堆肥からペレット状のバイオマス堆肥燃料とするペレット製造機とで構成されてなる前記バイオマス堆肥燃料ペレット自家製造装置に関する。
【０００４】
一方、無定形のバイオマス堆肥のペレット化は、従来、木材大鋸屑のノンロースト・ローストペレット製造機等、主として各自治体の大型プラント工場に設置されたペレット製造機により行われている、このようなペレット製造機は、比較的小型のものでも価格が数百万円と高価であり、個人、家庭単位で購入することは困難である、また、このような大型プラントに設置されたペレット製造機を用いたのでは、ペレット製造過程、商品燃焼使用時にダイオキシンが発生する等の環境破壊がなされ、本末転倒となる場合もある。
【０００５】
かくして本発明によれば、下記（１）〜（５）の前記バイオマス堆肥燃料ペレット自家製造装置が提供される。
【０００６】
（１）バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、
投入されたバイオマス堆肥がビレット状態で保持可能なシリンダ状の内部空間を有するコンテナと、
前記コンテナの上側面部に設けられたバイオマス堆肥が投入される投入口と、
前記コンテナの一端に設けられた、圧力によりペレットが押し出されるダイス孔と、
前記ダイス孔に対向する他の一端側から前記コンテナ内に押し入れ可能で、投入されたバイオマス堆肥をコンテナ内にビレット状態に押し詰めるピストン状のステムと、
前記ステムを前記コンテナ内に押し入れ、前記コンテナ内のビレット状態のバイオマス堆肥を圧縮して前記ダイス孔からペレット状に押し出すジャッキアップと
を有することを特徴とするバイオマス堆肥燃料ペレット自家製造装置。
【０００７】
（２）前記バイオマス堆肥燃料ペレット自家製造装置は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものである（１）に記載のバイオマス堆肥燃料ペレット自家製造装置。
（３）前記ペレット製造機のコンテナはダイス孔が中央に設けられたすり鉢状の形状を有し、前記ステムの先端には、前記すり鉢状のコンテナの形状に対応する砲弾形状のダミーブロックが設けられ、前記ステムの前記ジャッキアップ側には、バイオマス堆肥をコンテナ内にビレット状態に押し詰めるために前記ステムを前記コンテナ内に出し入れさせる手動の取手が設けられていることを特徴とする（１）又は（２）に記載のバイオマス堆肥燃料ペレット自家製造装置。
（４）前記ペレット製造機のステムは、スプリングを介して前記コンテナに取付けられ、前記取手で前記コンテナ内に押し込んだときにスプリングの弾性力により元の位置に戻るものである（１）〜（３）のいずれかに記載のバイオマス堆肥燃料ペレット自家製造装置。
（５）前記ジャッキアップが、油圧手動式のものであり、ダイス孔よりバイオマス堆肥燃料ペレットが押し出された後、ジャッキアップエア抜きをすることで、前記ステム及びダミーブロックと連動してジャッキアップが、略元の状態に戻るものであり、戻らない時は、引っ張りスプリング１４の弾性力と２の取っ手を手で叩き込み振動を加えれば、撓み力の２倍になって跳ね返ることにより戻る、（４）に記載のバイオマス堆肥燃料ペレット自家製造装置。
【０００８】
ここで、「バイオマス」とは、再生可能な、生物由来の有機性資源で化石資源を除いたもの、つまり、太陽エネルギーと水や土といった自然を使って生物が作り出した様々な資源を意味し、本明細書においては、特に、家庭で発生する生ゴミ、落ち葉、大鋸屑、雑草、新聞紙、雑誌等を指す。
【０００９】
本発明の前記バイオマス堆肥燃料ペレット自家製造装置（以下、単に「ペレット製造装置」ということがある。）の一例を図１に示す。図１中、（ａ）は正面図、（ｂ）は平面図である。
【００１０】
図１に示す堆肥ペレット製造装置１００は、図２に示す、無定形のバイオマス堆肥を製造するバイオマス堆肥製造機１００Ａと、図３に示す、バイオマス堆肥のペレットを製造するペレット製造機１００Ｂとで構成されてなる。
また、ペレット製造機１００Ｂのシリンダー部分の断面図を図４に示す。これらの詳細については、後述する。
【００１１】
図１に示す堆肥ペレット製造装置１００において、バイオマス堆肥製造機１００Ａ及びペレット製造機１００Ｂは、テーブル（３０）上に設置されている。
ペレット製造装置１００によれば、各家庭で発生する生ゴミ等のバイオマスを、バイオマス堆肥製造機１００Ａによりバイオマス堆肥とした後、得られたバイオマス堆肥を、ペレット製造機１００Ｂにより、手動ではあるが、連続的に、バイオマス堆肥ペレットとすることができる。
【００１２】
図１、２に示すバイオマス堆肥製造機１００・１００Ａは、バイオマス粉砕投入口２０、バイオマス粉砕機１６、粉砕バイオマス受け皿２５、ハンドル付回転式攪拌容器２７、ハンドル付回転式攪拌器付出し入れ可能な発酵機及び発酵外容器（以下、単に「攪拌器付発酵機」という。）２６、並びに、ハンドル付回転式攪拌器付出し入れ可能な熟成・乾燥発酵器（以下、単に「乾燥発酵器」という。）２８からなる。なお、１００の図１のa中、２１は水道水差込口、２２は水道蛇口、２３は水道水ホース簡易繋器、２４はディスポーザー排水口、並びに、１００A図２の３１は、空気穴である。
前記攪拌器付発酵機２６は、出し入れ可能な穴開き内箱容器を有する二重構造容器であり、発酵温度を保つことができる。
【００１３】
図２に示すバイオマス堆肥製造機１００Ａにより、以下に述べる手順にてバイオマス堆肥を得ることができる。
バイオマス堆肥製造機は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものであるのが好ましい。
【００１４】
先ず、処理の対象となる生ゴミ等のバイオマスと腐葉土とを、バイオマス粉砕投入口２０に投入し、バイオマス粉砕機１６内で２０ｍｍ以下の大きさに粉砕する。
【００１５】
バイオマス粉砕投入口２０から投入されたバイオマス及び腐葉土は、水道水差込口２１から流入された水と混合され、粉砕・流出され、ディスポーザー排水口２４から排出されて粉砕バイオマス受け皿２５に送られ、水分含有量５０〜８０重量％、好ましくは６０％〜７０％程度（水を絞って手に水分を感じられる状態を目安に、現在の重量計測にて計算する。）となるように水切りされる。
【００１６】
次いで、水切りされた粉砕バイオマス（大鋸屑、新聞紙、雑誌等のバイオマスは紙粘土化した状態となっている。）、及び腐葉土を、攪拌器付発酵器２６中に投入し、ここで十分に発酵させる。例えば、粉砕バイオマスを、攪拌器付発酵器２６中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど十分に発酵させる。
【００１７】
発酵を開始させるには、攪拌器付発酵器２６の容量７分目までの場合には、消石灰を堆肥容量の１．０％〜１．５％投入攪拌することにより、アンモニアと水と塩化カリウムに化学反応分解されて、塩化カリウムによる発熱温度が発酵を促進して行う、
攪拌器付発酵器２６の容量７分目より多くなってからの温度調整は、砂糖（低温時温度上昇）と塩（高温時温度下降）を用いることにより行う、
なお、一旦発酵が開始すれば、その後は、粉砕バイオマスを投入するだけで、腐葉土をほとんど投入する必要はない。あたかも漬物のぬか床のごとくである。
【００１８】
その後、発酵物を、攪拌器付発酵器２６から乾燥発酵器２６を２８中にそのまま移し、乾燥発酵器２８を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【００１９】
なお、発酵時の臭い対策は、攪拌した状況をめどに、天候や臭いの度合いに合わせて、木酢を堆肥容積の２％分水溶液１００ｃｃを入れて調整することにより行うことができる。
【００２０】
次いで、得られた無定形のバイオマス堆肥を、図３に示すペレット製造機１００Ｂにより、ペレット化する。
【００２１】
図１、３に示すペレット製造機１００Ｂは、バイオマス堆肥投入口１、ステム３、ビレット押し込み用取手２、ジャッキ手動ハンドル４、ジャッキアップ５、図示しないシリンダー１０を支えるコンテナ６、及びダイス孔７からなる。
【００２２】
図３、４に示すペレット製造機１００Ｂは、本発明の堆肥ペレット製造装置の連関一部であって、コンテナ６の左側内部にはシリンダー空間を構成するシリンダー１０が設けられており、その右側には、高圧力の手動ジャッキアップ５が設けられている、これを電気式油圧ジャッキアップとすることも好ましい。
【００２３】
コンテナ６は、内部に円筒状の空間を有し、軽量化が必然的に求められるので、強度と材質が重要であり、強度計算を基にハニカム構造とすることが好ましい。
コンテナ６の材質は、使用場所・目的・環境条件に合わせて決定することができる。コンテナ６の材質としては、鋼鉄・アルミニウムが好ましい。
【００２４】
ステム３及びダミーブロック１１は、ジャッキアップ５を挟んで５〜１０トンの圧力をコンテナにて受け止め耐え得る材質（例えば、鋼鉄製、ステンレス製、アルミ合金製など）からできている。
【００２５】
ステム３は、その先端にすり鉢状のコンテナの形状に対応する砲弾形状を有し、高圧力をダミーブロック１１に伝える役割を果たす。ステム３は、ダイス孔に対向する片方の口のスライドしないアジャスト蓋１５部分が不動ネジ式締付アジャストとなって、図中左右に正確にスライド可能となっている。
【００２６】
ビレット押込用取手２、ダミーブロック１１及びステム３は、一体となって同一スライド運動可能にて、撓みのある単体スプリング１４の引っ張り弾性運動はそれに対して常に共用されている。
【００２７】
ダミーブロックカバー１３は、ステム取手２を手動にて投入口１よりバイオマス堆肥を押し込む際に、スプリング室内（ダミーブロック１１、ステム３の部分）に入り込まないようにするために設置される。すなわち、スプリング１４が異常なく働くためにダミーブロックカバー１３に因って乾燥堆肥、その他の物がステム３とスプリング１４の空間に入り込まない構造となっている。
【００２８】
また、ダミーブロック１１の外側面には、オイルシーリング１２が設けられている。
オイルシーリング１２は、潤滑油をフェルトシーリングに滲み込ませてビレット内壁シリンダーとの摩擦抵抗を減らし、尚且つ圧縮密度を高めることを目的として設置される。これによって潤滑性能を上げて、シリンダー内気密を高める効果を得ることができる。
【００２９】
ダイス孔７は鋼鉄製ですり鉢形状を有し、筒型シリンダーの片方の口の中央に設けられている。ダイス孔の大きさは適宜設定することができる（例えば、直径４〜６ｍｍ程度）。
【００３０】
ジャッキアップ５は油圧手動となっており、ダイス孔７に対向する片方の口のスライドしない不動アジャスト蓋１５部分と、前項のダミーブロック１１との両端に前項のスプリング１４が固定されている。そして、スプリング１４の弾性力によって常にスライド可能なダミーブロック１１とシリンダー１０内壁の接触先端は、乾燥堆肥投入口１が全開放された定位置に自動的に戻され、連続作業が出来るようになっている。
【００３１】
ジャッキアップ５の圧力は、例えば、持ち上げる力としての横置き５トン、縦置き１０トンであるために、縦・横置きともに使用できるように設計された構造システム・機械である。
【００３２】
図３及び４に示すペレット製造機１００Ｂにより、以下の手順によりバイオマス堆肥ペレットを得ることができる。
【００３３】
先ず、上記で得た無定形の乾燥堆肥（例えば、４５０ｃｃ程度）をバイオマス堆肥投入口１から投入する。
【００３４】
次いで、図３、４中、ビレット押込用取手２を、例えば２０〜２５ｍｍ程度、図中左方向に押込むことにより、バイオマス堆肥投入口１が閉じ、投入されたバイオマス堆肥がコンテナ６内部の左側に押し詰められる。
【００３５】
なお、図４に示すように、スライド可能なダミーブロック１１とステム３は引っ張りスプリング１４に固定されており、引っ張りスプリング１４はスライドしないアジャスト蓋１５に固定されているが、引っ張りスプリングの伸びを適度に調節することで、ビレット押込用取手２は、図中左方向に２０〜２５ｍｍ程度は、手動で動かすことができるようになっている、また、ビレット押込用取手２を放せば、自動的に引っ張りスプリング１４の弾性力と衝撃を加えると撓み力の２倍になって跳ね返ることにより、堆肥投入口１が全開放された元の位置に戻るようにすることもできる。これによって、乾燥堆肥を投入する作業を連続的に行うことができる。
【００３６】
再度、ビレット押込用取手２を５〜２０ｍｍ程度、図中左方向に数回手で以て叩き押込むことにより、撓み力の２倍に跳ね返りながらバイオマス堆肥投入口１が閉じ、投入されたバイオマス堆肥がコンテナ６内部の左側に押し詰められる、この作業を繰り返すことにより、コンテナ６内部において、バイオマス堆肥をビレット状態とすることができる。
【００３７】
次いで、ジャッキ手動ハンドル４を、図３中矢印方向に倒すことにより、ステム３とダミーブロック１３を通して油圧手動ジャッキ５の高圧力にて、シリンダー１０内のバイオマス堆肥が図中左方向に押し込まれ、乾燥堆肥のペレットがダイス孔７から押し出される。
【００３８】
ダイス孔７よりバイオマス堆肥ペレットが押し出された後は、ジャッキアップ５のエア抜き９を開放することにより、引っ張りスプリング１４の弾性力によって、ジャッキアップ５が元の状態に戻る。
【００３９】
そして、バイオマス堆肥をシリンダー１０内に充填し、再度ジャッキ手動ハンドル４を下方に倒すことにより、バイマス堆肥をビレット状態としたのち、ダイス孔７からバイオマス堆肥のペレットを取り出すことができる、
これらの操作を繰り返すことにより、バイオマス堆肥のペレットを連続的に製造することができる、
本発明に関連して、特許証登録内容にも、前記内容の自家製の高密度グリーンなバイオマスペレット燃料の製造方法が登録されている。
【先行技術文献】
【特許文献】
【００４０】
【特許文献１】特許第４７４６７０５号
【発明の概要】
【００４１】
かくして本発明によれば、下記（１）〜（４）の前記ペレット製造装置で作られたペレットを用いる家庭バイオマスペレット燃料用の耐震装置・火消し蓋付き壺兼用熱源順応かまど・下記（５）の前記ペレット製造装置で作られたペレットを用いるストーブ放熱熱源組込み機装置・下記（６）の前記ペレット製造装置で作られたペレットを用いる冷暖房空調機装置・下記（７）の前記ペレット製造装置で作られたペレットを用いた熱量を活用する床冷暖房・給湯機装置・下記(８)の前記ペレット製造装置で作られたペレットを用いた高温・高圧蒸気を高速回転に変換する自家発電機装置・下記（９）の前記ペレット製造装置で作られたペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。  
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。  
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【発明が解決しようとする課題】
【００４２】
本発明の第３は、家庭生ゴミ等の処理は、各市町村において苦慮している社会的問題（経済・環境等々課題）であるが、全てが大型プラント化しているために、非経済的で、むしろ環境破壊に繋がりかねない、
そこで、本発明は、かかる実情に鑑みてなされたものであり、家庭で発生する生ゴミ、落ち葉、大鋸屑、雑草、新聞紙、雑誌等のバイオマスを、各家庭毎に、安全に、簡易に、年間を通して安定的に、乾燥堆肥・ペレットにすることができる前記バイオマス堆肥燃料ペレット自家製造装置を提供することを目的としているので、
上述した実情に鑑みてなされたものであり、より環境にやさしく、どこにでも移設・順応出来る簡単・単純な耐震装置・火消し蓋付き壺と熱源かまどが、一体的で、安全なマルチな熱源順応装置である前記バイオマス堆肥燃料ペレット自家製造装置で作られた燃料ペレットを用いた、家庭バイオマスペレット燃料用の耐震装置・火消し蓋付き壺兼用熱源順応かまどおよびポリプロピレンを原料としたものを穴空き金属製ペレット状カプセルに収納させた着火装置・ストーブ放熱熱源組込・床及び空調冷暖房・給湯・発電機装置を提供することを目的とする。
【課題を解決するための手段】
【００４３】
本発明の第４は、上記課題を解決すべく鋭意研究した結果、バイオマス堆肥製造機と、ペレット製造機とで構成されてなる前記バイオマス堆肥燃料ペレット自家製造装置であって、前記ペレット製造機が、投入されたバイオマス堆肥がビレット状態で保持可能なシリンダ状の内部空間を有するコンテナと、バイオマス堆肥が投入される投入口と、圧力によりペレットが押し出されるダイス孔と、ピストン状のステムと、前記ステムを前記コンテナ内に押し入れ、前記コンテナ内のビレット状態のバイオマス堆肥を圧縮して前記ダイス孔からペレット状に押し出すジャッキアップとを有するものである、前記バイオマス堆肥ペレット自家製造装置を用いると、各家庭毎に、家庭で発生する生ゴミ等のバイオマスから、年間を通して安定的に、安全に、簡易に、安価に、グリーンに、乾燥堆肥・燃料ペレットをつくることができることを見出し、本発明を完成させるに至り、本発明者は、上記課題を解決すべく鋭意検討した結果、費用対効果があって、環境に優しい家庭バイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、前記バイオマス堆肥燃料ペレット自家製造装置で作られたペレット燃料を用いたストーブで直接に、そして、複合的に、ボイラー・蒸気タービン駆動の自家発電気で以って前記旧来の化石・電気エネルギーに代えられる物とするため  直接に、複合的順応マルチかまどである家庭バイオマスペレット熱源用の耐震装置・火消し蓋付き壺兼用熱源順応かまどを考案した。
【００４４】
（９）前記（１）〜（４）のいずれかに記載の前記バイオマス堆肥燃料ペレット自家製造装で作られたペレット燃料を用いた家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（５４）の目皿に投入燃焼１回分のバイオマスペレット燃料をボイラー（４２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止されても前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、バイオマスペレット燃料を投入して燃焼が開始すれば、前記エネルギー燃焼同様に持続的エネルギー供給して、（４２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（００４０）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供されるバイオマス堆肥燃料ペレット自家製造装置で造られたペレットを用いた、家庭バイオマスペレット燃料の耐震装置・火消し蓋付き壺兼用熱源順応かまどエネルギーの前記（１）〜（８）のエネルギー持続供給可能な各種変換増大化装置。
【発明の効果】
【００４５】
本発明の前記バイオマス堆肥燃料ペレット自家製造装置によれば、家庭で発生する生ゴミ等のバイオマスから、家庭毎に乾燥堆肥ペレットを簡易に安全に安価に製造することができることから、既存化石燃料等に頼らない国内自給自足できる、本発明のバイオマス堆肥燃料ペレット自家製造装置は、ゴミの減量化、環境保護に役立つものである、
本発明のバイオマス堆肥燃料ペレット自家製造装置は、単純・簡易な構造にして、リーズナブルな低廉価格なものである、
前記のように一極集中的大型プラントでないセパレート家庭単位毎の前記バイオマス堆肥燃料ペレット自家製造装置で作られたペレット燃料が用いられる、複合増大化装置は、ミニプラントであって、対既存化石・電気エネルギーに与しない、費用対効果の高いグリーンなバイオマスペレット燃料・蒸気エネルギーとによるボイラー蒸気  タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭の生ゴミを産業廃棄物化せずに、前記バイオマス堆肥燃料ペレット自家製造装置で造られたペレットを用いた、家庭バイオマスペレット燃料の耐震装置・火消し蓋付き壺兼用熱源順応かまど燃焼１回分エネルギーを１容量として同時発生的に使用することで、エネルギー複数容量に増大化・費用対効果を持続的に望めるマルチタイプの熱源かまどである家庭バイオマスペレット燃料用の耐震装置・火消し蓋付き壺兼用熱源順応かまど・各種変換増大化装置を考案したのである。
【図面の簡単な説明】
【００４６】
【図１】本発明の家庭用バイオマス堆肥ペレット製造装置の図である。（ａ）は正面図、（ｂ）は平面図である。
【図２】本発明の家庭用バイオマス堆肥ペレット製造装置のバイオマス堆肥製造機部分の側面図である。
【図３】本発明の家庭用バイオマス堆肥ペレット製造装置のペレット製造機部分の正面図である。
【図４】本発明の家庭用バイオマス堆肥ペレット製造装置のペレット製造機の図３のシリンダー部分の中心Ａ−Ａの断面図である。
【図５】本発明の耐震装置・火消し蓋付き壺兼用熱源順応かまどの平面図である。      
【図６】本発明の耐震装置・火消し蓋付き壺兼用熱源順応かまどの正面図である。      
【図７】本発明の耐震装置・火消し蓋付き壺兼用熱源順応かまどの踏み台を外した状態A-A” 側断面図である。
【図８】本発明の耐震装置・火消し蓋付き壺兼用熱源順応かまどの踏み台を踏んだ状態のA-A”側断面図である。
【図９】本発明のストーブの耐震装置・火消し蓋付き壺兼用熱源順応かまど組込の正面図である。
【図１０】本発明のストーブの耐震装置・火消し蓋付き壺兼用熱源順応かまど組込の側面図である。
【図１１】本発明のエネルギー複合化・増大・保持・持続発電システム実施例を示す図である。
【発明を実施するための形態】
【００４７】
以下、本発明の前記バイオマス堆肥燃料ペレット自家製造装置を詳細に説明するは、バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、投入されたバイオマス堆肥がビレット状態で保持可能なシリンダー状の内部空間を有するコンテナと、前記コンテナの上側面部に設けられたバイオマス堆肥が投入される投入口と、
前記コンテナの一端に設けられた、圧力によりペレットが押し出されるダイス孔と、
前記ダイス孔に対向する他の一端側から前記コンテナ内に押し入れ可能で、投入されたバイオマス堆肥をコンテナ内にビレット状態に押し詰めるピストン状のステムと、
前記ステムを前記コンテナ内に押し入れ、前記コンテナ内のビレット状態のバイオマス堆肥を圧縮して前記ダイス孔からペレット状に押し出すジャッキアップとを有することを特徴として、グリーンな前記バイオマス堆肥燃料ペレット自家製造装置で造られたペレットを用いた、家庭バイオマスペレット燃料用の耐震装置・火消し蓋付き壺兼用熱源順応かまどには、複合的マルチタイプの単体移設型システム内容が求められている。本考案の家庭バイオマスペレット燃料用の耐震装置・火消し蓋付き壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫が家庭バイオマスペレット燃料用の耐震装置・火消し蓋付き壺兼用熱源順応かまどである。
【００４８】
本発明に用いる燃料ペレットは特に制限されず、しかしながら、ダイオキシンや重金属の除去されていないものや、余分なものが混在している、例えば、放射能をかぶったバイオマスの除洗が出来ていないものは制限されるが、それらに対して（００４０）特許登録のペレット燃料及び同様に、本特願のペレットは、全てを満たしているから制限されないが、そのように満たされずに制限されないとすれば、寧ろ、環境用途・防衛的には、コークスは、バイオマスの使用量を超えない比較バランス範囲内であれば、好ましいのである。
【００４９】
以下、添付図面符号に従って一実施例を説明する、
図７・８は、本発明の家庭バイオマスペレット燃料用の耐震装置・火消し蓋付き壺兼用熱源順応かまどの実施例を示す正面図６の断面図である、
図７・８中、（５１）は、ストーブ用耐熱珪藻土かまど、（５４）は、バイオマスペレット燃料置き空気孔付き受皿、（５５）、は、かまど空気調整開閉調整口、（６２）は、火消し用落し蓋アジャスター継ぎ手、（６３）は、火消し用落し蓋アジャスター踏み台、（６４）は、火消し用落し蓋アジャスト重量（目皿・火消し蓋・（５４）の燃料より重い）継ぎ手鋳物棒、（６５）は、（６７）継ぎ手と一体構造の鋳物製目皿、（６６）は、（６３）の踏み台の補助取手、（６７）は、火消蓋・目皿自在継ぎ手（一体構造の目皿と継ぎ手・火消し蓋の支点のアジャスターの丁番（７３）にて、シーソー・上下降する）、（６８）は、目皿・火消し蓋アジャスター、（６９）は、火消し蓋（（７２）の目皿の自在取付具によって用をなして、それまでは単なる自在蓋であるが、（６８）のアジャスターの真下に位置して（７１）の火消し壺内を密閉する。）、（７０）は、火消し蓋アジャスター継ぎ手支点、（７１）は、火消し壺・かまど、（７２）は、目皿の火消し蓋自在取付具で、（７９）の自在解除具を併せ持つ、（７３）は、鋳物製目皿（６５）と火消し蓋・目皿自在継ぎ手(６７）との継ぎ手丁番である、
図７において、鋳物製目皿（６５）は、鋳物製目皿（６５）と火消し蓋・目皿自在継ぎ手(６７）と目皿と継ぎ手・火消し蓋の支点のアジャスターの丁番（７３）において回動自在に取り付けられており、通常は、（６５）の鋳物製目皿、（６９）の火消し用落し蓋と、（５４）の燃料の総重量より重い継ぎ手鋳物棒（６４）の重力により、火消し蓋・目皿自在継ぎ手（６７）に図中下方向に力が働くことで、鋳物製目皿（６５）は、目皿・火消し蓋アジャスター（６８）よりくり抜かれた形が正確にはまり込む（目皿の枠内定位置）ことで、（７２）の取付具によって（６９）の火消し蓋が（６８）のアジャスターの真下にくるように固定されている。
【００５０】
図７・８に示す家庭バイオマスペレット燃料用の耐震装置・火消し蓋付き壺兼用熱源順応かまどは、バイオマスペレット燃料をバイオマスペレット燃料置き空気孔付き受皿（５４）内に入れ、（６９）の火消し蓋を（７２）の自在取付具より放すに、（６５）の目皿の隙間から軽く叩き落とすか、（７２）の取付具を解放して（７１）火消し壺・かまど内に落とし、（５５）のかまどの空気調整口を開けて、そこでバイオマスペレット燃料を燃焼させる装置である。
【００５１】
また、使用を中断したい場合等においては、以下のように、（７９）のストッパーを外してから、又は、耐震装置（７７）の金属ボールが、自在解除具（７２）を作動して、（７９）のストッパーが外れて、燃焼中のバイオマスペレット燃料を火消し壺（７１）中に落とし、消火することができる、すなわち、火消し用落し蓋アジャスター踏み台（６３）を足で踏むことによるか、耐震装置（７７）により、（６５）の目皿、（６８）の火消し用落し蓋、（５４）の中身の燃料の合計重量より（６４）の鋳・鉄棒の重量は、重いか、又は、尚更に合計重量に加えて、（７７）の金属ボールの移動落下荷重によって一時的に２倍まで重くなる耐震装置の金属ボール（７７）との合計により重くなった分、逆に軽くなる継手鋳・鉄棒（６４）が、図中、前記の何れかによって上方向に移動し、火消し用落し蓋アジャスター継ぎ手（６２）及び火消し蓋・目皿自在継ぎ手（６７）が、図中、上方向に移動すると、目皿・火消し蓋アジャスター（６８）の真下にくるように固定されていた鋳物製目皿（６５）は、目皿と継ぎ手・火消し蓋の支点のアジャスターの丁番（７３）において下方向に回転して、図８に示す状態になる、したがって、バイオマスペレット燃料置き空気孔付き受け皿（５４）内の燃料ペレットが火消壺内に落下して、燃料と（７７）の金属ボールの落下荷重が元に戻った重量合計の軽くなった分、重量を上回った継手鋳・鉄棒（６４）の重力にて、継手（６２）と下方向に移動して、継手（６７）と一体構造の（６５）は丁番（７３）においてシーソー回転上降して、（６５）は（７２）によって火消し蓋（６８）をとらえた状態にて、（５５）の空気開閉調整口を締めれば、密封した状態となり、火消し壺内は酸素不足の状態になっている為、消火がおこなわれる、この状態を、前記（００４６）図７のこと・図７でより詳細に説明する。
【００５２】
図７において、火消用落し蓋アジャスター踏み台（６３）から足を離すと、火消用落し蓋アジャスト重量（目皿より重い）継ぎ手鋳物棒（６４）が、図中、重力により下方向に移動し、火消用落し蓋アジャスター継ぎ手（６２）及び火消蓋・目皿自在継ぎ手（２７）が、図中、（６７）・（６５）の一体構造が（７３）の丁番を支点にシーソー下方向に移動することで、鋳物製目皿（６５）と（７２）の火消蓋の目皿自在取付具は、目皿・火消蓋アジャスター（６８）の枠内定位置・真下に固定されて、尚更に、より安全確保のために（７９）の安全ストッパーを掛けて、（５５）の空気開閉調整口を閉めると消火出来て、前記（５５）の調整口を開けて火消し蓋（６９）を（７１）内に落とせば、着火燃焼出来る。
【００５３】
また、火消し壺（７１）内に落下し、消火されたバイオマスペレット燃料は、再利用することができる、前記（００４０）の特許文献並びに前記バイオマス堆肥燃料ペレット自家製造装置で造られたペレットを含めた燃料ペレットは、高密度・燃焼の、着火し難いので、ポリプロピレンを原料としたものを穴空き金属製ペレット状カプセルに収納させた着火装置を使用することが好ましい。
【００５４】
本発明の第５は、本発明の家庭バイオマスペレット燃料用の耐震装置・火消し蓋付き壺兼用熱源順応かまどを熱源として利用する前記ストーブ放熱熱源組込機である、本考案のストーブ放熱熱源組込機の正・側面図を図９、１０に示す、また、図９、１０中、（４１）は、家庭バイオマスペレット燃料用の耐震装置・火消し蓋付き壺兼用熱源順応かまど、（５４）は、バイオマスペレット燃料置き空気孔付き受皿、（７４）は、ストーブ煙突、（７５）は、薪ストーブ窓、（７６）は、ストーブ灰皿受けであるので、薪を燃やし入れたいときには、前記の家庭バイオマスペレット燃料用の耐震装置・火消し蓋付き壺兼用熱源順応かまどをストーブから取り出して、（５２）のアジャストを設ければ、薪ストーブになる。
【００５５】
本発明の第６は、本発明の前記バイオマスペレット燃料用の耐震装置・火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記自家発電機で発生した電気によって、一つ目は、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（４２）の内蔵センサー付き高出力電気ヒーターによって、エネルギー供給が、複合・持続されて、余剰電気は、分配・売電出来て、二つ目は、（５０）の電力変換装置より電気をバッテリーに各別充電して、尚且つ電力変換装置を経て各別電源に変換して自己完結的に利用できる自家発電機装置であり、駆動サポートする冷暖房空調機とを備える、発電機・冷暖房空調装置である。
【００５６】
本発明の発電・冷暖房空調機装置の模式図を図１１に示す、図中、家庭バイオマスペレット燃料用の耐震装置・火消し蓋付き壺兼用熱源順応かまど（１）で発生した熱により、ボイラー（４２）に収容された液体（沸点調性剤使用も可）を沸騰させ、高温、高圧蒸気により  蒸気タービン（４３）を高速回転して高出力発電をおこし、得られた電気により、各別電源として用いる自家発電機装置であり、余力各別電気は、（４２）の内蔵ヒーター作動時も共に持続複合化使用可能にして、充電・売電し、尚且つ保温庫を以って給湯・床・空調冷暖房をも十二分にサポートして行う装置であり、図１１中、（４１）は、前記家庭バイオマスペレット燃料用の耐震装置・火消し蓋付き壺兼用熱源順応かまど、（４２）は、ボイラー、（４３）は、蒸気タービン、（４４）は、発電機、（４５）は熱交換器、（４６）は、電気モーター（電力は自己完結方式）、（４７）は、循環ポンプ、（４８）は、発電余力電力の充電用安全機、（４９）は、充電器  、（５０）は、電力変換機装置である。
【符号の説明】
【００５７】
１・・バイオマス堆肥搬入口
２・・ビレット押込用ステム取手
３・・ステム
４・・ジャッキ手動ハンドル
５・・ジャッキアップ
６・・コンテナ
７・・ダイス孔
８・・ジャッキ止めコンテナ金具
９・・ジャッキアップのエア抜き
１０・・シリンダー
１１・・ダミーブロック
１２・・オイルシーリング
１３・・ダミーブロックカバー
１４・・スプリング
１５・・蓋アジャスト
１６・・バイオマス粉砕機
２０・・生ゴミ・バイオマス粉砕投入口
２１・・水道水差込口
２２・・水道蛇口
２３・・水道水ホース簡易繋器
２４・・デイスポーザー排出口
２５・・粉砕バイオマス受け皿
２６・・ハンドル付回転式攪拌器付出し入れ可能な発酵機及び発酵外容器（攪拌器付発酵機）
２７・・ハンドル付回転式攪拌容器
２８・・ハンドル付回転式攪拌器付出し入れ可能な熟成・乾燥発酵器（乾燥発酵器）
２９・・ペレット製造機
３０・・テーブル
３１・・空気穴
３２乃至４０は空欄
４１・・・家庭バイオマスペレット燃料用の耐震装置・火消し蓋付き壺兼用熱源順応かまど
４２・・・ボイラー（温度センサー付き自己完結型電気ヒーター・切換機装置内蔵）
４３・・・蒸気タービン
４４・・・自家発電機
４５・・・熱交換器
４６・・・電気モーター（電力は自己完結方式）
４７・・・循環ポンプ
４８・・・発電気の電力変換機装置と充電機の安全機
４９・・・充電器
５０・・正弦波長・電力変換装置
５１・・ストーブ用の耐熱珪藻土かまど
５２・・アジャスト薪空気孔付き受け皿（薪を用いる場合のストーブ用部材。）
５３・・前記１の火消開閉蓋（取換用部品。）
５４・・バイオマスペレット燃料置き空気孔付き受皿（６８と一体構造の鋳物）
５５・・かまど空気開閉調整口（引き違い戸かはめ込み栓方式の何れか。）
５６・・アジャスト空気孔筒伸縮調性蛇腹（内気導入を止めて、外気導入時の備品）
５７・・スチール着火カプセル（ポリプロピレン金属製発火口付カプセル）
５８・・ストーブ（（４１）の放熱熱源組込機装置）
５９・・モーター・除湿調性用ヒーター付き送風ファン
６０・・冷媒機（熱交換器に繋がった保温庫につながる）
６１・・モーター付き圧縮ポンプ（冷暖切換機付き）
６２・・火消し用落し蓋アジャスター継ぎ手
６３・・火消し用落し蓋アジャスター踏み台
６４・・火消し用落し蓋アジャスト重量（目皿＋火消し蓋＋（５４）の燃料合計より重い。）継ぎ手鋳・鉄棒
６５・・６７継ぎ手と一体構造の鋳物製目皿（（６８）のアジャスターを目皿の型に刳り抜いた形体）
６６・・踏み台の補助取っ手
６７・・火消蓋・目皿自在継ぎ手（６８）アジャスターの丁番（７３）を支点に上下降する）
６８・・目皿・火消し蓋アジャスター・フェンダー（１４）・（２７）と同質の鋳物で（１４）と一体構造）
６９・・火消蓋（（７２）取付具によって（６５）の目皿と一体化出来、それまでは落蓋。）
７０・・火消蓋アジャスター継ぎ手支点
７１・・火消し壺・かまど（珪藻土。）
７２・・目皿の火消蓋自在取付具（（７９）の作動自在解除具併せ持つ、（７９）のストッパーを外す）
７３・・目皿と継ぎ手・火消蓋の支点のアジャスターの丁番
７４・・ストーブ煙突
７５・・薪ストーブ窓
７６・・ストーブ灰皿受け
７７・・耐震装置金属ボールの（７２）解除具に金属ボールが転がり衝突作動
７８・・外壁ステンレス板（珪藻土外壁強化材）
７９・・安全ストッパー（６９の火消し蓋が動かぬ様に固定化、（７７）の（７２）によって外れる）
８０・・保温庫（熱交換器に繋がる二重構造の配管放熱螺旋形パイプ保温庫内蔵と、保温庫の熱湯給湯・床暖・熱湯保温し（床暖引込口・パイプ等埋設設備複数予備パイプライン・ジョイントあり、）、冷媒機に接続される）
８１・・ヒーター（湿度調整）（５９）のヒーターに同じ
８２・・（５１）の保護鋳物フェンダー（（６８）のフェンダーと同じ働き）
【手続補正２】
【補正対象書類名】特許請求の範囲
【補正対象項目名】請求項１１
【補正方法】変更
【補正の内容】
【請求項１１】
請求項１〜９のいずれかに記載のバイオマス堆肥燃料ペレット自家製造装置で造られたペレットを用いた、家庭バイオマスペレット燃料用の耐震装置・火消し蓋付き壺兼用熱源順応かまどを熱源として用いるストーブ放熱熱源組込み機装置。
【手続補正３】
【補正対象書類名】特許請求の範囲
【補正対象項目名】請求項１２
【補正方法】変更
【補正の内容】
【請求項１２】
請求項１〜９のいずれかに記載のバイオマス堆肥燃料ペレット自家製造装置で造られたペレットを用いた、家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例した高出力電気エネルギーに変換する自家発電機と、前記自家発電機で発生した電気をバッテリー充電器と電力変換装置を通して使用したり、電源として直接使用出来る自家発電機装置。
【手続補正４】
【補正対象書類名】特許請求の範囲
【補正対象項目名】請求項１３
【補正方法】変更
【補正の内容】
【請求項１３】
請求項１〜９のいずれかに記載のバイオマス堆肥燃料ペレット自家製造装置で造られたペレットを用いた、家庭バイオマスペレット燃料用の耐震装置・火消し蓋付き壺兼用熱源かまどを熱源として用いるボイラーと、前記ボイラーで発生した高温・圧蒸気で駆動する蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー加熱とを加えた加熱量によって、保温庫内給湯量の大量使用の冷水入れ替え時にも対応出来る、これによって、中心パイプ内液体保温状態で、持続的熱湯保温・給湯・床冷暖房機に繋がる冷媒機と、前記自家発電機で発生した電気によって駆動する床・空調冷暖房機とを備える、床・空調冷暖房機装置。
【手続補正５】
【補正対象書類名】特許請求の範囲
【補正対象項目名】請求項１４
【補正方法】変更
【補正の内容】
【請求項１４】
請求項１〜９のいずれかに記載のバイオマス堆肥燃料ペレット自家製造装置で造られたペレットを用いた、家庭バイオマスペレット燃料用の耐震装置・火消し蓋付き壺兼用熱源順応かまどの前記上部の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、前記ボイラー内蔵高出力電気の前記ヒーターによって持続してエネルギーを供給できる家庭バイオマスペレット燃料の耐震装置・火消し蓋付き壺兼用熱源順応かまどのエネルギーの前記ストーブ放熱熱源組込機・冷暖房空調機・熱湯保温庫・給湯機・自家発電機装置を同時に複合化使用することで、そのエネルギーを保持・持続・増大化出来るエネルギー各種変換増大・保持・持続化装置。
【手続補正書】
【提出日】平成24年5月11日(2012.5.11)
【手続補正１】
【補正対象書類名】明細書
【補正対象項目名】００３９
【補正方法】変更
【補正の内容】
【００３９】
そして、バイオマス堆肥をシリンダー１０内に充填し、再度ジャッキ手動ハンドル４を下方に倒すことにより、バイオマス堆肥をビレット状態としたのち、ダイス孔７からバイオマス堆肥のペレットを取り出すことができる、
これらの操作を繰り返すことにより、バイオマス堆肥のペレットを連続的に製造することができる、
本発明に関連して、特許証登録内容にも、前記内容の自家製の高密度グリーンなバイオマスペレット燃料の製造方法が登録されている。
【手続補正２】
【補正対象書類名】明細書
【補正対象項目名】００４４
【補正方法】変更
【補正の内容】
【００４４】
（９）前記（１）〜（４）のいずれかに記載の前記バイオマス堆肥燃料ペレット自家製造装置で作られたペレット燃料を用いた家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（５４）の目皿に投入燃焼１回分のバイオマスペレット燃料をボイラー（４２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止されても前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、バイオマスペレット燃料を投入して燃焼が開始すれば、前記エネルギー燃焼同様に持続的エネルギー供給して、（４２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（００４０）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供されるバイオマス堆肥燃料ペレット自家製造装置で造られたペレットを用いた、家庭バイオマスペレット燃料の耐震装置・火消し蓋付き壺兼用熱源順応かまどエネルギーの前記（１）〜（８）のエネルギー持続供給可能な各種変換増大化装置。
【手続補正書】
【提出日】平成24年8月3日(2012.8.3)
【手続補正１】
【補正対象書類名】明細書
【補正対象項目名】全文
【補正方法】変更
【補正の内容】
【発明の詳細な説明】
【技術分野】
【０００１】
本発明の第１は、前記バイオマス堆肥燃料ペレット自家製造装置で造られたペレットを用いた専用ボイラーの熱源かまどとしても、又、単独でも料理用かまどとしても、また、前記ストーブ放熱熱源組込機として、尚更に、自動電気動力組込機器としての活用も出来て、前記ボイラーで発生した高温・圧蒸気で駆動する、前記蒸気タービン駆動の自家発電機と充電器・電力変換機で各種電源も用意出来て、熱交換器・熱エネルギー保温庫を以って、前記保温庫に繋がる冷媒機と自家発電の電気によって駆動・送風するモーターポンプ・送風機で、給湯・床冷暖・空調冷暖両用となる、前記ペレットを用いた自家製造バイオマスペレット燃料用の耐震・衝撃装置・火消し蓋付き壺兼用熱源順応かまどに関する。
【背景技術】
【０００２】
前記ペレット類等を燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、従来、ゴミの減量化、エコロジー等を目的として、家庭・中小事業所（以下「家庭・事業所」という。）で発生する生ゴミ等のバイオマスを発酵させて無定形のバイオマス堆肥としては、種々のものが知られている、しかしながら、従来の堆肥製造機は装置が大掛かりで、かつ、システムが複雑過ぎて内容的に難しく、各家庭・事業所で用いるには高価であり、取り扱いが難しく、しかも維持費もかかりすぎるという問題がありながら、ペレット化して燃料・肥料源として用いることが注目されていて、家庭・事業所のゴミを産業廃棄物化しない装置で、より費用対効果ある家庭・事業所単位のセパレート化が希求されていて、尚更に、前記バイオマス堆肥燃料ペレット自家製造装置で作られた燃料ペレットを用いた前記自家製造バイオマスペレット燃料用の耐震・衝撃装置・火消し蓋付き壺兼用熱源順応かまどを熱源とする各種複合化機械装置を同時に使用することで以って、エネルギーの複合・増大・持続・移動化した高出力電気エネルギーに変換することで費用対効果が大いに希求期待されるのである。
【０００３】
本発明の第２は、前記バイオマス堆肥燃料ペレット自家製造装置で、ペレット燃料を自家製造するために、家庭・事業所で発生した生ゴミ等のバイオマスを発酵させて、無定形のバイオマス堆肥を製造するバイオマス堆肥製造機と、該バイオマス堆肥製造機により製造された無定形のバイオマス堆肥からペレット状のバイオマス堆肥燃料とするペレット製造機とで構成されてなる前記バイオマス堆肥燃料ペレット自家製造装置に関する。
【０００４】
一方、無定形のバイオマス堆肥のペレット化は、従来、木材大鋸屑のノンロースト・ローストペレット製造機等、主として各自治体の大型プラント工場に設置されたペレット製造機により行われている、このようなペレット製造機は、比較的小型のものでも価格が数百万円と高価であり、個人、家庭・事業所単位で購入することは困難である、また、このような大型プラントに設置されたペレット製造機を用いたのでは、ペレット製造過程、商品燃焼使用時にダイオキシンが発生する等の環境破壊がなされ、本末転倒となる場合もある。
【０００５】
かくして本発明によれば、下記（１）〜（５）の前記バイオマス堆肥燃料ペレット自家製造装置が提供される。
【０００６】
（１）バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、投入されたバイオマス堆肥がビレット状態で保持可能なシリンダ状の内部空間を有するコンテナと、前記コンテナの上側面部に設けられたバイオマス堆肥が投入される投入口と、前記コンテナの一端に設けられた、圧力によりペレットが押し出されるダイス孔と、前記ダイス孔に対向する他の一端側から前記コンテナ内に押し入れ可能で、投入されたバイオマス堆肥をコンテナ内にビレット状態に押し詰めるピストン状のステムと、前記ステムを前記コンテナ内に押し入れ、前記コンテナ内のビレット状態のバイオマス堆肥を圧縮して前記ダイス孔からペレット状に押し出すジャッキアップとを有することを特徴とするバイオマス堆肥燃料ペレット自家製造装置。
【０００７】
（２）前記バイオマス堆肥燃料ペレット自家製造装置は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものである（１）に記載のバイオマス堆肥燃料ペレット自家製造装置。
（３）前記ペレット製造機のコンテナはダイス孔が中央に設けられたすり鉢状の形状を有し、前記ステムの先端には、前記すり鉢状のコンテナの形状に対応する砲弾形状のダミーブロックが設けられ、前記ステムの前記ジャッキアップ側には、バイオマス堆肥をコンテナ内にビレット状態に押し詰めるために前記ステムを前記コンテナ内に出し入れさせる手動の取手が設けられていることを特徴とする（１）又は（２）に記載のバイオマス堆肥燃料ペレット自家製造装置。
（４）前記ペレット製造機のステムは、スプリングを介して前記コンテナに取付けられ、前記取手で前記コンテナ内に押し込んだときにスプリングの弾性力により元の位置に戻るものである（１）〜（３）のいずれかに記載のバイオマス堆肥燃料ペレット自家製造装置。
（５）前記ジャッキアップが、油圧手動式のものであり、ダイス孔よりバイオマス堆肥燃料ペレットが押し出された後、ジャッキアップエア抜きをすることで、前記ステム及びダミーブロックと連動してジャッキアップが、略元の状態に戻るものであり、戻らない時は、引っ張りスプリング１４の弾性力と２の取っ手を手で叩き込み振動を加えれば、撓み力の２倍になって跳ね返ることにより戻る、（１）〜（４）のいずれかに記載のバイオマス堆肥燃料ペレット自家製造装置。
【０００８】
ここで、「バイオマス」とは、再生可能な、生物由来の有機性資源で化石資源を除いたもの、つまり、太陽エネルギーと水や土といった自然を使って生物が作り出した様々な資源を意味し、本明細書においては、特に、家庭・事業所で発生する生ゴミ、落ち葉、大鋸屑、雑草、新聞紙、雑誌等を指す。
【０００９】
本発明の前記バイオマス堆肥燃料ペレット自家製造装置（以下、単に「ペレット製造装置」ということがある。）の一例を図１に示す、図１中、（ａ）は正面図、（ｂ）は平面図である。
【００１０】
図１に示すペレット製造装置１００は、図２に示す、無定形のバイオマス堆肥を製造するバイオマス堆肥製造機１００Ａと、図３に示す、バイオマス堆肥のペレットを製造するペレット製造機１００Ｂとで構成されてなる、  また、ペレット製造機１００Ｂのシリンダー部分の断面図を図４に示す。これらの詳細については、後述する。
【００１１】
図１に示すペレット製造装置１００において、バイオマス堆肥製造機１００Ａ及びペレット製造機１００Ｂは、テーブル（３０）上に設置されている、ペレット製造装置１００によれば、各家庭で発生する生ゴミ等のバイオマスを、バイオマス堆肥製造機１００Ａによりバイオマス堆肥とした後、得られたバイオマス堆肥を、ペレット製造装置１００Ｂにより、手動ではあるが、連続的に、バイオマス堆肥ペレットとすることができる。
【００１２】
図１、２に示すバイオマス堆肥製造機１００・１００Ａは、バイオマス粉砕投入口２０、バイオマス粉砕機１６、粉砕バイオマス受け皿２５、ハンドル付回転式攪拌容器２７、ハンドル付回転式攪拌器付出し入れ可能な発酵機及び発酵外容器（以下、単に「攪拌器付発酵機」という。）２６、並びに、ハンドル付回転式攪拌器付出し入れ可能な熟成・乾燥発酵器（以下、単に「乾燥発酵器」という。）２８からなる。なお、１００の図１のa中、２１は水道水差込口、２２は水道蛇口、２３は水道水ホース簡易繋器、２４はディスポーザー排水口、並びに、１００A図２の３１は、空気穴である、前記攪拌器付発酵機２６は、出し入れ可能な穴開き内箱容器を有する二重構造容器であり、発酵温度を保つことができる。
【００１３】
図２に示すバイオマス堆肥製造機１００Ａにより、以下に述べる手順にてバイオマス堆肥を得ることができる、バイオマス堆肥製造機は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものであるのが好ましい。
【００１４】
先ず、処理の対象となる生ゴミ等のバイオマスと腐葉土とを、バイオマス粉砕投入口２０に投入し、バイオマス粉砕機１６内で２０ｍｍ以下の大きさに粉砕する。
【００１５】
バイオマス粉砕投入口２０から投入されたバイオマス及び腐葉土は、水道水差込口２１から流入された水と混合され、粉砕・流出され、ディスポーザー排水口２４から排出されて粉砕バイオマス受け皿２５に送られ、水分含有量５０〜８０重量％、好ましくは６０％〜７０％程度（水を絞って手に水分を感じられる状態を目安に、現在の重量計測にて計算する。）となるように水切りされる。
【００１６】
次いで、水切りされた粉砕バイオマス（大鋸屑、新聞紙、雑誌等のバイオマスは紙粘土化した状態となっている。）、及び腐葉土を、攪拌器付発酵器２６中に投入し、ここで十分に発酵させる、例えば、粉砕バイオマスを、攪拌器付発酵器２６中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど十分に発酵させる。
【００１７】
発酵を開始させるには、攪拌器付発酵器２６の容量７分目までの場合には、消石灰を堆肥容量の１．０％〜１．５％投入攪拌することにより、アンモニアと水と塩化カリウムに分解されるものと考えられることから、塩化カリウムの化学反応による発熱温度が発酵を促進して行う、攪拌器付発酵器２６の容量７分目より多くなってからの温度調整は、砂糖（低温時温度上昇）と塩（高温時温度下降）を用いることにより行う、
なお、一旦発酵が開始すれば、その後は、粉砕バイオマスを投入するだけで、腐葉土をほとんど投入する必要はない。あたかも漬物のぬか床のごとくである。
【００１８】
その後、発酵物を、攪拌器付発酵器２６から乾燥発酵器２６を２８中にそのまま移し、乾燥発酵器２８を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【００１９】
なお、発酵時の臭い対策は、攪拌した状況をめどに、天候や臭いの度合いに合わせて、木酢を堆肥容積の２％分水溶液１００ｃｃを入れて調整することにより行うことができる。
【００２０】
次いで、得られた無定形のバイオマス堆肥を、図３に示すペレット製造機１００Ｂにより、ペレット化する。
【００２１】
図１、３に示すペレット製造機１００Ｂは、バイオマス堆肥投入口１、ステム３、ビレット押し込み用取手２、ジャッキ手動ハンドル４、ジャッキアップ５、図示しないシリンダー１０を支えるコンテナ６、及びダイス孔７からなる。
【００２２】
図３、４に示すペレット製造機１００Ｂは、本発明の堆肥ペレット製造装置の連関一部であって、コンテナ６の左側内部にはシリンダー空間を構成するシリンダー１０が設けられており、その右側には、高圧力の手動ジャッキアップ５が設けられている、これを電気式油圧ジャッキアップとすることも好ましい。
【００２３】
コンテナ６は、内部に円筒状の空間を有し、軽量化が必然的に求められるので、強度と材質が重要であり、強度計算を基にハニカム構造とすることが好ましい、
コンテナ６の材質は、使用場所・目的・環境条件に合わせて決定することができる。コンテナ６の材質としては、鋼鉄・アルミニウムが好ましい。
【００２４】
ステム３及びダミーブロック１１は、ジャッキアップ５を挟んで５〜１０トンの圧力をコンテナにて受け止め耐え得る材質（例えば、鋼鉄製、ステンレス製、アルミ合金製など）からできている。
【００２５】
ステム３は、その先端にすり鉢状のコンテナの形状に対応する砲弾形状を有し、高圧力をダミーブロック１１に伝える役割を果たす、ステム３は、ダイス孔に対向する片方の口のスライドしないアジャスト蓋１５部分が不動ネジ式締付アジャストとなって、図中左右に正確にスライド可能となっている。
【００２６】
ビレット押込用取手２、ダミーブロック１１及びステム３は、一体となって同一スライド運動可能にて、撓みのある単体スプリング１４の引っ張り弾性運動はそれに対して常に共用されている。
【００２７】
ダミーブロックカバー１３は、ステム取手２を手動にて投入口１よりバイオマス堆肥を押し込む際に、スプリング室内（ダミーブロック１１、ステム３の部分）に入り込まないようにするために設置される、すなわち、スプリング１４が異常なく働くためにダミーブロックカバー１３に因って乾燥堆肥、その他の物がステム３とスプリング１４の空間に入り込まない構造となっている。
【００２８】
また、ダミーブロック１１の外側面には、オイルシーリング１２が設けられている、オイルシーリング１２は、潤滑油をフェルトシーリングに滲み込ませてビレット内壁シリンダーとの摩擦抵抗を減らし、尚且つ圧縮密度を高めることを目的として設置される。これによって潤滑性能を上げて、シリンダー内気密を高める効果を得ることができる。
【００２９】
ダイス孔７は鋼鉄製ですり鉢形状を有し、筒型シリンダーの片方の口の中央に設けられている。ダイス孔の大きさは適宜設定することができる（例えば、直径４〜６ｍｍ程度）。
【００３０】
ジャッキアップ５は油圧手動となっており、ダイス孔７に対向する片方の口のスライドしない不動アジャスト蓋１５部分と、前項のダミーブロック１１との両端に前項のスプリング１４が固定されている、そして、スプリング１４の弾性力によって常にスライド可能なダミーブロック１１とシリンダー１０内壁の接触先端は、乾燥堆肥投入口１が全開放された定位置に自動的に戻され、連続作業が出来るようになっている。
【００３１】
ジャッキアップ５の圧力は、例えば、持ち上げる力としての横置き５トン、縦置き１０トンであるために、縦・横置きともに使用できるように設計された構造システム・機械である。
【００３２】
図３及び４に示すペレット製造機１００Ｂにより、以下の手順によりバイオマス堆肥ペレットを得ることができる。
【００３３】
先ず、上記で得た無定形の乾燥堆肥（例えば、４５０ｃｃ程度）をバイオマス堆肥投入口１から投入する。
【００３４】
次いで、図３、４中、ビレット押込用取手２を、例えば２０〜２５ｍｍ程度、図中左方向に押込むことにより、バイオマス堆肥投入口１が閉じ、投入されたバイオマス堆肥がコンテナ６内部の左側に押し詰められる。
【００３５】
なお、図４に示すように、スライド可能なダミーブロック１１とステム３は引っ張りスプリング１４に固定されており、引っ張りスプリング１４はスライドしないアジャスト蓋１５に固定されているが、引っ張りスプリングの伸びを適度に調節することで、ビレット押込用取手２は、図中左方向に２０〜２５ｍｍ程度は、手動で動かすことができるようになっている、また、ビレット押込用取手２を放せば、自動的に引っ張りスプリング１４の弾性力と衝撃を加えると撓み力の２倍になって跳ね返ることにより、堆肥投入口１が全開放された元の位置に戻るようにすることもできる、これによって、乾燥堆肥を投入する作業を連続的に行うことができる。
【００３６】
再度、ビレット押込用取手２を５〜２０ｍｍ程度、図中左方向に数回手で以て叩き押込むことにより、撓み力の２倍に跳ね返りながらバイオマス堆肥投入口１が閉じ、投入されたバイオマス堆肥がコンテナ６内部の左側に押し詰められる、この作業を繰り返すことにより、コンテナ６内部において、バイオマス堆肥をビレット状態とすることができる。
【００３７】
次いで、ジャッキ手動ハンドル４を、図３中矢印方向に倒すことにより、ステム３とダミーブロック１３を通して油圧手動ジャッキ５の高圧力にて、シリンダー１０内のバイオマス堆肥が図中左方向に押し込まれ、乾燥堆肥のペレットがダイス孔７から押し出される。
【００３８】
ダイス孔７よりバイオマス堆肥ペレットが押し出された後は、ジャッキアップ５のエア抜き９を開放することにより、引っ張りスプリング１４の弾性力によって、ジャッキアップ５が元の状態に戻る。
【００３９】
そして、バイオマス堆肥をシリンダー１０内に充填し、再度ジャッキ手動ハンドル４を下方に倒すことにより、バイオマス堆肥をビレット状態としたのち、ダイス孔７からバイオマス堆肥のペレットを取り出すことができる、これらの操作を繰り返すことにより、バイオマス堆肥のペレットを連続的に製造することができる、
本発明に関連して、特許証登録内容にも、前記内容の自家製の高密度グリーンなバイオマスペレット燃料の製造方法が登録されている。
【先行技術文献】
【特許文献】
【００４０】
【特許文献１】特許第４７４６７０５号
【発明の概要】
【００４１】
かくして本発明によれば、下記（１）〜（４）の前記ペレット製造装置で作られたペレットを用いる自家製造バイオマスペレット燃料用の耐震・衝撃装置・火消し蓋付き壺兼用熱源順応かまど・下記（５）の前記ペレット製造装置で作られたペレットを用いるストーブ放熱熱源組込み機装置・下記（６）の前記出し入れ自在の自家製造バイオマスペレット燃料用の耐震・衝撃装置・火消し蓋付き壺兼用熱源順応かまどを用いた自動電気動力発電装置・（７）の前記ペレット製造装置で作られたペレットを用いる冷暖房空調機装置・下記（８）の前記ペレット製造装置で作られたペレットを用いた熱量を活用する床冷暖房・給湯機装置・下記(９)の前記ペレット製造装置で作られたペレットを用いた高温・高圧蒸気を高速回転に変換する自家発電機装置・下記（１０）の前記ペレット製造装置で作られたペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、自家製造バイオマスペレット燃料用の耐震・衝撃装置・火消し蓋付き壺兼用熱源順応かまど。
（２）前記耐熱性容器が、珪藻土製の容器である、前記（１）に記載の自家製造バイオマスペレット燃料用の耐震・衝撃装置・火消し蓋付き壺兼用熱源順応かまど。
（３）さらに、踏み台と、前記踏み台と前記自家製造バイオマスペレット燃料用の耐震・衝撃装置・火消し蓋付き壺兼用熱源順応かまどとを連結する火消し蓋開閉機構とを備える自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の自家製造バイオマスペレット燃料用の耐震・衝撃装置・火消し蓋付き壺兼用熱源順応かまど。  
（５）前記（１）〜（４）のいずれかに記載の自家製造バイオマスペレット燃料用の耐震・衝撃装置・火消し蓋付き壺兼用熱源順応かまどを熱源として用いるストーブ放熱熱源組込み機装置。  
（６）前記（１）〜（４）のいずれかに記載の自家製造バイオマスペレット燃料用の耐震・衝撃装置・火消し蓋付き壺兼用熱源順応かまどを熱源として用いる後記（７）〜（１０）いずれかに記載の各装置を組み込むに、冬場の暖房空調の保温温度低下保護は、自動加熱装置調整範囲内にて、範囲を超える給湯水装置を除外した物と、そうでない物とに分けると、一つは、保温庫給湯水装置を除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で、高出力電気エネルギー化出来て、電気低出力調整も、できることで以てするかであり、自家製造電気エネルギーを前記自動電気動力の内部で直接使用することで、外部電気取入不要にて、バッテリー軽量・小型化でき、調整・持続した高出力電気エネルギーが、電気動力装置に組み込まれた後記（７）〜（１０）いずれかに記載の各装置を用いた自家発電機装置でもって前記自動機器外部の各家庭・事業所使用電気エネルギーをも供給される自動電気動力駆動発電機組込装置。
二つは、保温庫給湯水装置を付帯した後記（７）〜（１０）の装置は、後記（８）の装置を組み込んだ内容の前記自動電気動力駆動装置として、ボイラー内加熱電気ヒーター最大にして、前記自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組み込まれた後記（７）〜（１０）いずれかに記載の各装置を用いた自家発電機装置でもって、自らの自動内蔵自家製電気動力エネルギーに限らず、各家庭・事業所使用電気エネルギーをも供給される自動電気動力駆動発電機組込装置。
（７）前記（１）〜（４）のいずれかに記載の自家製造バイオマスペレット燃料用の耐震・衝撃装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（８）前記（１）〜（４）のいずれかに記載の自家製造バイオマスペレット燃料用の耐震・衝撃装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【発明が解決しようとする課題】
【００４２】
本発明の第３は、家庭・事業所用生ゴミ等の処理は、各市町村において苦慮している社会的問題（経済・環境等々課題）であるが、全てが大型プラント化しているために、非経済的で、むしろ環境破壊に繋がりかねない、そこで、本発明は、かかる実情に鑑みてなされたものであり、家庭・事業所で発生する生ゴミ、落ち葉、大鋸屑、雑草、新聞紙、雑誌等のバイオマスを、各家庭・事業所毎に、安全に、簡易に、年間を通して安定的に、乾燥堆肥・ペレットにすることができる前記バイオマス堆肥燃料ペレット自家製造装置を提供することを目的としているので、上述した実情に鑑みてなされたものであり、より環境にやさしく、どこにでも移設・順応出来る簡単・単純な耐震・衝撃装置・火消し蓋付き壺と熱源かまどが、一体的で、安全なマルチな熱源順応装置である前記バイオマス堆肥燃料ペレット自家製造装置で作られた燃料ペレットを用いた、自家製造バイオマスペレット燃料用の耐震・衝撃装置・火消し蓋付き壺兼用熱源順応かまどおよびポリプロピレンを原料としたものを穴空き金属製ペレット状カプセルに収納させた着火装置・ストーブ放熱熱源組込・自動電気動力組込機器・床及び空調冷暖房・給湯・発電機装置を提供することを目的とする。
【課題を解決するための手段】
【００４３】
本発明の第４は、上記課題を解決すべく鋭意研究した結果、バイオマス堆肥製造機と、ペレット製造機とで構成されてなる前記バイオマス堆肥燃料ペレット自家製造装置であって、前記ペレット製造機が、投入されたバイオマス堆肥がビレット状態で保持可能なシリンダ状の内部空間を有するコンテナと、バイオマス堆肥が投入される投入口と、圧力によりペレットが押し出されるダイス孔と、ピストン状のステムと、前記ステムを前記コンテナ内に押し入れ、前記コンテナ内のビレット状態のバイオマス堆肥を圧縮して前記ダイス孔からペレット状に押し出すジャッキアップとを有するものである、前記バイオマス堆肥ペレット自家製造装置を用いると、各家庭・事業所毎に、発生する生ゴミ等のバイオマスから、年間を通して安定的に、安全に、簡易に、安価に、グリーンに、乾燥堆肥・燃料ペレットをつくることができることを見出し、本発明を完成させるに至り、本発明者は、上記課題を解決すべく鋭意検討した結果、費用対効果があって、環境に優しい家庭バイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、前記バイオマス堆肥燃料ペレット自家製造装置で作られたペレット燃料を用いたストーブや自動電気動力機器や自家発電機で直接に、そして、複合的に、ボイラー・蒸気タービン駆動の自家発電気で以って前記旧来の化石・電気エネルギーに代えられる物とするため  直接に、複合的順応マルチかまどである自家製造バイオマスペレット熱源用の耐震・衝撃装置・火消し蓋付き壺兼用熱源順応かまどを考案した。
【００４４】
（１０）前記（１）〜（４）のいずれかに記載の前記バイオマス堆肥燃料ペレット自家製造装で作られたペレット燃料を用いた自家製造バイオマスペレット燃料用の耐震・衝撃装置・火消し蓋付き壺兼用熱源順応かまどを熱源として各種増大化装置による同時複合化することで、貴重な前記バイオマスペレット燃料エネルギーを、前記（５４）の目皿に投入燃焼１回分のバイオマスペレット燃料をボイラー（４２）の沸点状態に於ける１とする容量に対して、エネルギー複数容量に変換増大化されたことで、上記の自家製造バイオマスペレット燃料用の耐震・衝撃装置・火消し蓋付き壺兼用熱源順応かまどの前記上部の開口部に投入した前記燃焼１回分のペレット燃料供給が停止されても前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、バイオマスペレット燃料を投入して燃焼が開始すれば、前記エネルギー燃焼同様に持続的エネルギー供給して、（４２）内蔵のセンサーによってヒーターは自動的に解除になったり、自動温度調整にて、内燃機関のアイドリング状態似の低速回転の低出力電気となることにより、保温庫内熱湯温度をキープしたままいつでも最大高速回転化出来て、高出力電気エネルギー創出でき、アイドリング状態に出来ない場合でも、特に、自動電気動力の場合は、バッテリーで駆動させて短時間に自家製造バイオマスペレット燃料の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に生ゴミを産業廃棄物化せずに、分散セパレート化したことで、前記（００４０）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供されるバイオマス堆肥燃料ペレット自家製造装置で造られたペレットを用いた、自家製造バイオマスペレット燃料の耐震・衝撃装置・火消し蓋付き壺兼用熱源順応かまどエネルギーの前記（１）〜（１０）いずれかに記載のエネルギー調整・持続供給可能な各種変換増大化装置。
【発明の効果】
【００４５】
本発明の前記バイオマス堆肥燃料ペレット自家製造装置によれば、家庭・事業所で発生する生ゴミ等のバイオマスから、家庭・事業所毎に乾燥堆肥ペレットを簡易に安全に安価に製造することができることから、既存化石燃料等に頼らない国内自給自足できる、本発明のバイオマス堆肥燃料ペレット自家製造装置は、ゴミの減量化、環境保護にも役立つものである、本発明のバイオマス堆肥燃料ペレット自家製造装置は、単純・簡易な構造にして、リーズナブルな低廉価格なものである、
前記のように一極集中的大型プラントでないセパレート家庭・事業所単位毎の前記バイオマス堆肥燃料ペレット自家製造装置で作られたペレット燃料を用いた、複合増大化装置は、ミニプラントであって、対既存化石・電気エネルギーに与しない、費用対効果の高いグリーンなバイオマスペレット燃料・蒸気エネルギーとによるボイラー蒸気タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政・外交問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭・事業所の生ゴミを産業廃棄物化せずに、前記バイオマス堆肥燃料ペレット自家製造装置で造られたペレットを用いた、自家製造バイオマスペレット燃料の耐震・衝撃装置・火消し蓋付き壺兼用熱源順応かまど燃焼１回分エネルギーを１容量として同時発生的に使用することで、エネルギー複数容量に増大化・費用対効果を持続的に望める前記（００４１）（５）・（６）の様に、出し入れ自在のマルチタイプの熱源かまどである自家製造バイオマスペレット燃料用の耐震・衝撃装置・火消し蓋付き壺兼用熱源順応かまど・各種変換増大化装置を考案したのである。
【図面の簡単な説明】
【００４６】
【図１】本発明の自家製造バイオマス堆肥ペレット製造装置の図で、（ａ）は正面図、（ｂ）は平面図である。
【図２】本発明の自家製造バイオマス堆肥ペレット製造装置のバイオマス堆肥製造機部分の側面図である。
【図３】本発明の自家製造バイオマス堆肥ペレット製造装置のペレット製造機部分の正面図である。
【図４】本発明の自家製造バイオマス堆肥ペレット製造装置のペレット製造機の図３のシリンダー部分の中心Ａ−Ａの断面図である。
【図５】本発明の自家製造バイオマスペレット燃料用の耐震・衝撃装置・火消し蓋付き壺兼用熱源順応かまどの平面図である。      
【図６】本発明の自家製造バイオマスペレット燃料用の耐震・衝撃装置・火消し蓋付き壺兼用熱源順応かまどの正面図である。      
【図７】本発明の自家製造バイオマスペレット燃料用の耐震・衝撃装置・火消し蓋付き壺兼用熱源順応かまどの踏み台を外した状態A-A” 側断面図である。
【図８】本発明の自家製造バイオマスペレット燃料用の耐震・衝撃装置・火消し蓋付き壺兼用熱源順応かまどの踏み台を踏んだ状態のA-A”側断面図である。
【図９】本発明のストーブの自家製造バイオマスペレット燃料用の耐震・衝撃装置・火消し蓋付き壺兼用熱源順応かまど組込の正面図である。
【図１０】本発明のストーブの自家製造バイオマスペレット燃料用の耐震・衝撃装置・火消し蓋付き壺兼用熱源順応かまど組込の側面図である。
【図１１】本発明のエネルギー複合化・増大・調整・保持・持続発電システム実施例を示す図である。
【発明を実施するための形態】
【００４７】
以下、本発明の前記バイオマス堆肥燃料ペレット自家製造装置を詳細に説明するは、バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、前記ペレット製造機は、投入されたバイオマス堆肥がビレット状態で保持可能なシリンダー状の内部空間を有するコンテナと、前記コンテナの上側面部に設けられたバイオマス堆肥が投入される投入口と、前記コンテナの一端に設けられた、圧力によりペレットが押し出されるダイス孔と、前記ダイス孔に対向する他の一端側から前記コンテナ内に押し入れ可能で、投入されたバイオマス堆肥をコンテナ内にビレット状態に押し詰めるピストン状のステムと、前記ステムを前記コンテナ内に押し入れ、前記コンテナ内のビレット状態のバイオマス堆肥を圧縮して前記ダイス孔からペレット状に押し出すジャッキアップとを有することを特徴として、グリーンな前記バイオマス堆肥燃料ペレット自家製造装置で造られたペレットを用いた、自家製造バイオマスペレット燃料用の耐震・衝撃装置・火消し蓋付き壺兼用熱源順応かまどには、複合的マルチタイプの単体移設型システム内容が求められている。本考案の自家製造バイオマスペレット燃料用の耐震・衝撃装置・火消し蓋付き壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫が自家製造バイオマスペレット燃料用の耐震・衝撃装置・火消し蓋付き壺兼用熱源順応かまどである。
【００４８】
本発明に用いる燃料ペレットは特に制限されず、しかしながら、先ず第１に高密度ペレットであることが熱量的に低いものは、制限されるが、次なる制限は、ダイオキシンや重金属の除去されていないものや、余分なものが混在している、例えば、放射能をかぶったバイオマスの除洗が出来ていないものは制限されるが、それらに対して（００４０）特許登録のペレット燃料及び同様に、本特願のペレットは、全てを満たしているから制限されないが、そのように満たされずに制限されないとすれば、寧ろ、環境用途・防衛的には、コークスは、熱量が高くて、バイオマスの使用量を超えない比較バランス範囲内であれば、好ましいのである。
【００４９】
以下、添付図面符号に従って一実施例を説明する、図７・８は、本発明の自家製造バイオマスペレット燃料用の耐震・衝撃装置・火消し蓋付き壺兼用熱源順応かまどの実施例を示す正面図６の断面図である、図７・８中、（５１）は、ストーブ用耐熱珪藻土かまど、（５４）は、バイオマスペレット燃料置き空気孔付き受皿、（５５）、は、かまど空気調整開閉調整口、（６２）は、火消し用落し蓋アジャスター継ぎ手、（６３）は、火消し用落し蓋アジャスター踏み台、（６４）は、火消し用落し蓋アジャスト重量（目皿・火消し蓋・（５４）の燃料より重い）継ぎ手鋳物棒、（６５）は、（６７）継ぎ手と一体構造の鋳物製目皿、（６６）は、（６３）の踏み台の補助取手、（６７）は、火消蓋・目皿自在継ぎ手（一体構造の目皿と継ぎ手・火消し蓋の支点のアジャスターの丁番（７３）にて、シーソー・上下降する）、（６８）は、目皿・火消し蓋アジャスター、（６９）は、火消し蓋（（７２）の目皿の自在取付具によって用をなして、それまでは単なる自在蓋であるが、（６８）のアジャスターの真下に位置して（７１）の火消し壺内を密閉する。）、（７０）は、火消し蓋アジャスター継ぎ手支点、（７１）は、火消し壺・かまど、（７２）は、目皿の火消し蓋自在取付具で、（７９）の自在解除具を併せ持つ、（７３）は、鋳物製目皿（６５）と火消し蓋・目皿自在継ぎ手(６７）との継ぎ手丁番である、図７において、鋳物製目皿（６５）は、鋳物製目皿（６５）と火消し蓋・目皿自在継ぎ手(６７）と目皿と継ぎ手・火消し蓋の支点のアジャスターの丁番（７３）において回動自在に取り付けられており、通常は、（６５）の鋳物製目皿、（６９）の火消し用落し蓋と、（５４）の燃料の総重量より重い継ぎ手鋳物棒（６４）の重力により、火消し蓋・目皿自在継ぎ手（６７）に図中下方向に力が働くことで、鋳物製目皿（６５）は、目皿・火消し蓋アジャスター（６８）よりくり抜かれた形が正確にはまり込む（目皿の枠内定位置）ことで、（７２）の取付具によって（６９）の火消し蓋が（６８）のアジャスターの真下にくるように固定されている。
【００５０】
図５・６・７・８に示す自家製造バイオマスペレット燃料用の耐震・衝撃装置・火消し蓋付き壺兼用熱源順応かまどは、バイオマスペレット燃料をバイオマスペレット燃料置き空気孔付き受皿（５４）内に入れ、（６９）の火消し蓋を（７２）の自在取付具より放すに、（６５）の目皿の隙間から自動で軽く叩き落とすか、（７２）の取付具を解放して（７１）火消し壺・かまど内に落とし、（５５）のかまどの空気調整口を開けて、そこでバイオマスペレット燃料を燃焼させる装置である。
【００５１】
また、使用を中断したい場合等においては、以下のように、（７９）のストッパーを外してから、又は、耐震装置（７７）の金属ボールが、自在解除具（７２）を作動して、（７９）のストッパーが外れて、燃焼中のバイオマスペレット燃料を火消し壺（７１）中に落とし、消火することができる、すなわち、火消し用落し蓋アジャスター踏み台（６３）を足で踏むことによるか、耐震衝撃装置（７７）により、（６５）の目皿、（６８）の火消し用落し蓋、（５４）の中身の燃料の合計重量より（６４）の鋳・鉄棒の重量は、重いか、又は、尚更に合計重量に加えて、（７７）の金属ボールの移動落下荷重によって一時的に２倍まで重くなる耐震装置の金属ボール（７７）との合計により重くなった分、逆に軽くなる継手鋳・鉄棒（６４）が、図中、前記の何れかによって上方向に移動し、火消し用落し蓋アジャスター継ぎ手（６２）及び火消し蓋・目皿自在継ぎ手（６７）が、図中、上方向に移動すると、目皿・火消し蓋アジャスター（６８）の真下にくるように固定されていた鋳物製目皿（６５）は、目皿と継ぎ手・火消し蓋の支点のアジャスターの丁番（７３）において下方向に回転して、図８に示す状態になる、したがって、バイオマスペレット燃料置き空気孔付き受け皿（５４）内の燃料ペレットが火消壺内に落下して、燃料と（７７）の金属ボールの落下荷重が元に戻った重量合計の軽くなった分、重量を上回った継手鋳・鉄棒（６４）の重力にて、継手（６２）と下方向に移動して、継手（６７）と一体構造の（６５）は丁番（７３）においてシーソー回転上降して、（６５）は（７２）によって火消し蓋（６８）をとらえた状態にて、（５５）の空気開閉調整口を締めれば、密封した状態となり、火消し壺内は酸素不足の状態になっている為、消火がおこなわれる、この状態を、前記（００４６）図７のこと・図７でより詳細に説明する。
【００５２】
図７において、火消用落し蓋アジャスター踏み台（６３）から足を離すと、火消用落し蓋アジャスト重量（目皿より重い）継ぎ手鋳物棒（６４）が、図中、重力により下方向に移動し、火消用落し蓋アジャスター継ぎ手（６２）及び火消蓋・目皿自在継ぎ手（２７）が、図中、（６７）・（６５）の一体構造が（７３）の丁番を支点にシーソー下方向に移動することで、鋳物製目皿（６５）と（７２）の火消蓋の目皿自在取付具は、目皿・火消蓋アジャスター（６８）の枠内定位置・真下に固定されて、尚更に、より安全確保のために（７９）の安全ストッパーを掛けて、（５５）の空気開閉調整口を閉めると消火出来て、前記（５５）の調整口を開けて火消し蓋（６９）を（７１）内に落とせば、着火燃焼出来る。
【００５３】
また、火消し壺（７１）内に落下し、消火されたバイオマスペレット燃料は、再利用することができる、前記（００４０）の特許文献並びに前記バイオマス堆肥燃料ペレット自家製造装置で造られたペレットを含めた燃料ペレットは、高密度・燃焼の、着火し難いが高カロリーなので、ポリプロピレンを原料としたものを穴空き金属製ペレット状カプセルに収納させた着火装置を使用することが好ましい。
【００５４】
本発明の第５は、本考案の自家製造バイオマスペレット燃料用の耐震・衝撃装置・火消し蓋付き壺兼用熱源順応かまどを熱源として利用する前記ストーブ放熱熱源組込機である、本考案のストーブ放熱熱源組込機の正・側面図を図９、１０に示す、また、図９、１０中、（４１）は、自家製造バイオマスペレット燃料用の耐震・衝撃装置・火消し蓋付き壺兼用熱源順応かまど、（５４）は、バイオマスペレット燃料置き空気孔付き受皿、（７４）は、ストーブ煙突、（７５）は、薪ストーブ窓、（７６）は、ストーブ灰皿受けであるので、薪を燃やし入れたいときには、前記の自家製造バイオマスペレット燃料用の耐震装置・火消し蓋付き壺兼用熱源順応かまどをストーブから取り出して、（５２）のアジャストを設ければ、薪ストーブになる。
【００５５】
本発明の第６は、本考案の前記自家製造バイオマスペレット燃料用の耐震・衝撃装置・火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記自家発電機で発生した電気によって、一つ目は、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（４２）の内蔵センサー付き高出力電気ヒーターの出力調整によって、内燃機関のアイドリング状態似から、高出力最大まで自在に出せることから、エネルギー供給が、調整・複合・持続されて、余剰電気は、分配・売電出来て、二つ目は、（５０）の電力変換装置より電気をバッテリーに各別充電して、尚且つ電力変換装置を経て各別電源に変換して自己完結的に利用できる自家発電機装置であり、駆動サポートするボイラー、蒸気タービン、熱交換器や熱湯保温庫等一連に与する冷暖房空調機とを備える、発電機・冷暖房空調装置である。
【００５６】
本発明の発電・冷暖房空調機装置のシステム模式図を図１１に示す、図中、自家製造バイオマスペレット燃料用の耐震・衝撃装置・火消し蓋付き壺兼用熱源順応かまど（１）で発生した熱により、ボイラー（４２）に収容された液体（沸点調性剤使用も可）を沸騰させ、高温、高圧蒸気により  蒸気タービン（４３）を高速回転して高出力発電をおこし、得られた電気により、各別電源として用いる自家発電機装置であり、余力各別電気は、（４２）の内蔵ヒーター作動時も共に持続複合化と温度自動調整使用可能にして、充電・売電し、尚且つ保温庫を以って給湯・床・空調冷暖房をも十二分にサポートして行う装置であり、図１１中、（４１）は、前記自家製造バイオマスペレット燃料用の耐震・衝撃装置・火消し蓋付き壺兼用熱源順応かまど、（４２）は、温度自動調整機付きボイラー、（４３）は、蒸気タービン、（４４）は、発電機、（４５）は熱交換器、（４６）は、電気モーター（電力は自己完結方式）、（４７）は、循環ポンプ、（４８）は、発電余力電力の充電用安全機、（４９）は、充電器  、（５０）は、電力変換機装置である。
【符号の説明】
【００５７】
１・・バイオマス堆肥搬入口
２・・ビレット押込用ステム取手
３・・ステム
４・・ジャッキ手動ハンドル
５・・ジャッキアップ
６・・コンテナ
７・・ダイス孔
８・・ジャッキ止めコンテナ金具
９・・ジャッキアップのエア抜き
１０・・シリンダー
１１・・ダミーブロック
１２・・オイルシーリング
１３・・ダミーブロックカバー
１４・・スプリング
１５・・蓋アジャスト
１６・・バイオマス粉砕機
２０・・生ゴミ・バイオマス粉砕投入口
２１・・水道水差込口
２２・・水道蛇口
２３・・水道水ホース簡易繋器
２４・・デイスポーザー排出口
２５・・粉砕バイオマス受け皿
２６・・ハンドル付回転式攪拌器付出し入れ可能な発酵機及び発酵外容器（攪拌器付発酵機）
２７・・ハンドル付回転式攪拌容器
２８・・ハンドル付回転式攪拌器付出し入れ可能な熟成・乾燥発酵器（乾燥発酵器）
２９・・ペレット製造機
３０・・テーブル
３１・・空気穴
３２乃至４０は空欄
４１・・・出し入れ自在、自家製造バイオマスペレット燃料用の耐震・衝撃装置・火消し蓋付き壺兼用熱源順応かまど
４２・・・ボイラー（温度センサー付き、自動温度調整付き自己完結型電気ヒーター・切換機装置内蔵）
４３・・・蒸気タービン
４４・・・自家発電機
４５・・・熱交換器
４６・・・電気モーター（電力は自己完結方式）
４７・・・循環ポンプ
４８・・・発電気の電力変換機装置と充電機の安全機
４９・・・充電器
５０・・正弦波長・電力変換装置
５１・・ストーブ用の耐熱珪藻土かまど
５２・・アジャスト薪空気孔付き受け皿（薪を用いる場合のストーブ用部材。）
５３・・前記１の火消開閉蓋（取換用部品。）
５４・・バイオマスペレット燃料置き空気孔付き受皿（６８と一体構造の鋳物）
５５・・かまど空気開閉調整口（引き違い戸かはめ込み栓方式の何れか。）
５６・・アジャスト空気孔筒伸縮調性蛇腹（内気導入を止めて、外気導入時の備品）
５７・・スチール着火カプセル（ポリプロピレン金属製発火口付カプセル）
５８・・ストーブ（（４１）の放熱熱源組込機装置）
５９・・モーター・除湿調性用ヒーター付き送風ファン
６０・・冷媒機（熱交換器に繋がった保温庫につながる）
６１・・モーター付き圧縮ポンプ（冷暖切換機付き）
６２・・火消し用落し蓋アジャスター継ぎ手
６３・・火消し用落し蓋アジャスター踏み台
６４・・火消し用落し蓋アジャスト重量（目皿＋火消し蓋＋（５４）の燃料合計より重い。）継ぎ手鋳・鉄棒
６５・・６７継ぎ手と一体構造の鋳物製目皿（（６８）のアジャスターを目皿の型に刳り抜いた形体）
６６・・踏み台の補助取っ手
６７・・火消蓋・目皿自在継ぎ手（６８）アジャスターの丁番（７３）を支点に上下降する）
６８・・目皿・火消し蓋アジャスター・フェンダー（１４）・（２７）と同質の鋳物で（１４）と一体構造）
６９・・火消蓋（（７２）取付具によって（６５）の目皿と一体化出来、それまでは落蓋。）
７０・・火消蓋アジャスター継ぎ手支点
７１・・火消し壺・かまど（珪藻土。）
７２・・目皿の火消蓋自在取付具（（７９）の作動自在解除具併せ持つ、（７９）のストッパーを外す）
７３・・目皿と継ぎ手・火消蓋の支点のアジャスターの丁番
７４・・ストーブ煙突
７５・・薪ストーブ窓
７６・・ストーブ灰皿受け
７７・・耐震衝撃装置金属ボールの（７２）解除具に金属ボールが転がり衝突作動
７８・・外壁ステンレス板（珪藻土外壁強化材）
７９・・安全ストッパー（６９の火消し蓋が動かぬ様に固定化、（７７）の（７２）によって外れる）
８０・・保温庫（熱交換器に繋がる二重構造の配管放熱螺旋形パイプ保温庫内蔵と、保温庫の熱湯給湯・床暖・熱湯保温し（床暖引込口・パイプ等埋設設備複数予備パイプライン・ジョイントあり、）、冷媒機に接続される）
８１・・ヒーター（湿度調整）（５９）のヒーターに同じ
８２・・（５１）の保護鋳物フェンダー（（６８）のフェンダーと同じ働き）
【手続補正２】
【補正対象書類名】特許請求の範囲
【補正対象項目名】全文
【補正方法】変更
【補正の内容】
【特許請求の範囲】
【請求項１】
家庭・事業所用生ごみ・バイオマスを発酵させて水分含有量が１０〜２０重量％のバイオマス堆肥燃料を製造するバイオマス燃料堆肥製造機と、該バイオマス堆肥製造機により製造された無定形のバイオマス堆肥からペレット状のバイオマス堆肥・燃料とするペレット製造機とで構成されてなる家庭・事業所用バイオマス堆肥燃料ペレット製造装置であって、前記バイオマス燃料堆肥製造機と前記ペレット製造機とで作られた自家製造バイオマス燃料ペレットを用いることは、エネルギーの変換増大化装置を同時複合的に用いて、尚更に、グリーンエネルギーを保持・持続させる自家製造発電エネルギーミニプラントの礎である、前記バイオマス堆肥製造機は、出し入れ可能な穴開き・濾過式攪拌機付き内箱容器とを有する二重構造の発酵機を備えるものであり、前記内箱容器内において、生ごみと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が、１０〜２０重量％のバイオマス堆肥を製造するものであり、前記家庭・事業所用バイオマス堆肥燃料ペレット製造機は、シリンダを有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、前記ダイス孔に対向する方向から前記コンテナ内に押し入れ可能で、投入されたバイオマス堆肥をコンテナ内にビレット状態に押し詰めるピストン状のステムと、前記ステムをコンテナ内に押し入れ、該コンテナ内のビレット状態のバイオマス堆肥を圧縮して前記ダイス孔からペレット状に押し出す、縦置きの状態で、重さ１０トンの物を上方に持ち上げることができるだけの圧力を加えることができる、横置きされたジャッキアップとを有し、前記コンテナとシリンダーは、前記ジャッキアップの高圧力に耐えうる材質からなり、かつ、前記ステムの先端には、ダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために、前記ステムを、前記コンテナ内に出し入れさせる手動の取っ手が、設けられており、かつ、前記ステムは、スプリングを介して、前記コンテナに取り付けられ、前記ステムが、前記コンテナに押し込まれた後、前記スプリングの弾性力・撓み力により略元の位置に戻るものであることを特徴とするバイオマス堆肥燃料ペレット自家製造装置。
【請求項２】
前記家庭・事業所用生ごみ・バイオマス堆肥燃料を製造する自家製バイオマス堆肥燃料製造装置は、生ごみ・バイオマスを粉砕・水洗・放射能除染するデイスポーザーと、該デイスポーザーにより水洗・除染・粉砕された粉砕小片と腐葉土と消石灰の混合物と、ダイオキシン・重金属に汚染された紙類・バイオマスの紙粘土状にしたバイオマスから消石灰でダイオキシン・重金属を除去した状態となったものとを合わせて発酵を行って、堆肥燃料を製造する、手動撹拌器付き耐熱性金属板網状・穴開き内容器とコック栓付き耐熱性金属板外容器とからなる、二重構造の耐熱手動式撹拌器付き堆肥燃料製造器とを備え、前記コック栓付き耐熱外容器が、耐熱性材料からなる外壁を有し、ダイオキシン・重金属に汚染された、紙粘土状のバイオマスは、消石灰と混ぜて、３００℃〜５００℃で反応を行ってダイオキシン・重金属を除去した状態とする家庭・事業所用ミニ高温反応釜でもある、請求項１に記載のバイオマス堆肥燃料ペレット自家製造装置。
【請求項３】
前記バイオマス堆肥燃料製造機が、出し入れ可能な穴開き・濾過式攪拌機付き内箱容器と外箱容器とを有する二重構造の発酵機を備えるものであり、生ゴミと腐葉土を混合してなる粉砕小片であって、水分含有量５０〜８０重量％のものを発酵させた後、得られた発酵物を前記穴開き・濾過式攪拌機付き内箱容器のまま外に出して発酵物を風通しよくして熟成・乾燥させることで、水分含有量が１０〜２０重量％のバイオマス堆肥を製造するものである請求項１〜２のいずれかに記載のバイオマス堆肥燃料ペレット自家製造装置。
【請求項４】
前記ステムの先端にはダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられていることを特徴とする請求項１〜３のいずれかに記載のバイオマス堆肥燃料ペレット自家製造装置。
【請求項５】
前記ステムはスプリングを介して前記コンテナに取付けられ、前記ステムが前記コンテナ内に押し込まれた後、前記スプリングの弾性力・撓み力により略元の位置に戻るものである請求項１〜４のいずれかに記載のバイオマス堆肥燃料ペレット自家製造装置。
【請求項６】
前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである請求項１〜５のいずれかに記載のバイオマス堆肥燃料ペレット自家製造装置。
【請求項７】
少なくとも上部に開口部を有する耐熱性容器と、前記耐熱性容器の上部の開口部を開閉できるように設けられた耐震衝撃装置・火消し蓋付き壺と、熱源かまどが一体化して、着火装置とを備える、請求項１〜６のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまど。
【請求項８】
前記耐熱性容器が、珪藻土製の容器である、請求項１〜７のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまど。
【請求項９】
さらに、踏み台と、前記踏み台と前記耐震・衝撃装置・火消し蓋付きとを連結する火消し蓋開閉機構とを備える耐震・衝撃装置・火消し蓋付き壺兼用熱源順応かまどであって、耐震・衝撃装置の作動によるか、踏み台を操作することで、火消し蓋開閉機構を通じて、火消し蓋の開閉状態を制御するものである、請求項１〜８のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまど。
【請求項１０】
前記着火装置が、ポリプロピレンを原料としたものを穴空き金属製ペレット状カプセルに収納させたものである、請求項１〜９のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまど。
【請求項１１】
請求項１〜１０のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまどを熱源として用いるストーブ放熱熱源組込み機装置。
【請求項１２】
請求項１〜１１のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例した高出力電気エネルギーに変換する自家発電機と、前記自家発電機で発生した電気をバッテリー充電器と電力変換装置を通して使用したり、電源として直接使用したり、自動機器に組込んで電気動力に直接使用することも出来て、バッテリーを軽量・小型化出来て、外部からの充電・そのための時間の必要が無くなる等々出来る自家発電機装置。
【請求項１３】
請求項１〜１２のいずれかに記載のバイオマス堆肥燃料ペレット自家製造装置で造られたペレットを用いた、自家製造バイオマスペレット燃料用の耐震・衝撃装置・火消し蓋付き壺兼用熱源かまどを熱源として用いるボイラーと、前記ボイラーで発生した高温・圧蒸気で駆動する蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造バイオマスペレット燃料用の耐震・衝撃装置・火消し蓋付き壺兼用熱源順応かまどの前記ボイラー加熱とを加えた加熱量によって、保温庫内給湯量の大量使用の冷水入れ替え時、暖房使用期間や発電不要時には、前記ボイラー内加熱ヒーターの自動温度調整よって内燃機関のアイドリング状態似の低出力発電にも対応出来る、尚更に、給湯水装置不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項１４】
請求項１〜１３のいずれかに記載のバイオマス堆肥燃料ペレット自家製造装置で造られたペレットを用いた、自家製造バイオマスペレット燃料用の耐震・衝撃装置・火消し蓋付き壺兼用熱源順応かまどの前記上部の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、前記ボイラー内蔵高出力電気の前記ヒーターによって低速から高速まで持続してエネルギーを供給できる自家製造バイオマスペレット燃料の耐震・衝撃装置・火消し蓋付き壺兼用熱源順応かまどのエネルギーの前記ストーブ放熱熱源組込機・電気動力装置組込機・冷暖房空調機・熱湯保温庫・給湯機・自家発電機装置を同時に複合化使用することで、そのエネルギーを調整・保持・持続・増大化出来るエネルギー各種変換増大・調整・保持・持続化装置。
【手続補正書】
【提出日】平成24年8月6日(2012.8.6)
【手続補正１】
【補正対象書類名】明細書
【補正対象項目名】００１８
【補正方法】変更
【補正の内容】
【００１８】
その後、発酵物を、攪拌器付発酵器２６から乾燥発酵器２８中にそのまま移し、乾燥発酵器２８を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【手続補正２】
【補正対象書類名】明細書
【補正対象項目名】００３９
【補正方法】変更
【補正の内容】
【００３９】
そして、バイオマス堆肥をシリンダー１０内に充填し、再度ジャッキ手動ハンドル４を下方に倒すことにより、バイオマス堆肥をビレット状態としたのち、ダイス孔７からバイオマス堆肥のペレットを取り出すことができる、これらの操作を繰り返すことにより、バイオマス堆肥のペレットを連続的に製造することができる、
本発明に関連して、特許証登録内容にも、前記内容の自家製の高密度・熱量グリーンなバイオマスペレット燃料の製造方法が登録されている。
【手続補正３】
【補正対象書類名】明細書
【補正対象項目名】００４１
【補正方法】変更
【補正の内容】
【００４１】
かくして本発明によれば、下記（１）〜（４）の前記ペレット製造装置で作られたペレットを用いる自家製造バイオマスペレット燃料用の耐震・衝撃装置・火消し蓋付き壺兼用熱源順応かまど・下記（５）の前記ペレット製造装置で作られたペレットを用いるストーブ放熱熱源組込み機装置・下記（６）の前記出し入れ自在の自家製造バイオマスペレット燃料用の耐震・衝撃装置・火消し蓋付き壺兼用熱源順応かまどを用いた自動電気動力発電装置・（７）の前記ペレット製造装置で作られたペレットを用いる冷暖房空調機装置・下記（８）の前記ペレット製造装置で作られたペレットを用いた熱量を活用する床冷暖房・給湯機装置・下記(９)の前記ペレット製造装置で作られたペレットを用いた高温・高圧蒸気を高速回転に変換する自家発電機装置・下記（１０）の前記ペレット製造装置で作られたペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、自家製造バイオマスペレット燃料用の耐震・衝撃装置・火消し蓋付き壺兼用熱源順応かまど。
（２）前記耐熱性容器が、珪藻土製の容器である、前記（１）に記載の自家製造バイオマスペレット燃料用の耐震・衝撃装置・火消し蓋付き壺兼用熱源順応かまど。
（３）さらに、踏み台と、前記踏み台と前記自家製造バイオマスペレット燃料用の耐震・衝撃装置・火消し蓋付き壺兼用熱源順応かまどとを連結する火消し蓋開閉機構とを備える自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の自家製造バイオマスペレット燃料用の耐震・衝撃装置・火消し蓋付き壺兼用熱源順応かまど。  
（５）前記（１）〜（４）のいずれかに記載の自家製造バイオマスペレット燃料用の耐震・衝撃装置・火消し蓋付き壺兼用熱源順応かまどを熱源として用いるストーブ放熱熱源組込み機装置。  
（６）前記（１）〜（４）のいずれかに記載の自家製造バイオマスペレット燃料用の耐震・衝撃装置・火消し蓋付き壺兼用熱源順応かまどを熱源として用いる後記（７）〜（１０）いずれかに記載の各装置を組み込むに、暖房空調の保温温度低下保護は、自動加熱装置調整範囲内にて、範囲を超える給湯水装置を除外した物と、そうでない物とに分けると、一つは、保温庫給湯水装置を除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で、高出力電気エネルギー化出来て、電気低出力調整も、できることで以てするかであり、自家製造電気エネルギーを前記自動電気動力の内部で直接使用することで、外部電気取入不要にて、バッテリー軽量・小型化でき、調整・持続した高出力電気エネルギーが、電気動力装置に組み込まれた後記（７）〜（１０）いずれかに記載の各装置を用いた自家発電機装置でもって前記自動機器外部の各家庭・事業所使用電気エネルギーをも供給される自動電気動力駆動発電機組込装置。
二つは、保温庫給湯水装置を付帯した後記（７）〜（１０）の装置は、後記（８）の装置を組み込んだ内容の前記自動電気動力駆動装置として、ボイラー内加熱電気ヒーター最大にして、前記自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組み込まれた後記（７）〜（１０）いずれかに記載の各装置を用いた自家発電機装置でもって、自らの自動内蔵自家製電気動力エネルギーに限らず、各家庭・事業所使用電気エネルギーをも供給される自動電気動力駆動発電機組込装置。
（７）前記（１）〜（４）のいずれかに記載の自家製造バイオマスペレット燃料用の耐震・衝撃装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（８）前記（１）〜（４）のいずれかに記載の自家製造バイオマスペレット燃料用の耐震・衝撃装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正４】
【補正対象書類名】明細書
【補正対象項目名】００４２
【補正方法】変更
【補正の内容】
【００４２】
本発明の第３は、家庭・事業所用生ゴミ等の処理は、各市町村において苦慮している社会的問題（経済・環境等々課題）であるが、全てが大型プラント化しているために、非経済的で、むしろ環境破壊に繋がりかねない、そこで、本発明は、かかる実情に鑑みてなされたものであり、家庭・事業所で発生する生ゴミ、落ち葉、大鋸屑、雑草、新聞紙、雑誌等のバイオマスを、各家庭・事業所毎に、安全に、簡易に、年間を通して安定的に、乾燥堆肥・ペレットにすることができる前記バイオマス堆肥燃料ペレット自家製造装置を提供することを目的としているので、上述した実情に鑑みてなされたものであり、より環境にやさしく、どこにでも移設・順応出来る簡単・単純な自家製造バイオマスペレット燃料用の耐震・衝撃装置・火消し蓋付き壺兼用熱源順応かまどが、一体的で、安全なマルチな熱源順応装置である前記バイオマス堆肥燃料ペレット自家製造装置で作られた燃料ペレットを用いた、自家製造バイオマスペレット燃料用の耐震・衝撃装置・火消し蓋付き壺兼用熱源順応かまどおよびポリプロピレンを原料としたものを穴空き金属製ペレット状カプセルに収納させた着火装置・ストーブ放熱熱源組込・自動電気動力組込機器・床及び空調冷暖房・給湯・発電機装置を提供することを目的とする。
【手続補正５】
【補正対象書類名】明細書
【補正対象項目名】００４４
【補正方法】変更
【補正の内容】
【００４４】
（１０）前記（１）〜（４）のいずれかに記載の前記バイオマス堆肥燃料ペレット自家製造装置で作られたペレット燃料を用いた自家製造バイオマスペレット燃料用の耐震・衝撃装置・火消し蓋付き壺兼用熱源順応かまどを熱源として各種増大化装置による同時複合化することで、貴重な前記バイオマスペレット燃料エネルギーを、前記（５４）の目皿に投入燃焼１回分のバイオマスペレット燃料をボイラー（４２）の沸点状態に於ける１とする容量に対して、エネルギー複数容量に変換増大化されたことで、上記の自家製造バイオマスペレット燃料用の耐震・衝撃装置・火消し蓋付き壺兼用熱源順応かまどの前記上部の開口部に投入した前記燃焼１回分のペレット燃料供給が停止されても前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、前記バイオマスペレット燃料を投入して燃焼が開始すれば、前記エネルギー燃焼同様に持続的エネルギー供給して、（４２）内蔵のセンサーによってヒーターは自動的に解除になったり、自動温度調整にて、内燃機関のアイドリング状態似の低速回転の低出力電気となることにより、保温庫内熱湯温度をキープしたままいつでも最大高速回転化出来て、高出力電気エネルギー創出でき、アイドリング状態に出来ない場合でも、特に、自動電気動力の場合は、バッテリーで駆動させて短時間に自家製造バイオマスペレット燃料の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に生ゴミを産業廃棄物化せずに、分散セパレート化したことで、前記（００４０）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供されるバイオマス堆肥燃料ペレット自家製造装置で造られたペレットを用いた、自家製造バイオマスペレット燃料の耐震・衝撃装置・火消し蓋付き壺兼用熱源順応かまどエネルギーの前記（１）〜（１０）いずれかに記載のエネルギー調整・持続供給可能な各種変換増大化装置。
【手続補正６】
【補正対象書類名】明細書
【補正対象項目名】００４５
【補正方法】変更
【補正の内容】
【００４５】
本発明の前記バイオマス堆肥燃料ペレット自家製造装置によれば、家庭・事業所で発生する生ゴミ等のバイオマスから、家庭・事業所毎に高密度・熱量の乾燥堆肥ペレットを簡易に安全に安価に製造することができることから、既存化石燃料等に頼らない国内自給自足できる、本発明のバイオマス堆肥燃料ペレット自家製造装置は、ゴミの減量化、環境保護にも役立つものである、本発明のバイオマス堆肥燃料ペレット自家製造装置は、単純・簡易な構造にして、リーズナブルな低廉価格なものである、
前記のように一極集中的大型プラントでないセパレート家庭・事業所単位毎の前記バイオマス堆肥燃料ペレット自家製造装置で作られたペレット燃料を用いた、複合増大化装置は、ミニプラントであって、対既存化石・電気エネルギーに与しない、費用対効果の高い高密度・熱量グリーンなバイオマスペレット燃料・蒸気エネルギーとによるボイラー蒸気タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政・外交問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭・事業所の生ゴミを産業廃棄物化せずに、前記バイオマス堆肥燃料ペレット自家製造装置で造られたペレットを用いた、自家製造バイオマスペレット燃料用の耐震・衝撃装置・火消し蓋付き壺兼用熱源順応かまど燃焼１回分エネルギーを１容量として同時発生的に使用することで、エネルギー複数容量に増大化・費用対効果を持続的に望める前記（００４１）（５）・（６）の様に、出し入れ自在のマルチタイプの熱源かまどである自家製造バイオマスペレット燃料用の耐震・衝撃装置・火消し蓋付き壺兼用熱源順応かまど・各種変換増大化装置を考案したのである。
【手続補正７】
【補正対象書類名】明細書
【補正対象項目名】００４８
【補正方法】変更
【補正の内容】
【００４８】
本発明に用いる燃料ペレットは特に制限されず、しかしながら、先ず第１に高密度ペレットであることや熱量的に低いものは、制限されるが、次なる制限は、ダイオキシンや重金属の除去されていないものや、余分なものが混在している、例えば、放射能をかぶったバイオマスの除洗が出来ていないものは制限されるが、それらに対して（００４０）特許登録のペレット燃料及び同様に、本特願のペレットは、全てを満たしているから制限されないが、そのように満たされずに制限されないとすれば、寧ろ、環境用途・防衛的には、コークスは、熱量が高くて、バイオマスの使用量を超えない比較バランス範囲内であれば、好ましいのである。
【手続補正８】
【補正対象書類名】明細書
【補正対象項目名】００５３
【補正方法】変更
【補正の内容】
【００５３】
また、火消し壺（７１）内に落下し、消火されたバイオマスペレット燃料は、再利用することができる、前記（００４０）の特許文献並びに前記バイオマス堆肥燃料ペレット自家製造装置で造られたペレットを含めた燃料ペレットは、高密度・熱量の、着火し難いが高カロリーなので、ポリプロピレンを原料としたものを穴空き金属製ペレット状カプセルに収納させた着火装置を使用することが好ましい。
【手続補正９】
【補正対象書類名】特許請求の範囲
【補正対象項目名】請求項１
【補正方法】変更
【補正の内容】
【請求項１】
家庭・事業所用生ごみ・バイオマスを発酵させて水分含有量が１０〜２０重量％のバイオマス堆肥燃料を製造するバイオマス燃料堆肥製造機と、該バイオマス堆肥製造機により製造された無定形のバイオマス堆肥からペレット状のバイオマス堆肥・燃料とするペレット製造機とで構成されてなる家庭・事業所用バイオマス堆肥燃料ペレット製造装置であって、前記バイオマス燃料堆肥製造機と前記ペレット製造機とで作られた自家製造バイオマス燃料ペレットを用いることは、エネルギーの変換増大化装置を同時複合的に用いて、尚更に、グリーンエネルギーを保持・持続させる自家製造発電エネルギーミニプラントの礎である、前記バイオマス堆肥製造機は、出し入れ可能な穴開き・濾過式攪拌機付き内箱容器とを有する二重構造の発酵機を備えるものであり、前記内箱容器内において、生ごみと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が、１０〜２０重量％のバイオマス堆肥を製造するものであり、前記家庭・事業所用バイオマス堆肥燃料ペレット製造機は、シリンダを有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、前記ダイス孔に対向する方向から前記コンテナ内に押し入れ可能で、投入されたバイオマス堆肥をコンテナ内にビレット状態に押し詰めるピストン状のステムと、前記ステムをコンテナ内に押し入れ、該コンテナ内のビレット状態のバイオマス堆肥を圧縮して前記ダイス孔からペレット状に押し出す、縦置きの状態で、重さ１０トンの物を上方に持ち上げることができるだけの圧力を加えることができる、横置きされたジャッキアップとを有し、前記コンテナとシリンダーは、前記ジャッキアップの高圧力に耐えうる材質からなり、かつ、前記ステムの先端には、ダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために、前記ステムを、前記コンテナ内に出し入れさせる手動の取っ手が、設けられており、かつ、前記ステムは、スプリングを介して、前記コンテナに取り付けられ、前記ステムが、前記コンテナに押し込まれた後、前記スプリングの弾性力・撓み力により略元の位置に戻るものであることを特徴とする高密度・熱量バイオマス堆肥燃料ペレット自家製造装置。
【手続補正書】
【提出日】平成24年8月6日(2012.8.6)
【手続補正１】
【補正対象書類名】明細書
【補正対象項目名】００４８
【補正方法】変更
【補正の内容】
【００４８】
本発明に用いる燃料ペレットは特に制限されず、しかしながら、先ず第１に高密度ペレットで無いことや熱量的に低いものは、制限されるが、次なる制限は、ダイオキシンや重金属の除去されていないものや、余分なものが混在している、例えば、放射能をかぶったバイオマスの除洗が出来ていないものは制限されるが、それらに対して（００４０）特許登録のペレット燃料及び同様に、本特願のペレットは、全てを満たしているから制限されないが、そのように満たされずに制限されないとすれば、寧ろ、環境用途・防衛的には、コークスは、熱量が高くて、バイオマスの使用量を超えない比較バランス範囲内であれば、好ましいのである。
【手続補正書】
【提出日】平成24年9月17日(2012.9.17)
【手続補正１】
【補正対象書類名】明細書
【補正対象項目名】全文
【補正方法】変更
【補正の内容】
【発明の詳細な説明】
【技術分野】
【０００１】
本発明は、前記バイオマス堆肥燃料ペレット自家製造装置で造られた「高密度・熱量ペレット」を用いた専用ボイラーの熱源かまどとしても、又、単独でも料理用かまどとしても、また、前記ストーブ放熱熱源組込み機として、尚更に、自動電気動力組込機器としての活用も出来て、前記ボイラーで発生した高温・圧蒸気で駆動する、前記蒸気タービン駆動の高速回転に比例する高出力自家発電機と充電器・電力変換機で各種電源も用意出来て、熱交換器・熱エネルギー保温庫を以って、前記保温庫に繋がる冷媒機と自家発電の電気によって駆動・送風するモーターポンプ・送風機で、給湯・床冷暖・空調冷暖両用となる、前記高密度・熱量のペレット燃料を用いた自家製造バイオマスペレット燃料用の耐震・衝撃装置・火消し蓋付き壺兼用熱源順応かまどを熱源とした蒸気タービンの高速回転に比例した高出力発電機の固定・自動動力方式に関する。
【背景技術】
【０００２】
前記ペレット類等を燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造ったり、扱えなくて、負の生産が甚だしいので、負を減らすには、従来、ゴミの減量化、エコロジー等を目的として、家庭・中小事業所で発生する生ゴミ等のバイオマスを発酵させて無定形のバイオマス堆肥としては、種々のものが知られている、しかしながら、従来の堆肥製造機は装置が大掛かりで、かつ、システムが複雑過ぎて内容的に難しく、各家庭・中小事業所で用いるには高価であり、取り扱いが難しく、しかも維持費もかかりすぎるという問題がありながら、ペレット化して燃料・肥料源として用いることが注目されて、尚、家庭・事業所のゴミを産業廃棄物化しない装置で、より費用対効果ある家庭・事業所単位のセパレート化が希求されていて、尚更に、前記バイオマス堆肥燃料ペレット自家製造装置で作られた燃料ペレットを用いた前記自家製造バイオマスペレット燃料用の耐震・衝撃装置・火消し蓋付き壺兼用熱源順応かまどを熱源とする各種複合化機械装置を同時に使用することで以って、エネルギーの複合・増大・持続した高出力電気エネルギーに変換することで費用対効果が大いに希求期待されるのである。
【０００３】
本発明の第１は、前記バイオマス堆肥燃料ペレット自家製造装置で、ペレット燃料を自家製造するために、家庭・事業所で発生した生ゴミ等のバイオマスを発酵させて、無定形のバイオマス堆肥を製造するバイオマス堆肥製造機と、該バイオマス堆肥製造機により製造された無定形のバイオマス堆肥からペレット状のバイオマス堆肥燃料とする高密度・熱量ペレット製造機とで構成されてなる前記バイオマス堆肥燃料ペレット自家製造装置に関する。
【０００４】
一方、無定形のバイオマス堆肥のペレット化は、従来、木材大鋸屑のノンロースト・ローストペレット製造機等、主として各自治体の大型プラント工場に設置されたペレット製造機により行われている、このようなペレット製造機は、比較的小型のものでも価格が数百万円と高価であり、個人、家庭・中小事業所単位で購入することは困難である、また、このような大型プラントに設置されたペレット製造機を用いたのでは、ペレット製造過程、商品燃焼使用時に、ダイオキシンが発生する等の環境破壊がなされ、しかも、低密度・熱量で、本末転倒となる場合もある。
【０００５】
かくして本発明によれば、下記（１）〜（５）の前記バイオマス堆肥燃料ペレット自家製造装置が提供される。
【０００６】
（１）バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、
前記ペレット製造機は、投入されたバイオマス堆肥がビレット状態で保持可能なシリンダ状の内部空間を有するコンテナと、前記コンテナの上側面部に設けられたバイオマス堆肥が投入される投入口と、前記コンテナの一端に設けられた、圧力によりペレットが押し出されるダイス孔と、前記ダイス孔に対向する他の一端側から前記コンテナ内に押し入れ可能で、投入されたバイオマス堆肥をコンテナ内にビレット状態に押し詰めるピストン状のステムと、前記ステムを前記コンテナ内に押し入れ、前記コンテナ内のビレット状態のバイオマス堆肥を圧縮して前記ダイス孔からペレット状に押し出すジャッキアップとを有することを特徴とするバイオマス堆肥燃料ペレット自家製造装置。
【０００７】
（２）前記バイオマス堆肥燃料ペレット自家製造装置は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものである（１）に記載のバイオマス堆肥燃料ペレット自家製造装置。
（３）前記ペレット製造機のコンテナはダイス孔が中央に設けられたすり鉢状の形状を有し、前記ステムの先端には、前記すり鉢状のコンテナの形状に対応する砲弾形状のダミーブロックが設けられ、前記ステムの前記ジャッキアップ側には、バイオマス堆肥をコンテナ内にビレット状態に押し詰めるために前記ステムを前記コンテナ内に出し入れさせる手動の取手が設けられていることを特徴とする（１）〜（２）に記載のバイオマス堆肥燃料ペレット自家製造装置。
（４）前記ペレット製造機のステムは、スプリングを介して前記コンテナに取付けられ、前記取手で前記コンテナ内に押し込んだときにスプリングの弾性力により元の位置に戻るものである（１）〜（３）のいずれかに記載のバイオマス堆肥燃料ペレット自家製造装置。
（５）前記ジャッキアップが、油圧手動式のものであり、ダイス孔よりバイオマス堆肥燃料ペレットが押し出された後、ジャッキアップエア抜きをすることで、前記ステム及びダミーブロックと連動してジャッキアップが、略元の状態に戻るものであり、戻らない時は、引っ張りスプリング１４の弾性力と２の取っ手を手で叩き込み衝撃を加えれば、撓み力の２倍になって跳ね返ることにより戻る、（１）〜（４）のいずれかに記載のバイオマス堆肥燃料ペレット自家製造装置。
【０００８】
ここで、「バイオマス」とは、再生可能な、生物由来の有機性資源で化石資源を除いたもの、つまり、太陽エネルギーと水や土といった自然を使って生物が作り出した様々な資源エネルギーを意味し、本明細書においては、特に、家庭・事業所で発生する生ゴミ、落ち葉、大鋸屑、雑草、新聞紙、雑誌等を指す。
【０００９】
本発明の前記バイオマス堆肥燃料ペレット自家製造装置（以下、単に「ペレット製造装置」ということがある。）の一例を図１に示す、図１中、（ａ）は正面図、（ｂ）は平面図である。
【００１０】
図１に示す堆肥ペレット製造装置１００は、図２に示す、無定形のバイオマス堆肥を製造するバイオマス堆肥製造機１００Ａと、図３に示す、バイオマス堆肥のペレットを製造するペレット製造機１００Ｂとで構成されてなる、
また、ペレット製造機１００Ｂのシリンダー部分の断面図を図４に示す。これらの詳細については、後述する。
【００１１】
図１に示す堆肥ペレット製造装置１００において、バイオマス堆肥製造機１００Ａ及びペレット製造機１００Ｂは、テーブル（３０）上に設置されている、ペレット製造装置１００・１００Ａによれば、各家庭・事業所で発生する生ゴミ等のバイオマスを、バイオマス堆肥製造機１００・１００Ａの（２６）・（２７）・（２８）により得られた乾燥・発酵・熟成された水分含有量が１０〜２０重量％のバイオマス堆肥とした後、前記バイオマス堆肥を、ペレット製造機１００Ｂにより、手動ではあるが、連続的に、高圧力で圧縮された高密度・熱量バイオマス堆肥ペレットとすることができる。
【００１２】
図１、２に示すバイオマス堆肥製造機１００・１００Ａの（２６）・（２７）・（２８）は、バイオマス粉砕投入口（２０）、バイオマス粉砕機（１６）、粉砕バイオマス受け皿（２５）、ハンドル付回転式攪拌容器（２７）、ハンドル付回転式攪拌器付出し入れ可能な発酵機及び発酵外容器（以下、単に「攪拌器付発酵機」という。）（２６）、並びに、ハンドル付回転式攪拌器付出し入れ可能な熟成・乾燥発酵器（以下、単に「乾燥発酵器」という。）（２８）からなる、なお、図１の１００のa中、（２１）は水道水差込口、（２２）は水道蛇口、（２３）は水道水ホース簡易繋器、（２４）はディスポーザー排水口、並びに、図２の１００Aの（３１）は、空気穴である、前記攪拌器付発酵機（２６）は、出し入れ可能な穴開き内箱容器を有する二重構造容器であり、発酵温度を保つことができる。
【００１３】
図２に示すバイオマス堆肥製造機１００Ａにより、以下に述べる手順にてバイオマス堆肥を得ることができる、バイオマス堆肥製造機は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものであるのが好ましい。
【００１４】
先ず、処理の対象となる生ゴミ等のバイオマスと腐葉土とを、バイオマス粉砕投入口（２０）に投入し、バイオマス粉砕機（１６）内で２０ｍｍ以下の大きさに粉砕する。
【００１５】
バイオマス粉砕投入口（２０）から投入されたバイオマス及び腐葉土は、水道水差込口（２１）から流入された水と混合され、粉砕・流出され、ディスポーザー排水口（２４）から排出されて粉砕バイオマス受け皿（２５）に送られ、水分含有量５０〜８０重量％、好ましくは６０％〜７０％程度（水を絞って手に水分を感じられる状態を目安に、現在の重量計測にて計算する。）となるように水切りされる。
【００１６】
次いで、水切りされた粉砕バイオマス（大鋸屑、新聞紙、雑誌等のバイオマスは紙粘土化した状態となっている。）、及び腐葉土を、攪拌器付発酵器（２６）中に投入し、ここで十分に発酵させる、例えば、粉砕バイオマスを、攪拌器付発酵器（２６）中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど十分に発酵させる。
【００１７】
発酵を開始させるには、攪拌器付発酵器（２６）の容量７分目までの場合には、消石灰を堆肥容量の１．０％〜１．５％投入攪拌することにより、アンモニアと水と塩化カリウムに分解されるものと考えられることから、塩化カリウムの化学反応による発熱温度が発酵を促進して行う、攪拌器付発酵器（２６）の容量７分目より多くなってからの温度調整は、砂糖（低温時温度上昇）と塩（高温時温度下降）を用いることにより行う、
なお、一旦発酵が開始すれば、その後は、粉砕バイオマスを投入するだけで、腐葉土をほとんど投入する必要はない、あたかも漬物のぬか床のごとくである。
【００１８】
その後、発酵物を、二重構造の攪拌器付発酵器（２６）から乾燥発酵器（２８）中にそのまま（２６）の内容器を抜き出して移し、乾燥発酵器（２８）を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【００１９】
なお、発酵時の臭い対策は、攪拌した状況をめどに、天候や臭いの度合いに合わせて、木酢を堆肥容積の２％分水溶液１００ｃｃを入れて調整することにより行うことができる。
【００２０】
次いで、得られた無定形のバイオマス堆肥を、図３に示すペレット製造機１００Ｂにより、ペレット化する。
【００２１】
図１・３・４に示すペレット製造機１００Ｂ・（２９）は、バイオマス堆肥投入口（１）、ステム（３）、ビレット押し込み用取手（２）、ジャッキ手動ハンドル（４）、ジャッキアップ（５）、図示しないシリンダー（１０）を支えるコンテナ（６）、及びダイス孔（７）からなる。
【００２２】
図３、４に示すペレット製造機１００Ｂは、本発明の堆肥ペレット製造装置の連関一部であって、コンテナ（６）の左側内部にはシリンダー空間を構成するシリンダー（１０）が設けられており、その右側には、高圧力の手動ジャッキアップ（５）が設けられている、これを電気式油圧ジャッキアップとすることも好ましい。
【００２３】
コンテナ（６）は、内部に円筒状の空間を有し、軽量化が必然的に求められるので、強度と材質が重要であり、強度計算を基にハニカム構造とすることが好ましい、
コンテナ（６）の材質は、使用場所・目的・環境条件に合わせて決定することができる、コンテナ（６）の材質としては、鋼鉄・アルミニウムが好ましい。
【００２４】
ステム（３）及びダミーブロック（１１）は、ジャッキアップ（５）を挟んで５〜１０トンの圧力をコンテナにて受け止め耐え得る材質（例えば、鋼鉄製、ステンレス製、アルミ合金製など）からできている。
【００２５】
ステム（３）は、その先端にすり鉢状のコンテナの形状に対応する砲弾形状を有し、高圧力をダミーブロック（１１）に伝える役割を果たす、ステム（３）は、ダイス孔に対向する片方の口のスライドしないアジャスト蓋（１５）部分が不動ネジ式締付アジャストとなって、図中左右に正確にスライド可能となっている。
【００２６】
ビレット押込用取手（２）、ダミーブロック（１１）及びステム（３）は、一体となって同一スライド運動可能にて、撓みのある単体スプリング（１４）の引っ張り弾性運動はそれに対して常に共用されている。
【００２７】
ダミーブロックカバー（１３）は、ステム取手（２）を手動にて投入口（１）よりバイオマス堆肥を押し込む際に、スプリング室内（ダミーブロック（１１）、ステム（３）の部分）に入り込まないようにするために設置される、すなわち、スプリング（１４）が異常なく働くためにダミーブロックカバー（１３）に因って乾燥堆肥、その他の物がステム３とスプリング（１４）の空間に入り込まない構造となっている。
【００２８】
また、ダミーブロック（１１）の外側面には、オイルシーリング（１２）が設けられている、オイルシーリング（１２）は、潤滑油をフェルトシーリングに滲み込ませてビレット内壁シリンダーとの摩擦抵抗を減らし、尚且つ圧縮密度を高めることを目的として設置される。これによって潤滑性能を上げて、シリンダー内気密を高める効果を得ることができる。
【００２９】
ダイス孔（７）は鉄製焼入製で内側は、すり鉢形状を有し、筒型シリンダーの片方の口の中央に設けられている、ダイス孔の大きさは適宜設定することができる（例えば、直径４〜６ｍｍ程度にて背圧とペレット出来具合の調整できることが好ましい）。
【００３０】
ジャッキアップ（５）は油圧手動となっており、ダイス孔（７）に対向する片方の口のスライドしない不動アジャスト蓋（１５）部分と、前項のダミーブロック（１１）との両端に前項のスプリング（１４）が固定されている、そして、スプリング（１４）の弾性力によって常にスライド可能なダミーブロック（１１）とシリンダー（１０）内壁の接触先端は、乾燥堆肥投入口（１）が全開放された定位置に自動的に戻され、連続作業が出来るようになっている。
【００３１】
ジャッキアップ（５）の圧力は、例えば、持ち上げる力としての横置き５トン、縦置き１０トンであるために、縦・横置きともに使用できるように設計された構造システム・機械である。
【００３２】
図３・４に示すペレット製造機１００Ｂにより、以下の手順によりバイオマス堆肥ペレットを得ることができる。
【００３３】
先ず、上記で得た無定形の乾燥堆肥（例えば、４５０ｃｃ程度）をバイオマス堆肥投入口（１）から投入する。
【００３４】
次いで、図３・４中、ビレット押込用取手（２）を、例えば２０〜２５ｍｍ程度、図中左方向に押込むことにより、バイオマス堆肥投入口（１）が閉じ、投入されたバイオマス堆肥がコンテナ（６）内部の左側に押し詰められる。
【００３５】
なお、図４に示すように、スライド可能なダミーブロック（１１）とステム（３）は引っ張りスプリング（１４）に固定されており、引っ張りスプリング（１４）はスライドしないアジャスト蓋（１５）に固定されているが、引っ張りスプリングの伸びを適度に調節することで、ビレット押込用取手（２）は、図中左方向に２０〜２５ｍｍ程度は、手動で動かすことができるようになっている、また、ビレット押込用取手（２）を放せば、自動的に引っ張りスプリング（１４）の弾性力と衝撃を加えると撓み力の２倍になって跳ね返ることにより、堆肥投入口（１）が全開放された元の位置に戻るようにすることもできる、これによって、乾燥堆肥を投入する作業を連続的に行うことができる。
【００３６】
再度、ビレット押込用取手（２）を５〜２０ｍｍ程度、図中左方向に数回手で以て叩き押込むことにより、撓み力の２倍に跳ね返りながらバイオマス堆肥投入口（１）が閉じ、投入されたバイオマス堆肥がコンテナ（６）内部の左側に押し詰められる、この作業を繰り返すことにより、コンテナ（６）内部において、バイオマス堆肥をビレット状態とすることができる。
【００３７】
次いで、ジャッキ手動ハンドル（４）を、図３中矢印方向に倒すことにより、ステム（３）とダミーブロック（１３）を通して油圧手動ジャッキ（５）の高圧力（鉄が引っ張られると飴細工の様になる圧力世界が７〜１０トンである、）にて、シリンダー（１０）内のバイオマス堆肥が図中左方向に押し込まれ、乾燥堆肥のペレットがダイス孔（７）から押し出される。
【００３８】
ダイス孔（７）よりバイオマス堆肥ペレットが押し出された後は、ジャッキアップ（５）のエア抜き（９）を開放することにより、引っ張りスプリング（１４）の弾性力によって、ジャッキアップ（５）が元の状態に戻る。
【００３９】
そして、バイオマス堆肥をシリンダー（１０）内に充填し、再度ジャッキ手動ハンドル（４）を下方に倒すことにより、バイオマス堆肥をビレット状態としたのち、ダイス孔（７）からバイオマス堆肥のペレットを取り出すことができる、これらの操作を繰り返すことにより、バイオマス堆肥のペレットを連続的に製造することができる、
本発明に関連して、特許文献内容にも、前記内容の自家製造の高密度・熱量のグリーンなバイオマスペレット燃料の製造方法が登録されている。
【先行技術文献】
【特許文献】
【００４０】
特開２０１１−２５１８８８号公報
【発明の概要】
【００４１】
かくして本発明によれば、下記（１）〜（４）の前記高密度・熱量のグリーンな自家製造バイオマスペレット燃料用の耐震・衝撃装置・火消し蓋付き壺兼用熱源順応かまど・下記（５）の前記ペレット製造装置で作られたペレットを用いるストーブ放熱熱源組込み機装置・下記（６）の前記出し入れ自在の前記高密度・熱量のペレット燃料を用いた自家製造バイオマスペレット燃料用の耐震・衝撃装置・火消し蓋付き壺兼用熱源順応かまどを用いた自動電気動力発電組込機装置・（７）の前記ペレット製造装置で作られたペレットを用いる冷暖房空調機装置・下記（８）の前記ペレット製造装置で作られたペレットを用いた熱量を活用する床冷暖房・給湯機装置・下記(９)の前記ペレット製造装置で作られたペレットを用いた高温・高圧蒸気の高速回転を高出力電気に変換する自家発電機装置・下記（１０）の前記ペレット製造装置で作られたペレットを用いる変換複合機械装置のエネルギー持続可能な各種変換増大化ミニプラント装置が提供される。
（１）少なくとも上部に開口部を有する耐熱性容器と、前記耐熱性容器の上部の開口部を開閉できるように設けられた耐震・衝撃装置・火消蓋付きと、着火装置とを備える、前記高密度・熱量のペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量のペレット燃料を用いた自家製造バイオマスペレット燃料用の耐震・衝撃装置・火消し蓋付き壺兼用熱源順応かまど。
（３）さらに、踏み台と、前記踏み台と前記自家製造バイオマスペレット燃料用の耐震・衝撃装置・火消し蓋付き壺と、熱源順応かまどとを連結する火消し蓋開閉機構とを備える前記高密度・熱量のペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量のペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量のペレット燃料を用いた自家製造バイオマスペレット燃料用の耐震・衝撃装置・火消し蓋付き壺兼用熱源順応かまど。  
（５）前記（１）〜（４）のいずれかに記載の前記高密度・熱量のペレット燃料を用いた自家製造バイオマスペレット燃料用の耐震・衝撃装置・火消し蓋付き壺兼用熱源順応かまどを熱源として用いるストーブ放熱熱源組込み機装置。  
（６）前記（１）〜（４）のいずれかに記載の前記高密度・熱量のペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、暖房空調の保温温度低下保護は、自動加熱装置調整範囲内にて、範囲を超える給湯水装置を除外した物と、そうでない物とに分けると、
一つは、熱湯保温庫の給湯水装置部分を除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で、高出力電気エネルギー化出来て、電気低出力調整も、可能であり、自家製造電気エネルギーを前記自動電気動力の内部で直接使用することで、外部電気取入不要にて、バッテリー軽量・小型化でき、調整・持続した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図１１・１２・１４の（９３）に示す通りの自動電気動力駆動・固定式発電機組込ミニプラント装置。
二つは、熱湯保温庫の給湯水装置を付帯した後記（７）〜（１０）の装置は、後記（８）の装置を組み込んだ内容の前記自動電気動力駆動装置として、ボイラー内加熱電気ヒーター最大にして、前記高密度・熱量のペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製造電気ヒーターを最大化して冷水注入温度低下を短時間で補完して、自動電気動力装置に組み込まれた後記（７）〜（１０）いずれかに記載の各装置を用いた自家発電機装置でもって、自らの自動内蔵自家製造電気動力エネルギー使用に限らず、各家庭・事業所使用電気エネルギーをも供給出来る図１１・１２・１４の９３に示す通りの自動電気動力駆動発電機ミニプラント組込装置。
（７）前記（１）〜（４）のいずれかに記載の前記高密度・熱量のペレット燃料を用いた自家製造バイオマスペレット燃料用の耐震・衝撃装置・火消し蓋付き壺兼用熱源順応かまどを熱源として用いるボイラーと、前記ボイラーで発生した高温・圧蒸気で駆動する液体を潤滑オイルとした軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段当たりの熱落差が小さく段落数は多くなるが、翼は小型となる、）として用いて、直付けの軸受部分図１３の（８７）の簡略・単純・小型・潤滑化が可能となり、新規・既存機械製作か、作り直しリビルトも可としての潤滑高速回転が可能となった、前記超小型軸流多段反動式蒸気タービンで発生した高速運動エネルギーに比例した高出力電気エネルギーに変換増大化する自家発電機装置と、前記蒸気タービンの蒸気排気口（８９）の部分は、小型・単純化した形・構造に変えて、背圧調整にて、蒸気タービンの高速回転を更に上げるようにすることも好ましい、前記蒸気タービン排気口と接続された熱交換器（４５）と、前記熱交換器排出口に繋がる冷媒機（６０）と、前記自家発電機で発生した電気によって駆動する冷暖房空調機とを備える、冷暖房空調機装置、
（８）前記（１）〜（４）のいずれかに記載の前記高密度・熱量のペレット燃料を用いた自家製造バイオマスペレット燃料用の耐震・衝撃装置・火消し蓋付き壺兼用熱源順応かまどを熱源として用いる前記ボイラーで発生した蒸気で駆動する蒸気タービンと、前記超小型軸流多段反動式蒸気タービンの蒸気排気口と接続された熱交換器と、前記熱交換機の排出口に接続された放熱螺旋形配管パイプが内蔵された前記潤滑オイルである液体・熱湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、前記液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記高密度・熱量のペレット燃料を用いた自家製造バイオマスペレット燃料用の耐震・衝撃装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と熱湯保温庫内配管・給排水口取付口設備にて、床冷暖房機とを備える、床冷暖房・給湯機装置。
（９）前記（１）〜（４）のいずれかに記載の前記高密度・熱量のペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必須条件にて、前記超小型軸流多段反動式蒸気タービン（４３）で発生した高速回転運動エネルギー１０，０００〜２０,０００rpm回転に比例した高出力電気エネルギー１００ＫＷ（ＰＳ）/rpm以上に変換増大化する自家発電機装置。
【発明が解決しようとする課題】
【００４２】
本発明の第２は、家庭・事業所用生ゴミ等の処理は、各市町村において苦慮している社会的問題（経済・環境等々課題）であるが、全てが大型プラント化しているために、非経済的で、むしろ環境破壊に繋がりかねない、そこで、本発明は、かかる実情に鑑みてなされたものであり、家庭・事業所で発生する生ゴミ、落ち葉、大鋸屑、雑草、新聞紙、雑誌等のバイオマスを、各家庭・事業所毎に、安全に、簡易に、年間を通して安定的に、乾燥堆肥・ペレットにすることができる前記バイオマス堆肥燃料ペレット自家製造装置を提供することを目的としているので、上述した実情に鑑みてなされたものであり、より環境にやさしく、どこにでも移設・順応出来る簡単・単純な前記高密度・熱量のペレット燃料を用いた自家製造バイオマスペレット燃料用の耐震・衝撃装置・火消し蓋付き壺兼用熱源順応かまどが、一体的で、安全なマルチな熱源順応装置である前記バイオマス堆肥燃料ペレット自家製造装置で作られた前記高密度・熱量のペレット燃料を用いた自家製造バイオマスペレット燃料用の耐震・衝撃装置・火消し蓋付き壺兼用熱源順応かまどおよびポリプロピレンを原料としたものを穴空き金属製ペレット状カプセルに収納させた着火装置、ストーブ放熱熱源組込、自動電気動力組込機器、保温庫に繋がる床・空調冷暖房・給湯、発電機装置を提供することを前項（００４１）の（１）〜（９）と後項（００４４）の（１０）にあるところの自家製造装置で作られた高密度・熱量燃料ペレットを用いた熱源順応かまどの熱・電気等エネルギーを同時使用して増大化させて、尚更に保持・持続・自立させることの出来る各機器装置を複合・連結・増大・自立・発展化させる。
【課題を解決するための手段】
【００４３】
本発明の第３は、上記課題を解決すべく鋭意研究した結果、バイオマス堆肥製造機と、ペレット製造機とで構成されてなる前記バイオマス堆肥燃料ペレット自家製造装置であって、前記ペレット製造機が、投入されたバイオマス堆肥がビレット状態で保持可能なシリンダ状の内部空間を有するコンテナと、バイオマス堆肥が投入される投入口と、圧力によりペレットが押し出されるダイス孔と、ピストン状のステムと、前記ステムを前記コンテナ内に押し入れ、前記コンテナ内のビレット状態のバイオマス堆肥を圧縮して前記ダイス孔からペレット状に押し出すジャッキアップとを有するものである、前記バイオマス堆肥ペレット自家製造装置を用いると、各家庭・事業所毎で発生する生ゴミ等のバイオマスから、年間を通して安定的に、安全に、簡易に、安価に、高密度・熱量で、グリーンな、乾燥堆肥・燃料ペレットを作ることができることを見出し、本発明を完成させるに至り、本発明者は、上記課題を解決すべく鋭意検討した結果、費用対効果があって、環境に優しい自家製バイオマスペレット燃料熱源化でき、基本的構造部分についてどこにでもあり、販売・使用許可される既存道具・部品・機械類をリビルトしても出来るだけ用いて簡単・単純なシステムを以って、旧来の化石・電気エネルギーの動力を廃して、前記バイオマス堆肥燃料ペレット自家製造装置で作られたペレット燃料を用いた図９・１０に示す通りの順応かまど組込ストーブや図１１・１２・１３・１４に示す通りの自動電気動力組込機器で直接に、そして、複合的に、ボイラー・超小型軸流多段反動式蒸気タービン駆動の自家発電気で以って前記旧来の化石・電気エネルギーに代えられる物とする為、直接に、複合的順応マルチかまどである前記高密度・熱量のペレット燃料を用いた自家製造バイオマスペレット燃料用の耐震・衝撃装置・火消し蓋付き壺兼用熱源順応かまどを発明した。
【００４４】
（１０）前記（１）〜（４）のいずれかに記載の前記バイオマス堆肥燃料ペレット自家製造装置で作られた前記高密度・熱量のペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記図５・６・７・８の（５４）の目皿に投入燃焼１回分のバイオマスペレット燃料をボイラー図１１・１２の（４２）の沸点状態に於ける１とする容量に対して、エネルギー複数容量に変換増大化されたことで、上記の前記高密度・熱量のペレット燃料を用いた自家製造バイオマスペレット燃料用の耐震・衝撃装置・火消し蓋付き壺兼用熱源順応かまどの前記上部の開口部（５４）に投入した前記燃焼１回分のペレット燃料追加供給が停止されても、自家発電が始動しておれば、前記ボイラー内臓の温度感知センサー（４２）の作動にて、前記各種エネルギー増大化装置の余剰エネルギーを代表した高出力電気を使った（４２）の内蔵電気ヒーターが、持続的エネルギー供給を行える、また、前記バイオマスペレット燃料を投入して燃焼が開始すれば、前記エネルギー燃焼同様に持続的エネルギー供給して、（４２）内蔵のセンサーによってヒーターは自動的に解除になったり、自動温度調整にて、内燃機関のアイドリング状態似の低速回転の低出力電気と出来ることにより、保温庫内熱湯温度をキープしたままいつでも前記蒸気タービンの最大高速回転化出来て、高出力電気エネルギー創出でき、アイドリング状態似に出来ない場合でも、特に、短時間で自動電気動力の場合は、バッテリーで駆動させておいて、短時間内に前記高密度・熱量のペレット燃料を用いた自家製造バイオマスペレット燃料用の耐震・衝撃装置・火消し蓋付き壺兼用熱源順応かまどを自動着火させて、前記超小型軸流多段反動式蒸気タービン（４３）を高速回転できて、高出力電気エネルギーを生み出せるので、各家庭・事業所単位毎に出る生ごみにバラツキあるも、バイオマスペレット燃料のエネルギー供給を過大視せずに、一律平均的に安定化させることが可能でもあり、セパレート家庭・事業所単位毎に生ゴミを産業廃棄物化せずに、分散セパレート化したことで、前記（００４０）の特許文献にあるものを併せて、家庭・事業所単位毎のミニプラントエネルギー生産が複合化を可能にしての費用対効果を生み出して、特に、自動電気動力装置に於いては、自家発電自立可能にて、その都度動力停止しての長時間充電しなくて済み、重量・大型充電器の軽量・小型化が可能となり、グリーンでゆっくりでも豊かな生活を可能にしてくれて、環境・防衛・経済・財政・外交・資源的にもより安定したことから各家庭が安心な暮らしを提供されるバイオマス堆肥燃料ペレット自家製造装置で造られたペレットを用いた、前記高密度・熱量のペレット燃料を用いた自家製造バイオマスペレット燃料用の耐震・衝撃装置・火消し蓋付き壺兼用熱源順応かまどエネルギーの前記（１）〜（１０）いずれかに記載のエネルギー調整・持続供給可能な各種変換増大化ミニプラント装置。
【発明の効果】
【００４５】
本発明の前記バイオマス堆肥燃料ペレット自家製造装置によれば、家庭・事業所で発生する生ゴミ等のバイオマスから、家庭・事業所毎に高密度・熱量の乾燥堆肥ペレットを簡易に安全に安価に自家製造することができることから、既存化石燃料等に頼らない国内自給自足できる、本発明のバイオマス堆肥燃料ペレット自家製造装置は、ゴミの減量化、環境保護にも役立つものである、本発明のバイオマス堆肥燃料ペレット自家製造装置は、単純・簡易な構造にして、リーズナブルな低廉価格なものである、
前記のように一極集中的大型プラントでないセパレート家庭・事業所単位毎の前記バイオマス堆肥燃料ペレット自家製造装置で作られたペレット燃料を用いた、複合増大化装置は、ミニプラントであって、対既存化石・電気エネルギーに与しない、費用対効果の高い高密度・熱量でグリーンなバイオマスペレット燃料・蒸気エネルギーとによるボイラーの高温・圧蒸気の超小型軸流多段反動式蒸気タービンの高速回転に比例する高出力発電機と変換電気とで単純・簡単構造にしてリーズナブルな低廉価格でしかも本格的なエネルギー供給可能な燃料源としてのバイオマスペレットかまどを環境・燃料・経済問題も、地球・国家的災害等問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭・事業所の生ゴミを産業廃棄物化せずに、前記バイオマス堆肥燃料ペレット自家製造装置で造られたペレットを用いた、前記高密度・熱量のペレット燃料を用いた自家製造バイオマスペレット燃料用の耐震・衝撃装置・火消し蓋付き壺兼用熱源順応かまど燃焼１回分エネルギーを１容量として同時発生的に使用することで、エネルギー複数容量に増大化して、費用対効果を持続的に望める前記（００４１）（５）・（６）中心の様に、出し入れ自在のマルチタイプの熱源かまどである前記高密度・熱量のペレット燃料を用いた自家製造バイオマスペレット燃料用の耐震・衝撃装置・火消し蓋付き壺兼用熱源順応かまどを熱源とした各種変換増大化装置を発明したのである。
【図面の簡単な説明】
【００４６】
【図１】本発明の自家用バイオマス堆肥ペレット製造装置の図で、（ａ）は正面図、（ｂ）は平面図である。
【図２】本発明の自家用バイオマス堆肥ペレット製造装置のバイオマス堆肥製造機部分の側面図である。
【図３】本発明の自家用バイオマス堆肥ペレット製造装置のペレット製造機部分の正面図である。
【図４】本発明の自家用バイオマス堆肥ペレット製造装置のペレット製造機の図３のシリンダー部分の中心Ａ−Ａの断面図である。
【図５】本発明の自家製造バイオマスペレット燃料用の耐震・衝撃装置・火消し蓋付き壺兼用熱源順応かまどの平面図である。      
【図６】本発明の自家製造バイオマスペレット燃料用の耐震・衝撃装置・火消し蓋付き壺兼用熱源順応かまどの正面図である。      
【図７】本発明の自家製造バイオマスペレット燃料用の耐震・衝撃装置・火消し蓋付き壺兼用熱源順応かまどの踏み台を外した状態Ａ−Ａ”側断面図である。
【図８】本発明の自家製造バイオマスペレット燃料用の耐震・衝撃装置・火消し蓋付き壺兼用熱源順応かまどの踏み台を踏んだ状態のＡ−Ａ”側断面図である。
【図９】本発明のストーブの自家製造バイオマスペレット燃料用の耐震・衝撃装置・火消し蓋付き壺兼用熱源順応かまど組込の正面図である。
【図１０】本発明のストーブの自家製造バイオマスペレット燃料用の耐震・衝撃装置・火消し蓋付き壺兼用熱源順応かまど組込の側面図である。
【図１１】本発明のエネルギー複合化・増大・調整・保持・持続発電ミニプラントシステム実施例を示す図である。
【図１２】本発明の前図１１の各装置模式図の各形と構造とコンパクトミニプラント電気動力機器組込・固定模式構造・形を示す図である。
【図１３】本発明の前図１１・１２の超小型軸流多段反動式蒸気タービンの形と構造を示す図である。
【図１４】本発明の前記自家発電ミニプラント電気動力組込・固定とプラント設置されない家に電気動力組込機・固定機より電気注入実施例を示す図である。
【発明を実施するための形態】
【００４７】
以下、本発明の前記バイオマス堆肥燃料ペレット自家製造装置を詳細に説明するは、バイオマスを発酵させて水分含有量が１０〜２０重量％の、無定形のバイオマス堆肥を製造するバイオマス堆肥製造機と、該バイオマス堆肥製造機により製造された無定形のバイオマス堆肥から堆肥ペレットを製造するペレット製造機とで構成されてなる前記バイオマス堆肥燃料ペレット自家製造装置であって、前記ペレット製造機は、投入されたバイオマス堆肥がビレット状態で保持可能なシリンダー状の内部空間を有するコンテナと、前記コンテナの上側面部に設けられたバイオマス堆肥が投入される投入口と、前記コンテナの一端に設けられた、圧力によりペレットが押し出されるダイス孔と、前記ダイス孔に対向する他の一端側から前記コンテナ内に押し入れ可能で、投入されたバイオマス堆肥をコンテナ内にビレット状態に押し詰めるピストン状のステムと、前記ステムを前記コンテナ内に押し入れ、前記コンテナ内のビレット状態のバイオマス堆肥を圧縮して前記ダイス孔からペレット状に押し出すジャッキアップとを有することを特徴として、グリーンな前記バイオマス堆肥燃料ペレット自家製造装置で造られた、前記高密度・熱量のペレット燃料を用いた自家製造バイオマスペレット燃料用の耐震・衝撃装置・火消し蓋付き壺兼用熱源順応かまどには、複合的安全でマルチタイプの単体移設型システム内容が求められている、
本発明の前記高密度・熱量のペレット燃料を用いた自家製造バイオマスペレット燃料用の耐震・衝撃装置・火消し蓋付き壺兼用熱源順応かまどは、その内容が難しくない簡単・単純なもので、複合的連関を発生させる発明実施の形態であって、バイオマスペレット燃料の専用かまどとして環境に優しく、高温に耐えられて、持ち運び移設組込に小型・簡便で図５・６・７・８・９・１０・１１・１２・１４に示す通りで、しかも安全であることを可能とした工夫が、（００４３）の発明の第３としてある前記高密度・熱量のペレット燃料を用いた自家製造バイオマスペレット燃料用の耐震・衝撃装置・火消し蓋付き壺兼用熱源順応かまどである。
【００４８】
本発明に用いる燃料ペレットは高密度・熱量に於いて、自動選別・制限される、したがって、ダイオキシンや重金属の除去されていないものや、余分なものが混在している、例えば、放射能をかぶったバイオマスの除洗が出来ていないものは制限される、制限外・されない場合は、本特願機械の増大化装置にて特に基よりペレット燃料使用量も少ないことからもバイオマスの使用量を超えない比較バランス範囲内にて、コークス、石炭、灯油、ガソリン、ガスを用いることも熱量に言及すれば、好ましいのである、しかしながら、それらに対して（００４０）特許文献のペレット燃料及び同様に、本特願のペレットは、全てを満たして優れているから選別・制限されない内容にて、使用燃料指定出来るのである。
【００４９】
以下、添付図面符号に従って一実施例を説明する、図７・８は、本発明の前記高密度・熱量のペレット燃料を用いた自家製造バイオマスペレット燃料用の耐震・衝撃装置・火消し蓋付き壺兼用熱源順応かまどの実施例を示す平面図５と正面図６の断面図である、図５・６・７・８いずれかに示す中、（５１）は、耐熱珪藻土火消壺兼かまど、（５４）は、バイオマスペレット燃料置き空気孔付き受皿、（５５）、は、かまど空気調整開閉調整口、（６２）は、火消し用落し蓋アジャスター継ぎ手、（６３）は、火消し用落し蓋アジャスター踏み台、（６４）は、火消し用落し蓋アジャスト重量（目皿・火消し蓋・（５４）の燃料より重い）継ぎ手鋳物棒、（６５）は、（６７）継ぎ手と一体構造の鋳物製目皿、（６６）は、（６３）の踏み台の補助取手、（６７）は、火消蓋・目皿自在継ぎ手（一体構造の目皿と継ぎ手・火消し蓋の支点のアジャスターの丁番（７３）にて、シーソー・上下降する）、（６８）は、目皿・火消し蓋アジャスター、（６９）は、火消し蓋（（７２）の目皿の自在取付具によって用をなして、それまでは単なる自在蓋であるが、（６８）のアジャスターの真下に位置して（７１）の火消し壺内を密閉する。）、（７０）は、火消し蓋アジャスター継ぎ手支点、（７１）は、火消し壺・かまど、（７２）は、目皿の火消し蓋自在取付具で、（７９）の安全ストッパー自在解除具を併せ持つ、（７３）は、鋳物製目皿（６５）と火消し蓋・目皿自在継ぎ手(６７）との継ぎ手丁番である、図７において、鋳物製目皿（６５）は、鋳物製目皿（６５）と火消し蓋・目皿自在継ぎ手(６７）と目皿と継ぎ手・火消し蓋の支点のアジャスターの丁番（７３）において回動自在に取り付けられており、通常は、（６５）の鋳物製目皿、（６９）の火消し用落し蓋と、（５４）の燃料の総重量より重い継ぎ手鋳物棒（６４）の重力により、火消し蓋・目皿自在継ぎ手（６７）に図中下方向に力が働くことで、鋳物製目皿（６５）は、目皿・火消し蓋アジャスター（６８）よりくり抜かれた形が正確にはまり込む（目皿の枠内定位置）ことで、（７２）の取付具によって（６９）の火消し蓋が（６８）のアジャスターの真下にくるように固定されて火消し壺状態になっている。
【００５０】
図５・６・７・８に示す前記高密度・熱量のペレット燃料を用いた自家製造バイオマスペレット燃料用の耐震・衝撃装置・火消し蓋付き壺兼用熱源順応かまどは、バイオマスペレット燃料をバイオマスペレット燃料置き空気孔付き受皿（５４）内に入れ、（６９）の火消し蓋を（７２）の自在取付具より放すに、（６５）の目皿の隙間から自動で軽く叩き落とすか、（７２）の取付具を解放して（７１）火消し壺・かまど内に落とし、（５５）のかまどの空気調整口を開けて、そこでバイオマスペレット燃料をペレット状スチール着火カプセルにて燃焼させる装置である。
【００５１】
また、使用を中断したい場合等においては、以下のように、図５・６・７・８に示す（７９）のストッパーを外してから、又は、耐震装置（７７）の金属ボールが、自在解除具（７２）を作動して、（７９）のストッパーが外れて、燃焼中のバイオマスペレット燃料を火消し壺（７１）中に落とし、消火することができる、すなわち、火消し用落し蓋アジャスター踏み台（６３）を足で踏むことによるか、耐震・衝撃装置（７７）により、（６５）の目皿、（６７）の火消し用落し蓋、（５４）の中身の燃料の合計重量より（６４）の鋳・鉄棒の重量は、重いか、又は、尚更に合計重量に加えて、（７７）の金属ボールの移動落下荷重によって一時的に２倍まで重くなる耐震・衝撃装置の金属ボール（７７）との合計により重くなった分、逆に軽くなる継手鋳・鉄棒（６４）が、図中、前記の何れかによって上方向に移動し、火消し用落し蓋アジャスター継ぎ手（６２）及び火消し蓋・目皿自在継ぎ手（６７）が、図中、上方向に移動すると、目皿・火消し蓋アジャスター（６８）の真下にくるように固定されていた鋳物製目皿（６５）は、目皿と継ぎ手・火消し蓋の支点のアジャスターの丁番（７３）において下方向に回転して、図８に示す状態になる、したがって、バイオマスペレット燃料置き空気孔付き受け皿（５４）内の燃料ペレットが火消壺内に落下して、燃料と（７７）の金属ボールの落下荷重が元に戻った重量合計の軽くなった分、重量を上回った継手鋳・鉄棒（６４）の重力にて、継手（６２）と下方向に移動して、継手（６７）と一体構造の（６５）は丁番（７３）においてシーソー回転上降して、（６５）は（７２）によって火消し蓋（６８）をとらえた状態にて、（５５）の空気開閉調整口を締めれば、密封した状態となり、火消し壺内は酸素不足の状態になっている為、消火がおこなわれる、この状態を、前記（００４６）図７のこと・図７でより詳細に説明する。
【００５２】
図７において、火消用落し蓋アジャスター踏み台（６３）から足を離すと、火消用落し蓋アジャスト重量（目皿より重い）継ぎ手鋳物棒（６４）が、図中、重力により下方向に移動し、火消用落し蓋アジャスター継ぎ手（６２）及び火消蓋・目皿自在継ぎ手（２７）が、図中、（６７）・（６５）の一体構造が（７３）の丁番を支点にシーソー下方向に移動することで、鋳物製目皿（６５）と（７２）の火消蓋の目皿自在取付具は、目皿・火消蓋アジャスター（６８）の枠内定位置・真下に固定されて、尚更に、より安全確保のために（７９）の安全ストッパーを掛けて、（５５）の空気開閉自動調整口を閉めると消火出来て、前記（５５）の自動調整口を開けて火消し蓋（６９）を（７１）内に落とせば、（００５０）内容と同じく着火燃焼出来る。
【００５３】
また、火消し壺（７１）内に落下し、消火されたバイオマスペレット燃料は、再利用することができる、前記（００４０）の特許文献並びに前記バイオマス堆肥燃料ペレット自家製造装置で造られたペレットを含めた燃料ペレットは、高密度・熱量の、着火し難いが高熱量なので、ポリプロピレンを原料としたものを穴空き金属製ペレット状カプセルに収納させた（００５０）内容のペレット状スチール着火カプセル着火装置を使用することが好ましい。
【００５４】
本発明の第４は、本発明の高密度・熱量のペレット燃料を用いた自家製造バイオマスペレット燃料用の耐震・衝撃装置・火消し蓋付き壺兼用熱源順応かまどを熱源として利用する前記ストーブ放熱熱源組込機である、本発明のストーブ放熱熱源組込機の正・側面図を図９、１０に示す、また、図９、１０中、（４１）は、高密度・熱量のペレット燃料を用いた自家製造バイオマスペレット燃料用の耐震・衝撃装置・火消し蓋付き壺兼用熱源順応かまど、（５４）は、バイオマスペレット燃料置き空気孔付き受皿、（７４）は、ストーブ煙突、（７５）は、薪ストーブ窓、（７６）は、ストーブ灰皿受けであるので、薪を燃やし入れたいときには、前記の高密度・熱量のペレット燃料を用いた自家製造バイオマスペレット燃料用の耐震・衝撃装置・火消し蓋付き壺兼用熱源順応かまどをストーブから取り出して、（５２）のアジャストを設ければ、薪ストーブになる。
【００５５】
本発明の第５は、本発明の図５・６・７・８・９・１０・１１・１２・１３・１４に示す前記自家製造バイオマスペレット燃料用の耐震・衝撃装置・火消し蓋付き壺兼用熱源順応かまどに、高密度・熱量のペレット燃料を（５４）のバイオマスペレット燃料置き空気孔付き受皿に、燃焼容量１回分投与のエネルギー容量１として、増大化するエネルギーの熱源として用いるボイラー内蔵液体として潤滑オイルを用いて、前記ボイラーで発生した蒸気で駆動する蒸気タービンの軸受部分の直付け（８７）が出来ることで、簡略・単純・小型・潤滑化が、新規・既存機械作り・直しリビルトも可能であることが、超小型軸流多段反動式蒸気タービン高速回転が可能になり、超小型・高速化を可能とした前記超小型軸流多段反動式蒸気タービン（４３）で発生した高速回転運動エネルギー１０，０００〜２０，０００rpmに比例する高出力電気エネルギー１００kw/rpm以上に変換する自家発電機と、前記蒸気タービンの蒸気排気口（８９）と接続された熱交換器と、前記自家発電機で発生した電気によって、
一つ目は、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯・液体保温庫に代表される複合的エネルギー保持・増大されることも手伝って、そのまま高出力電源としての利用で以って、前記ボイラー（４２）の内蔵センサー付き高出力電気ヒーターの出力調整によって、内燃機関のアイドリング状態似から、高出力最大まで自在に出せることから、電気エネルギー供給が、調整・複合・持続されて、余剰電気は、分配・売電出来て、
二つ目は、（５０）の電力変換装置より電気をバッテリー（４９）に各別充電して、尚且つ電力変換装置を経て各別電源に変換して自己完結的に利用できる自家発電機装置であり、駆動サポートするボイラー、蒸気タービン、熱交換器や熱湯保温庫等一連に与する冷暖房空調機とを備える、発電機・冷暖房空調装置である。
【００５６】
本発明の発電・冷暖房空調機装置の模式・形・構造図を図１１・１２に示す、図中、高密度・熱量のペレット燃料を用いた自家製造バイオマスペレット燃料用の耐震・衝撃装置・火消し蓋付き壺兼用熱源順応かまど（４１）で発生した熱により、ボイラー（４２）に収容された液体（潤滑オイル、沸点調性剤使用も可）を沸騰させ、高温、高圧蒸気により前記超小型軸流多段反動式蒸気タービン（４３）を高速回転して、（４４）の高出力発電をおこし、得られた電気により、各別電源として用いて、余力各別電気は、（４２）のボイラー内蔵ヒーター作動時も共に持続複合化と温度自動調整使用可能にして、充電・売電し、尚且つ熱湯保温庫（８０）を以って給湯・床・空調冷暖房（６０）をも十二分にサポートして行う装置であり、図１１・１２中、（４１）は、高密度・熱量のペレット燃料を用いた自家製造バイオマスペレット燃料用の耐震・衝撃装置・火消し蓋付き壺兼用熱源順応かまど、（４２）は、温度自動調整機付きボイラー、（４３）は、超小型軸流多段反動式蒸気タービン、（４４）は、高出力発電機、（４５）は熱交換器、（４６）は、電気モーター（電力は自己完結方式）、（４７）は、圧縮循環ポンプ、（４８）は、発電余力電力の充電用安全機、（４９）は、充電器  、（５０）は、電力変換機装置で、（８５）は、ボイラー内蔵の潤滑オイルのフィルターと交換用取り出しドレン口で、（８６）は、冷房用の冷水補助タンク、（９３）は、自家発電機の自動動力組込・固定式ミニプラント装置である。
【符号の説明】
【００５７】
１・・バイオマス堆肥搬入口
２・・ビレット押込用ステム取手
３・・ステム
４・・ジャッキ手動ハンドル
５・・ジャッキアップ
６・・コンテナ
７・・ダイス孔
８・・ジャッキ止めコンテナ金具
９・・ジャッキアップのエア抜き
１０・・シリンダー
１１・・ダミーブロック
１２・・オイルシーリング
１３・・ダミーブロックカバー
１４・・スプリング
１５・・蓋アジャスト
１６・・バイオマス粉砕機
２０・・生ゴミ・バイオマス粉砕投入口
２１・・水道水差込口
２２・・水道蛇口
２３・・水道水ホース簡易繋器
２４・・ディスポーザー排出口
２５・・粉砕バイオマス受け皿
２６・・ハンドル付回転式攪拌器付出し入れ可能な発酵機及び発酵外容器（二重構造の保温、攪拌器付発酵機）
２７・・ハンドル付回転式攪拌容器（２６の発酵内容器）
２８・・ハンドル付回転式攪拌器付出し入れ可能な熟成・乾燥発酵器（乾燥発酵器）
２９・・ペレット製造機
３０・・テーブル
３１・・空気穴
３２乃至４０は空欄
４１・・出し入れ自在、高密度・熱量のペレット燃料を用いた自家製造バイオマスペレット燃料用の耐震・衝撃装置・火消し蓋付き壺兼用熱源順応かまど
４２・・ボイラー（内蔵沸騰用液体は潤滑オイル、温度センサー付き、自動温度調整付き自己完結型電気ヒーター・切換機装置内蔵）
４３・・超小型軸流多段反動式蒸気タービン
４４・・自家発電機
４５・・熱交換器
４６・・電気モーター（圧縮ポンプ、電力は自己完結方式）
４７・・圧縮循環ポンプ
４８・・発電気の電力変換機装置と充電機の安全機
４９・・充電器
５０・・正弦波長・電力変換装置
５１・・耐熱珪藻土火消壺兼かまど
５２・・アジャスト薪空気孔付き受け皿（薪を用いる場合のストーブ用部材。）
５３・・前記１の火消開閉蓋（取換用部品。）
５４・・バイオマスペレット燃料置き空気孔付き受皿（６８と一体構造の鋳物）
５５・・かまど空気開閉調整口（引き違い戸かはめ込み栓方式の何れか。）
５６・・アジャスト空気孔筒伸縮調性蛇腹（内気導入を止めて、外気導入時の備品）
５７・・スチール着火カプセル（ポリプロピレン金属製発火口付カプセル）
５８・・ストーブ（（４１）の放熱熱源組込機装置）
５９・・モーター・除湿調性用ヒーター付き送風ファン
６０・・冷媒機（熱交換器に繋がった保温庫につながる）
６１・・モーター付き（４６）循環ポンプ（冷暖切換機付き）
６２・・火消し用落し蓋アジャスター継ぎ手
６３・・火消し用落し蓋アジャスター踏み台
６４・・火消し用落し蓋アジャスト重量（目皿＋火消し蓋＋（５４）の燃料合計より重い。）継ぎ手鋳・鉄棒
６５・・６７継ぎ手と一体構造の鋳物製目皿（（６８）のアジャスターを目皿の型に刳り抜いた形体）
６６・・踏み台の補助取っ手
６７・・火消蓋・目皿自在継ぎ手（６８）アジャスターの丁番（７３）を支点に上下降する）
６８・・目皿・火消し蓋アジャスター・フェンダー（１４）・（２７）と同質の鋳物で（１４）と一体構造）
６９・・火消蓋（（７２）取付具によって（６５）の目皿と一体化出来、それまでは落蓋。）
７０・・火消蓋アジャスター継ぎ手支点
７１・・火消し壺・かまど（珪藻土。）
７２・・目皿の火消蓋自在取付具（（７９）の作動自在解除具併せ持つ、（７９）のストッパーを外す）
７３・・目皿と継ぎ手・火消蓋の支点のアジャスターの丁番
７４・・ストーブ煙突
７５・・薪ストーブ窓
７６・・ストーブ灰皿受け
７７・・耐震装置金属ボールの（７２）解除具に金属ボールが転がり衝突作動
７８・・外壁ステンレス板（珪藻土外壁強化材）
７９・・安全ストッパー（６９の火消し蓋が動かぬ様に固定化、（７７）の（７２）によって外れる）
８０・・熱湯保温庫（熱交換器に繋がる二重構造の配管放熱螺旋形パイプ保温庫内蔵と、保温庫の熱湯液体給湯・床暖・熱湯や液体を保温し（床暖引込口・パイプ等埋設設備複数予備パイプライン・ジョイントあり、）、冷媒機に接続される）
８１・・ヒーター（湿度調整）（５９）のヒーターに同じ
８２・・（５１）の保護鋳物フェンダー（（６８）のフェンダーと同じ働き）
８３・・ボイラー（４２）、かまど（４１）収納容器自動強制排気菅設備
８４ ・・ペレット燃料自動投下装置
８５・・潤滑オイルとオイルフィルター交換ドレン口装置（潤滑オイル交換が定期的に必要。）
８６・・冷房機冷水補助タンク
８７・・軸受ベアリング（４３の軸受外側蓋直付け固定）
８８・・ボイラー４２からの高温・圧蒸気ノズルの取り入れ口
８９・・蒸気タービン４３の液体蒸気排出口
９０・・蒸気タービン４３の静翼
９１・・蒸気タービン４３の動翼ブレード
９２・・蒸気タービン４３の軸シャフト
９３・・自家発電機の自動動力組込・固定式ミニプラント装置
【手続補正２】
【補正対象書類名】特許請求の範囲
【補正対象項目名】全文
【補正方法】変更
【補正の内容】
【特許請求の範囲】
【請求項１】
家庭・事業所用生ごみ・バイオマスを発酵させて水分含有量が１０〜２０重量％のバイオマス堆肥燃料を製造するバイオマス燃料堆肥製造機と、該バイオマス堆肥製造機により製造された無定形のバイオマス堆肥からペレット状のバイオマス堆肥・燃料とするペレット製造機とで構成されてなる家庭・事業所用バイオマス堆肥燃料高密度・熱量ペレット自家製造装置であって、前記バイオマス燃料堆肥製造機と前記ペレット製造機とで作られた自家製造バイオマス燃料ペレットを用いることは、エネルギーの変換増大化装置を同時複合的に用いて、尚更に、グリーンエネルギーを保持・持続させる自家製造発電エネルギーミニプラントの礎である、前記バイオマス堆肥製造機は、出し入れ可能な穴開き・濾過式攪拌機付き内箱容器とを有する二重構造の発酵機を備えるものであり、前記内箱容器内において、生ごみと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が、１０〜２０重量％のバイオマス堆肥を製造するものであり、前記家庭・事業所用バイオマス堆肥燃料ペレット製造機は、シリンダを有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、前記ダイス孔に対向する方向から前記コンテナ内に押し入れ可能で、投入されたバイオマス堆肥をコンテナ内にビレット状態に押し詰めるピストン状のステムと、前記ステムをコンテナ内に押し入れ、該コンテナ内のビレット状態のバイオマス堆肥を圧縮して前記ダイス孔からペレット状に押し出す、縦置きの状態で、重さ１０トンの物を上方に持ち上げることができるだけの圧力を加えることができる、横置きされたジャッキアップとを有し、前記コンテナとシリンダーは、前記ジャッキアップの高圧力に耐えうる材質からなり、かつ、前記ステムの先端には、ダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために、前記ステムを、前記コンテナ内に出し入れさせる手動の取手が、設けられており、かつ、前記ステムは、スプリングを介して、前記コンテナに取り付けられ、前記ステムが、前記コンテナに押し込まれた後、前記スプリングの弾性力・撓み力により略元の位置に戻るものであることを特徴とするバイオマス堆肥燃料高密度・熱量ペレット自家製造装置。
【請求項２】
前記家庭・事業所用生ごみ・バイオマス堆肥燃料を製造する家庭・事業所用生ごみ・バイオマス堆肥燃料製造装置は、生ごみ・バイオマスを粉砕・水洗・放射能除染するディスポーザーと、該ディスポーザーにより水洗・除染・粉砕された粉砕小片と腐葉土と消石灰の混合物と、ダイオキシン・重金属に汚染された紙類・バイオマスの紙粘土状にしたバイオマスから消石灰でダイオキシン・重金属を除去した状態となったものとを合わせて発酵を行って、堆肥燃料を製造する、手動撹拌器付き耐熱性金属板網状・穴開き内容器とコック栓付き耐熱性金属板外容器とからなる、二重構造の耐熱手動式撹拌器付き堆肥燃料製造器とを備え、前記コック栓付き耐熱外容器が、耐熱性材料からなる外壁を有し、ダイオキシン・重金属に汚染された、紙粘土状のバイオマスは、消石灰と混ぜて、３００℃〜５００℃で反応を行ってダイオキシン・重金属を除去した状態とする家庭・事業所用ミニ高温反応釜でもある、請求項１に記載のバイオマス堆肥燃料高密度・熱量ペレット自家製造装置。
【請求項３】
前記バイオマス堆肥燃料製造機が、出し入れ可能な穴開き・濾過式攪拌機付き内箱容器と外箱容器とを有する二重構造の発酵機を備えるものであり、生ゴミと腐葉土を混合してなる粉砕小片であって、水分含有量５０〜８０重量％のものを発酵させた後、得られた発酵物を前記穴開き・濾過式攪拌機付き内箱容器のまま外に出して発酵物を風通しよくして熟成・乾燥させることで、水分含有量が１０〜２０重量％のバイオマス堆肥を製造するものである請求項１〜２のいずれかに記載のバイオマス堆肥燃料高密度・熱量ペレット自家製造装置。
【請求項４】
前記ステムの先端にはダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられていることを特徴とする請求項１〜３のいずれかに記載のバイオマス堆肥燃料高密度・熱量ペレット自家製造装置。
【請求項５】
前記ステムはスプリングを介して前記コンテナに取付けられ、前記ステムが前記コンテナ内に押し込まれた後、前記スプリングの弾性力・撓み力により略元の位置に戻るものである請求項１〜４のいずれかに記載のバイオマス堆肥燃料高密度・熱量ペレット自家製造装置。
【請求項６】
前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである請求項１〜５のいずれかに記載のバイオマス堆肥燃料高密度・熱量ペレット自家製造装置。
【請求項７】
少なくとも上部に開口部を有する耐熱性容器と、前記耐熱性容器の上部の開口部を開閉できるように設けられた耐震装置・火消し蓋付き壺と、熱源かまどが一体化して、着火装置とを備える、請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまど。
【請求項８】
前記耐熱性容器が、珪藻土製の容器である、請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまど。
【請求項９】
さらに、踏み台と、前記踏み台と前記耐震・衝撃装置・火消し蓋付きとを連結する火消し蓋開閉機構とを備える耐震・衝撃装置・火消し蓋付き壺兼用熱源順応かまどであって、耐震・衝撃装置の作動によるか、踏み台を操作することで、火消し蓋開閉機構を通じて、火消し蓋の開閉状態を制御するものである、請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまど。
【請求項１０】
着火装置が、ポリプロピレンを原料としたものを穴空き金属製ペレット状カプセルに収納させたものである、請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまど。
【請求項１１】
請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまどを熱源として用いるストーブ放熱熱源組込み機装置。
【請求項１２】
請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまどを熱源として用いる潤滑オイルを内蔵液体とするボイラー（４２）と、前記ボイラーで発生した高温・圧蒸気の液体を潤滑オイルとしたことで、直付の軸受部分図１３の（８７）の簡略・簡単・小型・潤滑化が、新規・既存機械製作か、作り直しリビルトも可となり、潤滑高速回転可能となった超小型軸流多段反動式蒸気タービン（４３）と、前記超小型軸流多段反動式蒸気タービンで発生した高速回転運動エネルギー１０，０００〜２０，０００rpmに比例した高出力電気エネルギー１００ＫＷ（ＰＳ）/rpm以上に変換する自家発電機が、前記自家発電機で発生した電気をバッテリー充電器と電力変換装置を通して使用したり、電源として直接使用したり、自動機器組込むに電気動力１００ＫＷ（ＰＳ）/rpm前後範囲が、必須にて、結果バッテリーを軽量・小型化出来て、外部からの充電・そのための無用な時間の必要が無くなる等々出来る自立・持続・発展的な自家発電機装置。
【請求項１３】
請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまどを熱源として用いるボイラー（内部液体は潤滑オイルを用いている、）と、前記ボイラーで発生した高温・圧蒸気で駆動する前記超小型軸流多段反動式蒸気タービンと、前記超小型軸流多段反動式蒸気タービン（４３）で発生した高速回転運動エネルギーに比例して高出力電気エネルギーに変換する自家発電機と、前記蒸気タービンの蒸気排出口（８９）と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、前記内部液体は潤滑オイルを用いて、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記バイオマス堆肥燃料ペレット自家製造装置で造られた高密度・熱量のペレット燃料を用いた自家製造バイオマスペレット燃料用の耐震・衝撃装置・火消し蓋付き壺兼用熱源順応かまどの前記ボイラー加熱とを加えた加熱量によって、保温庫内給湯量の大量使用の冷・温水入れ替え時（夏場の冷水補助タンク（８６）は冷房専用で別機構）、暖房使用期間や発電不要時には、前記ボイラー内加熱ヒーターの自動温度調整によって内燃機関のアイドリング状態似の低出力発電にも対応出来る、尚更に、給湯水装置不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項１４】
請求項１〜６のいずれかに記載のバイオマス堆肥燃料高密度・熱量ペレット自家製造装置で造られた高密度・熱量のペレット燃料を用いた自家製造バイオマスペレット燃料用の耐震・衝撃装置・火消し蓋付き壺兼用熱源順応かまどの上部の開口部（５４）に投入した、貴重な前記バイオマスペレット１回分投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、補完されて、各家庭・事業所毎のバイオマス供給のばらつきを解消されて、更に、前記熱湯保温庫に代表される複合的エネルギー保持されることも手伝って、高出力電気使用の前記ボイラー内蔵ヒーターによって低速から高速まで持続・調整してエネルギーを供給できる高密度・熱量のペレット燃料を用いた自家製造バイオマスペレット燃料用の耐震・衝撃装置・火消し蓋付き壺兼用熱源順応かまどのエネルギーの前記ストーブ放熱熱源組込機・電気動力組込装置・冷暖房空調機・熱湯保温庫・給湯機・自家発電機装置を同時に複合化使用することで、そのエネルギーを調整・保持・持続・増大化出来る図１１．１２・１４の（９３）に示すエネルギー各種変換増大・調整・保持・自立・持続化ミニプラント装置
【手続補正４】
【補正対象書類名】図面
【補正対象項目名】全図
【補正方法】変更
【補正の内容】
【図１】
2013121907.tif 000014
【図２】
2013121907.tif 000015
【図３】
2013121907.tif 000016
【図４】
2013121907.tif 000017
【図５】
2013121907.tif 000018
【図６】
2013121907.tif 000019
【図７】
2013121907.tif 000020
【図８】
2013121907.tif 000021
【図９】
2013121907.tif 000022
【図１０】
2013121907.tif 000023
【図１１】
2013121907.tif 000024
【図１２】
2013121907.tif 000025
【図１３】
2013121907.tif 000026
【図１４】
2013121907.tif 000027